(57)【特許請求の範囲】
【請求項１】
ネットワークデバイスによって送信された復調参照信号指示情報（ＤＭＲＳ指示情報）を受信するための送受信機であって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の値が１であるとき、ＣＤＭグループ１がスケジューリングされることが指示され、前記ＣＤＭグループの数の値が２であるとき、ＣＤＭグループ１およびＣＤＭグループ２がスケジューリングされることが指示され、または、前記ＣＤＭグループの数の値が３であるとき、ＣＤＭグループ１、ＣＤＭグループ２およびＣＤＭグループ３がスケジューリングされることが指示される、送受信機と、
前記送受信機によって受信された前記ＤＭＲＳ指示情報に基づいてデータの復調を補助するためのプロセッサと
を備える端末。
【請求項２】
ＤＭＲＳ構成情報はＤＭＲＳシンボル情報を含む、請求項１に記載の端末。
【請求項３】
ＤＭＲＳ構成情報において、ＤＭＲＳタイプ１およびＤＭＲＳタイプ２の具体的なＤＭＲＳポートマッピング規則は、
１シンボルＤＭＲＳタイプ１の場合、ＣＤＭグループ１に含まれるポートは｛０、１｝であり、ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝であり、前記ＣＤＭグループ３に含まれるポートは｛４、５、１０、１１｝である、
請求項１または２に記載の端末。
【請求項４】
前記ＤＭＲＳタイプ１に対応する前記ＤＭＲＳ構成情報において、ＣＤＭグループの数、ポート、および、シンボルの数の間の対応関係は、
【表６５】
0006943355.tif 000067
【表６９】
0006943355.tif 000068
のテーブルにおける１または複数の行によって示される対応関係を満たす、請求項３に記載の端末。
【請求項５】
前記ＤＭＲＳタイプ２に対応する前記ＤＭＲＳ構成情報において、ＣＤＭグループの数、ポート、および、シンボルの数の間の対応関係は、
【表６６】
0006943355.tif 000069
【表６７】
0006943355.tif 000070
【表７０】
0006943355.tif 000071
のテーブルにおける１または複数の行によって示される対応関係を満たす、請求項３に記載の端末。
【請求項６】
ＤＭＲＳ構成情報の利用可能な範囲は、ＲＲＣシグナリングを使用することによって構成され、前記利用可能な範囲は、ＤＭＲＳシンボル情報またはＤＭＲＳの最大シンボル数に基づいて決定される、請求項１に記載の端末。
【請求項７】
ＤＭＲＳ構成情報の利用可能な範囲は、無線リソース制御（ＲＲＣ）シグナリングにおける、ＤＭＲＳの最大シンボル数を指示するパラメータに関連する、請求項１に記載の端末。
【請求項８】
前記２シンボルＤＭＲＳタイプ２の場合、前記端末が単一ユーザ（ＳＵ）によってスケジューリングされるとき、ＣＤＭグループ１、ＣＤＭグループ２、および、ＣＤＭグループ３について、周波数分割多重化（ＦＤＭ）がＣＤＭグループ１およびＣＤＭグループ２において優先的にスケジューリングされる、請求項３に記載の端末。
【請求項９】
前記２シンボルＤＭＲＳタイプ２の場合、ＣＤＭグループ１、ＣＤＭグループ２、および、ＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であるとき、および、６層の伝送層または６個のＤＭＲＳポートがスケジューリングされるとき、前記端末は、ＤＭＲＳポート０、１、６およびＤＭＲＳポート２、３、８によってスケジューリングされる、または、
前記ＣＤＭグループの数の前記値が２であり、８層の前記伝送層または８個のＤＭＲＳポートがスケジューリングされるとき、前記端末は、ＤＭＲＳポート０、１、６、７およびＤＭＲＳポート２、３、８、９によってスケジューリングされる
ことを含む、請求項８に記載の端末。
【請求項１０】
前記２シンボルＤＭＲＳタイプ２の場合、ＣＤＭグループ１、ＣＤＭグループ２およびＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であり、５層の伝送層または５個のＤＭＲＳポートがスケジューリングされるとき、前記端末はＤＭＲＳポート０、１、６およびＤＭＲＳポート２、３によってスケジューリングされる、または、
前記ＣＤＭグループの数の前記値が２であり、７層の前記伝送層または７個のＤＭＲＳポートがスケジューリングされるとき、受信機はＤＭＲＳポート０、１、６、７およびＤＭＲＳポート２、３、８によってスケジューリングされる
ことを含む、請求項８に記載の端末。
【請求項１１】
復調参照信号を受信する方法であって、
端末が、ネットワークデバイスによって送信された復調参照信号指示情報（ＤＭＲＳ指示情報）を受信する段階であって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の値が１であるとき、ＣＤＭグループ１がスケジューリングされることが指示され、前記ＣＤＭグループの数の値が２であるとき、ＣＤＭグループ１およびＣＤＭグループ２がスケジューリングされることが指示され、または、前記ＣＤＭグループの数の値が３であるとき、ＣＤＭグループ１、ＣＤＭグループ２およびＣＤＭグループ３がスケジューリングされることが指示される、段階と、
前記端末が、受信された前記ＤＭＲＳ指示情報に基づいて、データの復調を補助する段階と
を備える方法。
【請求項１２】
ＤＭＲＳ構成情報はＤＭＲＳシンボル情報を含む、請求項１１に記載の方法。
【請求項１３】
ＤＭＲＳ構成情報において、ＤＭＲＳタイプ１およびＤＭＲＳタイプ２の具体的なＤＭＲＳポートマッピング規則は、
１シンボルＤＭＲＳタイプ１の場合、ＣＤＭグループ１に含まれるポートは｛０、１｝であり、ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝であり、前記ＣＤＭグループ３に含まれるポートは｛４、５、１０、１１｝である、
請求項１１または１２に記載の方法。
【請求項１４】
前記ＤＭＲＳタイプ１に対応する前記ＤＭＲＳ構成情報において、ＣＤＭグループの数、ポート、および、シンボルの数の間の対応関係は、
【表６５】
0006943355.tif 000072
【表６９】
0006943355.tif 000073
のテーブルにおける１または複数の行によって示される対応関係を満たす、請求項１３に記載の方法。
【請求項１５】
前記ＤＭＲＳタイプ２に対応する前記ＤＭＲＳ構成情報において、ＣＤＭグループの数、ポート、および、シンボルの数の間の対応関係は、
【表６６】
0006943355.tif 000074
【表６７】
0006943355.tif 000075
【表７０】
0006943355.tif 000076
のテーブルにおける１または複数の行によって示される対応関係を満たす、請求項１３に記載の方法。
【請求項１６】
ＤＭＲＳ構成情報の利用可能な範囲は、ＲＲＣシグナリングを使用することによって構成され、前記利用可能な範囲は、ＤＭＲＳシンボル情報またはＤＭＲＳの最大シンボル数に基づいて決定される、請求項１１に記載の方法。
【請求項１７】
ＤＭＲＳ構成情報の利用可能な範囲は、無線リソース制御（ＲＲＣ）シグナリングにおける、ＤＭＲＳの最大シンボル数を指示するパラメータに関連する、請求項１１に記載の方法。
【請求項１８】
２シンボルＤＭＲＳタイプ２の場合、前記端末が単一ユーザ（ＳＵ）によってスケジューリングされるとき、ＣＤＭグループ１、ＣＤＭグループ２、および、ＣＤＭグループ３について、周波数分割多重化（ＦＤＭ）がＣＤＭグループ１およびＣＤＭグループ２において優先的にスケジューリングされる、請求項１１に記載の方法。
【請求項１９】
前記２シンボルＤＭＲＳタイプ２の場合、ＣＤＭグループ１、ＣＤＭグループ２、および、ＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であるとき、および、６層の伝送層または６個のＤＭＲＳポートがスケジューリングされるとき、前記端末は、ＤＭＲＳポート０、１、６およびＤＭＲＳポート２、３、８によってスケジューリングされる、または、
前記ＣＤＭグループの数の前記値が２であり、８層の前記伝送層または８個のＤＭＲＳポートがスケジューリングされるとき、前記端末は、ＤＭＲＳポート０、１、６、７およびＤＭＲＳポート２、３、８、９によってスケジューリングされる
ことを含む、請求項１８に記載の方法。
【請求項２０】
前記２シンボルＤＭＲＳタイプ２の場合、ＣＤＭグループ１、ＣＤＭグループ２およびＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であり、５層の伝送層または５個のＤＭＲＳポートがスケジューリングされるとき、前記端末はＤＭＲＳポート０、１、６およびＤＭＲＳポート２、３によってスケジューリングされる、または、
前記ＣＤＭグループの数の前記値が２であり、７層の前記伝送層または７個のＤＭＲＳポートがスケジューリングされるとき、受信機はＤＭＲＳポート０、１、６、７およびＤＭＲＳポート２、３、８によってスケジューリングされる
ことを含む、請求項１８に記載の方法。
【請求項２１】
少なくとも１つのプロセッサおよびインタフェースを備えるチップであって、
前記少なくとも１つのプロセッサは、プログラム命令を読み出して実行することにより、復調参照信号を受信する方法を実装するよう構成され、前記方法は、
復調参照信号指示情報（ＤＭＲＳ指示情報）の受信を制御する段階であって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の値が１であるとき、ＣＤＭグループ１がスケジューリングされることが指示される、または、前記ＣＤＭグループの数の値が２であるとき、ＣＤＭグループ１およびＣＤＭグループ２がスケジューリングされることが指示される、または、前記ＣＤＭグループの数の値が３であるとき、ＣＤＭグループ１、ＣＤＭグループ２およびＣＤＭグループ３がスケジューリングされることが指示される、段階と、
受信された前記ＤＭＲＳ指示情報に基づいてデータを復調する段階と
を含む、チップ。
【請求項２２】
ＤＭＲＳ構成情報において、ＤＭＲＳタイプ１およびＤＭＲＳタイプ２の具体的なＤＭＲＳポートマッピング規則は、
１シンボルＤＭＲＳタイプ１の場合、前記ＣＤＭグループ１に含まれるポートは｛０、１｝であり、前記ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、前記ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝、前記ＣＤＭグループ３に含まれるポートは｛４、５、１０、１１｝である
ことである、請求項２１に記載のチップ。
【請求項２３】
前記２シンボルＤＭＲＳタイプ２の場合、端末が単一ユーザ（ＳＵ）によってスケジューリングされるとき、ＣＤＭグループ１、ＣＤＭグループ２、ＣＤＭグループ３について、周波数分割多重化（ＦＤＭ）がＣＤＭグループ１およびＣＤＭグループ２において優先的にスケジューリングされる、請求項２２に記載のチップ。
【請求項２４】
前記２シンボルＤＭＲＳタイプ２の場合、ＣＤＭグループ１、ＣＤＭグループ２、ＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であるとき、および、６層の伝送層または６個のＤＭＲＳポートがスケジューリングされるとき、前記端末はＤＭＲＳポート０、１、６およびＤＭＲＳポート２、３、８によってスケジューリングされる、または、
前記ＣＤＭグループの数の前記値が２であり、８層の前記伝送層または８個のＤＭＲＳポートがスケジューリングされるとき、前記端末はＤＭＲＳポート０、１、６、７およびＤＭＲＳポート２、３、８、９によってスケジューリングされる
ことを含む、請求項２３に記載のチップ。
【請求項２５】
前記２シンボルＤＭＲＳタイプ２の場合、ＣＤＭグループ１、ＣＤＭグループ２、ＣＤＭグループ３について、周波数分割多重化（ＦＤＭ）がＣＤＭグループ１およびＣＤＭグループ２において優先的にスケジューリングされ、前記スケジューリングは、
前記ＣＤＭグループの数の値が２であり、５層の伝送層または５個のＤＭＲＳポートがスケジューリングされるとき、前記端末は、ＤＭＲＳポート０、１、６およびＤＭＲＳポート２、３によってスケジューリングされる、または、
前記ＣＤＭグループの数の前記値が２であり、７層の前記伝送層または７個のＤＭＲＳポートがスケジューリングされるとき、受信機はＤＭＲＳポート０、１、６、７およびＤＭＲＳポート２、３、８によってスケジューリングされる
ことを含む、請求項２３に記載のチップ。
【請求項２６】
コンピュータの処理コンポーネントに、復調参照信号を受信する方法を実行させるプログラムであって、前記方法は、
送信端によって送信された復調参照信号指示情報（ＤＭＲＳ指示情報）の受信を制御する段階であって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の値が１であるとき、ＣＤＭグループ１がスケジューリングされることが指示される、または、前記ＣＤＭグループの数の値が２であるとき、ＣＤＭグループ１およびＣＤＭグループ２がスケジューリングされることが指示される、または、前記ＣＤＭグループの数の値が３であるとき、ＣＤＭグループ１、ＣＤＭグループ２およびＣＤＭグループ３がスケジューリングされることが指示される、段階と、
受信された前記ＤＭＲＳ指示情報に基づいてデータを復調する段階と
を含む、
プログラム。
【請求項２７】
ＤＭＲＳ構成情報において、ＤＭＲＳタイプ１およびＤＭＲＳタイプ２の具体的なＤＭＲＳポートマッピング規則は、
１シンボルＤＭＲＳタイプ１の場合、前記ＣＤＭグループ１に含まれるポートは｛０、１｝であり、前記ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、前記ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝であり、前記ＣＤＭグループ３に含まれるポートは｛４、５、１０、１１｝である、
請求項２６に記載のプログラム。
【請求項２８】
２シンボルＤＭＲＳタイプ２の場合、端末が単一ユーザ（ＳＵ）によってスケジューリングされるとき、ＣＤＭグループ１、ＣＤＭグループ２、ＣＤＭグループ３について、周波数分割多重化ＦＤＭが、ＣＤＭグループ１およびＣＤＭグループ２において優先的にスケジューリングされる、請求項２６に記載のプログラム。
【請求項２９】
ＤＭＲＳ構成情報に基づいてＤＭＲＳ指示情報を取得するためのプロセッサであって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の情報の値が１であるとき、ＣＤＭグループ１がスケジューリングされることが指示され、前記ＣＤＭグループの数の情報の値が２であるとき、ＣＤＭグループ１およびＣＤＭグループ２がスケジューリングされることが指示され、または、前記情報の値が３であるとき、ＣＤＭグループ１、ＣＤＭグループ２およびＣＤＭグループ３がスケジューリングされることが指示される、プロセッサと、
前記ＤＭＲＳ指示情報を送信するための送受信機と
を備えるネットワークデバイス。
【請求項３０】
前記ネットワークデバイスがＤＭＲＳ構成情報に基づいてＤＭＲＳ指示情報を前記取得することの前に更に、
前記ネットワークデバイスが、複数のグループの復調参照信号（ＤＭＲＳ）構成情報から、現在のＤＭＲＳ伝送方式に対応するＤＭＲＳ構成情報を決定し、前記ＤＭＲＳ構成情報に基づいて、前記ＤＭＲＳ指示情報を取得し、ＤＭＲＳ構成情報のグループの各々は複数のＤＭＲＳ構成情報を含む、
請求項２９に記載のネットワークデバイス。
【請求項３１】
前記ＤＭＲＳ構成情報は、ＤＭＲＳシンボル情報を更に含む、請求項２９に記載のネットワークデバイス。
【請求項３２】
前記ＤＭＲＳ構成情報において、ＤＭＲＳタイプ１およびＤＭＲＳタイプ２のＤＭＲＳポートマッピング規則は、
１シンボルＤＭＲＳタイプ１の場合、ＣＤＭグループ１に含まれるポートは｛０、１｝であり、ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝であり、前記ＣＤＭグループ３に含まれるポートは｛４、５、１０、１１｝である、
請求項２９または３１に記載のネットワークデバイス。
【請求項３３】
前記ＤＭＲＳタイプ１に対応する前記ＤＭＲＳ構成情報において、ＣＤＭグループの数、ポート、および、シンボルの数の間の対応関係は、
【表６１】
0006943355.tif 000077
のテーブルにおける１または複数の行によって示される対応関係を満たす、請求項３２に記載のネットワークデバイス。
【請求項３４】
前記ＤＭＲＳタイプ２に対応する前記ＤＭＲＳ構成情報において、ＣＤＭグループの数、ポート、および、シンボルの数の間の対応関係は、
【表６２】
0006943355.tif 000078
【表６３】
0006943355.tif 000079
【表６４】
0006943355.tif 000080
のテーブルにおける１または複数の行によって示される対応関係を満たす、請求項３２に記載のネットワークデバイス。
【請求項３５】
前記ＤＭＲＳ構成情報の利用可能な範囲は、ＲＲＣシグナリングを使用することによって構成され、前記利用可能な範囲は、ＤＭＲＳシンボル情報またはＤＭＲＳの最大シンボル数に基づいて決定される、請求項２９に記載のネットワークデバイス。
【請求項３６】
前記ＤＭＲＳ構成情報の利用可能な範囲は、無線リソース制御（ＲＲＣ）シグナリングにおける、ＤＭＲＳの最大シンボル数を指示するパラメータに関連する、請求項２９に記載のネットワークデバイス。
【請求項３７】
２シンボルＤＭＲＳタイプ２の場合、前記ＤＭＲＳ構成情報を使用することによって単一ユーザ（ＳＵ）スケジューリングが実行されるとき、ＣＤＭグループ１、および、ＣＤＭグループ２において、周波数分割多重化ＦＤＭスケジューリングが優先的に実行される、請求項２９に記載のネットワークデバイス。
【請求項３８】
前記２シンボルＤＭＲＳタイプ２の場合、前記ＤＭＲＳ構成情報を使用することによって単一ユーザ（ＳＵ）スケジューリングが実行されるとき、周波数分割多重化（ＦＤＭ）スケジューリングが、前記ＣＤＭグループ１、および、前記ＣＤＭグループ２において優先的に実行され、前記ＣＤＭグループの数の値が２であり、かつ、６個の伝送層または６個のＤＭＲＳポートがスケジューリングされるとき、前記ＣＤＭグループ１に対応するＤＭＲＳポート０、１、６および７において、前記ＤＭＲＳポート０、１および６がスケジューリングされ、前記ＣＤＭグループ２に対応するＤＭＲＳポート２、３、８および９において、前記ＤＭＲＳポート２、３および８がスケジューリングされる、または、
前記ＣＤＭグループの数の値が２であり、かつ、８個の伝送層または８個のＤＭＲＳポートがスケジューリングされるとき、前記ＣＤＭグループ１に対応するＤＭＲＳポート０、１、６および７において、前記ＤＭＲＳポート０、１、６および７がスケジューリングされ、前記ＣＤＭグループ２に対応するＤＭＲＳポート２、３、８および９において、前記ＤＭＲＳポート２、３、８および９がスケジューリングされる、
請求項３７に記載のネットワークデバイス。
【請求項３９】
前記２シンボルＤＭＲＳタイプ２の場合、前記単一ユーザ（ＳＵ）スケジューリングが、前記ＤＭＲＳ構成情報を使用することによって実行されるとき、ＦＤＭ優先スケジューリングが前記ＣＤＭグループ１および前記ＣＤＭグループ２において実行され、前記ＣＤＭグループの数の値が２であり、５個の伝送層または５個のＤＭＲＳポートがスケジューリングされるとき、前記ＣＤＭグループ１に対応するＤＭＲＳポート０、１、６および７において、前記ＤＭＲＳポート０、１および６がスケジューリングされ、前記ＣＤＭグループ２に対応するＤＭＲＳポート２、３、８および９において、前記ＤＭＲＳポート２、３がスケジューリングされる、または、
前記ＣＤＭグループの数の値が２であり、７個の伝送層または７個のＤＭＲＳポートがスケジューリングされるとき、前記ＣＤＭグループ１に対応するＤＭＲＳポート０、１、６および７において、ＤＭＲＳポート０、１、６および７がスケジューリングされ、前記ＣＤＭグループ２に対応するＤＭＲＳポート２、３、８および９において、前記ＤＭＲＳポート２、３および８がスケジューリングされる、
請求項３８に記載のネットワークデバイス。
【請求項４０】
復調参照信号を指示する方法であって、
ネットワークデバイスが、ＤＭＲＳ構成情報に基づいて、ＤＭＲＳ指示情報を取得する段階であって、前記ＤＭＲＳ指示情報は、アンテナポートの符号分割多重化グループ情報（ＣＤＭグループ情報）を指示し、前記ＣＤＭグループ情報はＣＤＭグループの数を含み、前記ＣＤＭグループの数は、システムにおいてスケジューリングされる可能性を有する、データの送信に使用されないＣＤＭグループの数であり、前記ＣＤＭグループの数の情報の値が１であるとき、ＣＤＭグループ１がスケジューリングされることが指示され、前記ＣＤＭグループの数の情報の値が２であるとき、ＣＤＭグループ１およびＣＤＭグループ２がスケジューリングされることが指示され、または、前記情報の値が３であるとき、ＣＤＭグループ１、ＣＤＭグループ２およびＣＤＭグループ３がスケジューリングされることが指示される、段階と、
前記ネットワークデバイスが前記ＤＭＲＳ指示情報を送信する段階と
を備える方法。
【請求項４１】
ネットワークデバイスがＤＭＲＳ構成情報に基づいてＤＭＲＳ指示情報を取得する前記段階の前に、
前記ネットワークデバイスが、複数のグループの復調参照信号（ＤＭＲＳ）構成情報から、現在のＤＭＲＳ伝送方式に対応するＤＭＲＳ構成情報を決定し、前記ＤＭＲＳ構成情報に基づいて、前記ＤＭＲＳ指示情報を取得する段階であって、ＤＭＲＳ構成情報のグループの各々は複数のＤＭＲＳ構成情報を含む、段階
を更に備える、請求項４０に記載の方法。
【請求項４２】
前記ＤＭＲＳ構成情報は、ＤＭＲＳシンボル情報を更に含む、請求項４０に記載の方法。
【請求項４３】
前記ＤＭＲＳ構成情報において、ＤＭＲＳタイプ１およびＤＭＲＳタイプ２のＤＭＲＳポートマッピング規則は、
１シンボルＤＭＲＳタイプ１の場合、ＣＤＭグループ１に含まれるポートは｛０、１｝であり、ＣＤＭグループ２に含まれるポートは｛２、３｝であり、
２シンボルＤＭＲＳタイプ１の場合、前記ＣＤＭグループ１に含まれるポートは｛０、１、４、５｝であり、前記ＣＤＭグループ２に含まれるポートは｛２、３、６、７｝であり、
１シンボルＤＭＲＳタイプ２の場合、前記ＣＤＭグループ１に含まれるポートは｛０、１｝であり、前記ＣＤＭグループ２に含まれるポートは｛２、３｝であり、ＣＤＭグループ３に含まれるポートは｛４、５｝であり、
２シンボルＤＭＲＳタイプ２の場合、前記ＣＤＭグループ１に含まれるポートは｛０、１、６、７｝であり、前記ＣＤＭグループ２に含まれるポートは｛２、３、８、９｝であり、前記ＣＤＭグループ３に含まれるポートは｛４、５、１０、１１｝である、
請求項４１または４２に記載の方法。
【請求項４４】
前記ＤＭＲＳタイプ１に対応する前記ＤＭＲＳ構成情報において、ＣＤＭグループの数、ポート、および、シンボルの数の間の対応関係は、
【表６１】
0006943355.tif 000081
のテーブルにおける１または複数の行によって示される対応関係を満たす、請求項４３に記載の方法。
【請求項４５】
前記ＤＭＲＳタイプ２に対応する前記ＤＭＲＳ構成情報において、ＣＤＭグループの数、ポート、および、シンボルの数の間の対応関係は、
【表６２】
0006943355.tif 000082
【表６３】
0006943355.tif 000083
【表６４】
0006943355.tif 000084
のテーブルにおける１または複数の行によって示される対応関係を満たす、請求項４３に記載の方法。
【請求項４６】
記ＤＭＲＳ構成情報の利用可能な範囲は、ＲＲＣシグナリングを使用することによって構成され、前記利用可能な範囲は、ＤＭＲＳシンボル情報またはＤＭＲＳの最大シンボル数に基づいて決定される、請求項４０に記載の方法。
【請求項４７】
前記ＤＭＲＳ構成情報の利用可能な範囲は、無線リソース制御（ＲＲＣ）シグナリングにおける、ＤＭＲＳの最大シンボル数を指示するパラメータに関連する、請求項４０に記載の方法。
【請求項４８】
２シンボルＤＭＲＳタイプ２の場合、前記ＤＭＲＳ構成情報を使用することによって単一ユーザ（ＳＵ）スケジューリングが実行されるとき、ＣＤＭグループ１、および、ＣＤＭグループ２において、周波数分割多重化ＦＤＭスケジューリングが優先的に実行される、請求項４０に記載の方法。
【請求項４９】
前記２シンボルＤＭＲＳタイプ２の場合、前記ＤＭＲＳ構成情報を使用することによって単一ユーザ（ＳＵ）スケジューリングが実行されるとき、周波数分割多重化（ＦＤＭ）スケジューリングが、前記ＣＤＭグループ１、および、前記ＣＤＭグループ２において優先的に実行され、前記ＣＤＭグループの数の値が２であり、かつ、６個の伝送層または６個のＤＭＲＳポートがスケジューリングされるとき、前記ＣＤＭグループ１に対応するＤＭＲＳポート０、１、６および７において、前記ＤＭＲＳポート０、１および６がスケジューリングされ、前記ＣＤＭグループ２に対応するＤＭＲＳポート２、３、８および９において、前記ＤＭＲＳポート２、３および８がスケジューリングされる、または、
前記ＣＤＭグループの数の値が２であり、かつ、８個の伝送層または８個のＤＭＲＳポートがスケジューリングされるとき、前記ＣＤＭグループ１に対応するＤＭＲＳポート０、１、６および７において、前記ＤＭＲＳポート０、１、６および７がスケジューリングされ、前記ＣＤＭグループ２に対応するＤＭＲＳポート２、３、８および９において、前記ＤＭＲＳポート２、３、８および９がスケジューリングされる、
請求項４８に記載の方法。
【請求項５０】
前記２シンボルＤＭＲＳタイプ２の場合、前記単一ユーザ（ＳＵ）スケジューリングが、前記ＤＭＲＳ構成情報を使用することによって実行されるとき、ＦＤＭ優先スケジューリングが前記ＣＤＭグループ１および前記ＣＤＭグループ２において実行され、前記ＣＤＭグループの数の値が２であり、５個の伝送層または５個のＤＭＲＳポートがスケジューリングされるとき、前記ＣＤＭグループ１に対応するＤＭＲＳポート０、１、６および７において、前記ＤＭＲＳポート０、１および６がスケジューリングされ、前記ＣＤＭグループ２に対応するＤＭＲＳポート２、３、８および９において、前記ＤＭＲＳポート２、３がスケジューリングされる、または、
前記ＣＤＭグループの数の値が２であり、７個の伝送層または７個のＤＭＲＳポートがスケジューリングされるとき、前記ＣＤＭグループ１に対応するＤＭＲＳポート０、１、６および７において、ＤＭＲＳポート０、１、６および７がスケジューリングされ、前記ＣＤＭグループ２に対応するＤＭＲＳポート２、３、８および９において、前記ＤＭＲＳポート２、３および８がスケジューリングされる、
請求項４９に記載の方法。
【発明の詳細な説明】
【技術分野】
【０００１】
本願は、通信分野に関し、特に、復調参照信号（ｄｅｍｏｄｕｌａｔｉｏｎ  ｒｅｆｅｒｅｎｃｅ  ｓｉｇｎａｌ、ＤＭＲＳ）を指示および受信する方法、送信端、ならびに受信端に関する。
【背景技術】
【０００２】
多入力多出力（英語：Ｍｕｌｔｉｐｌｅ−Ｉｎｐｕｔ  Ｍｕｌｔｉｐｌｅ−Ｏｕｔｐｕｔ、略称：ＭＩＭＯ）技術において、空間次元におけるリソースが使用され、その結果、信号は、システム帯域幅を増大させることなく、アレイの利得、多重化およびダイバーシティの利得、ならびに、干渉除去の利得を空間的に取得し得て、それにより、通信システムの容量およびスペクトル効率を指数関数的に改善する。例えば、ロングタームエボリューション（英語：Ｌｏｎｇ  Ｔｅｒｍ  Ｅｖｏｌｕｔｉｏｎ、略称：ＬＴＥ）システムにおいて、単一ユーザ（ｓｉｎｇｌｅ  ｕｓｅｒ、ＳＵ）は、最大８層の直交ＤＭＲＳポートの多重化をサポートし、ＤＭＲＳは２４個のＲＥを占有する。具体的には、図１に示されるように、周波数領域において、ＤＭＲＳポートは、各リソースブロック（ｒｅｓｏｕｒｃｅ  ｂｌｏｃｋ、ＲＢ）のペア（ｐａｉｒ）における第０、第１、第５、第６、第１０、および、第１１サブキャリア上にマッピングされ得て、時間領域において、ＤＭＲＳポートは、各サブフレームにおける第５、第６、第１２、および、第１３シンボル上にマッピングされ得る。
【０００３】
しかしながら、高レート、高信頼性、および、低レイテンシなどの、通信に対する人々の要件がますます高くなるにつれて、現代の通信システムは、より大きい容量、より広いカバレッジ、および、より低いレイテンシの課題に常に直面することになるであろう。これらの要件は、将来のネットワーク（英語：ｎｅｗ  ｒａｄｉｏ、略称：ＮＲ）に対する主な要件でもある。
【０００４】
通信システムにおける受信端での復調プロセスにおいては、非コヒーレント復調と比較して、コヒーレント復調は、より良い性能を有し、約３ｄＢの性能利得を有する。したがって、コヒーレント復調は、現代の通信システムにおいて、より広く使用されている。しかしながら、ＯＦＤＭシステムにおける各キャリアに対する変調は、キャリアを抑制するものである。受信端でのコヒーレント復調の間に、パイロット信号または参照信号とも称される参照信号（英語：Ｒｅｆｅｒｅｎｃｅ  Ｓｉｇｎａｌ、略称：ＲＳ）が必要である。ＯＦＤＭシンボルにおいて、それらは２次元の時間周波数空間において異なるリソース単位（英語：Ｒｅｓｏｕｒｃｅ  ｕｎｉｔ、略称：ＲＥ）上に分散され、既知の振幅および位相を有する。同様に、ＭＩＭＯシステムにおいて、各送信アンテナ（仮想アンテナまたは物理アンテナ）は、独立したデータチャネルを有する。受信機は、予測されたＲＳ信号に基づいて、各送信アンテナについてチャネル推定を実行し、推定に基づいて、送信されたデータを復元する。
【０００５】
チャネル推定は、チャネルフェージングおよびノイズを補償するために受信信号が再構築されるプロセスである。このプロセスにおいて、送信機および受信機によって予測されたＲＳを使用することによって、チャネルの時間領域および周波数領域の変化がトラッキングされる。例えば、高次マルチアンテナシステムにおいてデータ復調を実装するために、ＬＴＥ／‐Ａシステムは、復調参照信号（英語：Ｄｅｍｏｄｕｌａｔｉｏｎ  Ｒｅｆｅｒｅｎｃｅ  Ｓｉｇｎａｌ、略称：ＤＭＲＳ）を定義する。参照信号は、物理ダウンリンク共有チャネル（英語：Ｐｈｙｓｉｃａｌ  Ｄｏｗｎｌｉｎｋ  Ｓｈａｒｅｄ  Ｃｈａｎｎｅｌ、略称：ＰＤＳＣＨ）などの、アップリンクおよびダウンリンク制御チャネルならびにデータチャネルを復調するために使用される。
【０００６】
ＤＭＲＳおよびユーザデータについて、同一の前処理方式が使用される。ＤＭＲＳの特徴は以下の通りである。
【０００７】
（１）ＤＭＲＳは、ユーザ固有（ＵＥ−ｓｐｅｃｉｆｉｃ）である。具体的には、端末データの各々、および、端末データに対応する復調参照信号について、同一のプリコーディングマトリックスが使用される。
【０００８】
（２）ネットワーク側の観点からは、層上で伝送されるＤＭＲＳは、相互に直交する。
【０００９】
（３）ＤＭＲＳは通常、ビームフォーミングおよびプリコーディング技術をサポートするために使用され、したがって、スケジューリングされたリソースブロック上のみで送信され、送信されるＤＭＲＳポートの数は、データストリームの数（または、層の数と称される）に関連する。ＤＭＲＳポートは、物理アンテナの数ではなく、アンテナポートと１対１の対応関係にある。ＤＭＲＳポートの数は、物理アンテナの数以下であり、２つの数は、層マッピングおよびプリコーディングを通して関連付けられる。
【００１０】
現在の規格では、ダウンリンク上で使用されるＤＭＲＳがサポートできる最大直交データストリーム数は８であり、各ＰＲＢペアのリソースオーバーヘッドは２４個のＲＥであり、ＤＭＲＳは、ブロックパイロットの形で、全部のＰＲＢにおいて分散される。各ポート（ｐｏｒｔ）は１２個のＲＥを占有する。言い換えれば、ポートの密度は同一である。加えて、ＤＭＲＳシーケンスの設計は、各ポートの密度に基づいて決定され、したがって、ＤＭＲＳシーケンスの長さは固定値である。
【００１１】
しかしながら、新無線（英語：Ｎｅｗ  Ｒａｄｉｏ、略称：ＮＲ）は、より多様化したシナリオをサポートし、したがって、複数の構成（パターン）をサポートする。例えば、異なる周波数バンドにおけるデータ伝送に適合するべく、多重化モードは大幅に異なる。加えて、より大きい容量の伝送要件を更に満たすべく、データチャネル上のＤＭＲＳがサポートできる最大直交データストリーム数は、８より大きい。例えば、３ＧＰＰ  ＲＡＮ１  ＃８８ｂｉｓ会議において、１２個の直交ＤＭＲＳポートがサポートされることが合意された。
【００１２】
更に、ＬＴＥシステムにおいて、全部の送受信機アンテナは、非常に低い次元を有する。したがって、ＭＵマッチング中にサポートされるＭＵ次元は比較的低い。例えば、ＭＵスケジューリング中、単一ユーザあたり最大２層が許可され、合計４個の直交層がある。ＬＴＥシステムと比較して、将来のネットワークにおいて、４個の受信アンテナが将来のＵＥに必要であり得る。この場合、ＭＵ次元が変化する。
【００１３】
実際の伝送中、基地局は、基地局によって割り当てられる層の数、ＤＭＲＳポート番号、シーケンス構成、および、多重化モードなどの情報を端末に通知する必要がある。ＬＴＥにおいて、全部の情報は、ＤＣＩを使用することによって指示される。しかしながら、ＮＲは、複数のパターンをサポートし、ポートの数、多重化モードおよびマッピング規則には複数のバリエーションがあり、ＬＴＥにおけるＤＣＩベースの指示方式がまだ使用される場合、非常に高いオーバーヘッドが生じる。したがって、ＮＲにおいてＤＭＲＳをどのように指示するかは、早急に解決される必要がある技術的問題である。
【発明の概要】
【００１４】
上述の技術的問題を解決するべく、本願は、復調参照信号を指示および受信する方法および機器を提供する。
【００１５】
ＮＲシステムにおけるＭＵ‐ＭＩＭＯシナリオによってサポートできる、ＣＤＭ多重化のための直交ポートの数は、ＬＴＥと異なり、最大で１２個の直交ポートをサポートできる。したがって、ＤＭＲＳ構成情報テーブルのみに基づいて、ＬＴＥにおいて割り当てられる層の数、直交ＤＭＲＳポート番号、シーケンス構成および多重化モードなどの情報が端末に通知されるというＬＴＥにおける方式は、もはや適用可能ではない。本願の実施形態において、将来のネットワーク（ｎｅｗ  ｒａｄｉｏ、ＮＲ）の異なるシナリオにおけるＤＭＲＳ伝送要件にそれぞれマッチングさせるように、複数のグループのＤＭＲＳ構成情報が設計されている。
【００１６】
第１態様によれば、本願において提供される復調参照信号を指示および受信する方法は、送信端が、複数のグループの復調参照信号（ＤＭＲＳ）構成情報から、現在のＤＭＲＳ伝送方式に対応するＤＭＲＳ構成情報を決定し、ＤＭＲＳ構成情報に基づいてＤＭＲＳ指示情報を取得する段階であって、ＤＭＲＳ構成情報のグループは各々、複数のＤＭＲＳ構成情報を含む、段階と、ＤＭＲＳ指示情報を受信端へ送信する段階と、受信端が、ＤＭＲＳ指示情報を受信した後にデータを復調することを補助する段階とを含む。
【００１７】
本願の本実施形態において、現在のＤＭＲＳ伝送方式は、指示情報を使用することによって指示され、異なるＤＭＲＳ伝送方式は、異なるサポートされる最大直交ポート数に対応する、または、異なるＤＭＲＳパターン、もしくは、異なるＤＭＲＳ構成タイプに対応する。
【００１８】
異なるＤＭＲＳ伝送方式に対応するＤＭＲＳ構成情報におけるサポートされる最大直交ポート数は異なる。
【００１９】
異なるＤＭＲＳ伝送方式に対応するＤＭＲＳ指示情報の長さは異なる。
【００２０】
複数のＤＭＲＳ構成情報における複数のＤＭＲＳポートは、異なる符号分割多重化ＣＤＭグループに属し、異なるＣＤＭグループは非疑似コロケーションＱＣＬ関係を満たす。
【００２１】
実装において、異なるサポートされる最大直交ポート数については、異なるグループのＤＭＲＳ構成情報が構成され得る。ＤＭＲＳ構成情報のグループは、複数のＤＭＲＳ構成情報を含む。例えば、サポートされる最大直交ポート数が４である、サポートされる最大直交ポート数が６である、サポートされる最大直交ポート数が８である、および、サポートされる最大直交ポート数が１２であるＭＩＭＯシナリオにおいて、対応するＤＭＲＳ構成情報は別々に構成される。ＤＭＲＳ構成情報は、受信端が使用できる直交ＤＭＲＳポート番号、シーケンス構成、多重化モードおよび同様のものを受信端に通知するために使用され、それにより、データを正確に復号する。
【００２２】
別の実装において、ＤＭＲＳ構成情報は、異なるＤＭＲＳパターンに構成される。通常、１つのＤＭＲＳパターンは、サポートされる最大直交ポート数、または、サポートされる最大直交伝送層数をサポートする１つのＭＩＭＯシナリオに対応する。ＤＭＲＳパターンは、ＭＩＭＯシナリオによってサポートされる直交ポートグループの数、および、各直交ポートグループに含まれるリソース単位の数を示す。したがって、異なるＤＭＲＳパターンに異なるＤＭＲＳ構成情報を構成することは、受信端が使用できる直交ＤＭＲＳポート番号、シーケンス構成、多重化モードおよび同様のものを受信端が認識することも可能にすることができ、それにより、データを正確に復号する。
【００２３】
第１態様の実装において、ＤＭＲＳ構成情報は、プロトコルで合意されたテーブルによって提示され得て、その具体的な実装形式は、ダウンリンク制御情報（ｄｏｗｎｌｉｎｋ  ｃｏｎｔｒｏｌ  ｉｎｆｏｒｍａｔｉｏｎ、ＤＣＩ）テーブル（ｔａｂｌｅ）であり得る。複数のＤＣＩテーブルは、少なくとも１つのグループの異なるＤＭＲＳ構成情報を含む。１つのグループのＤＭＲＳ構成情報は、複数のＤＭＲＳ構成情報を含み、１つのテーブルによって提示される。テーブルは、本明細書においてＤＭＲＳ構成情報テーブルと称される。
【００２４】
ＤＭＲＳ指示情報に対応するＤＭＲＳ伝送方式は、上位層シグナリング、例えば、無線リソース制御（ｒａｄｉｏ  ｒｅｓｏｕｒｃｅ  ｃｏｎｔｒｏｌ、ＲＲＣ）シグナリングを使用することによって送信される。当然、ＤＭＲＳ構成情報は代替的に、シナリオに対応する、別の構成パラメータ、例えば、キャリア周波数、キャリア間隔、または、フレーム構造にバインドされ得る。このように、ＤＣＩシグナリングまたは媒体アクセス制御制御要素（ｍｅｄｉａ  ａｃｃｅｓｓ  ｃｏｎｔｒｏｌ  ｃｏｎｔｒｏｌ  ｅｌｅｍｅｎｔ、ＭＡＣ  ＣＥ）を使用することによって、ＤＭＲＳ指示情報を送信できる。
【００２５】
具体的な実装において、各ＤＭＲＳ構成情報テーブルは、異なるサポートされる最大直交ポート数（ｐｏｒｔ）に対応する。例えば、サポートされる最大直交ポート数は、｛４、６、８、１２｝のうち少なくとも２つであり得る。
【００２６】
別の実装において、ＤＭＲＳ構成情報テーブルの各々は、異なるＤＭＲＳパターン（ｐａｔｔｅｒｎ）、または、ＤＭＲＳ構成タイプ（ｃｏｎｆｉｇｕｒａｔｉｏｎ  ｔｙｐｅ）に対応し得る。
【００２７】
実装において、ＤＭＲＳ構成情報テーブルにおいて、直交ポートグループに基づいて、列配置設計が実行される。例えば、列配置設計は、４以下の伝送層を有する直交ポートの組み合わせ、および、４より多くの伝送層を有する直交ポートの組み合わせに対して実行される。
【００２８】
実装において、ＤＭＲＳ構成情報がＤＭＲＳ構成情報テーブルの形で提示されるとき、コードワード数（ｃｏｄｅｗｏｒｄ  ｎｕｍｂｅｒ）に基づいて区分が実行され得る、または、コードワード数ではなく、サポートされる最大直交ポート数の合計、または、受信端における伝送層の数に基づいて実行され得る。具体的には、区分は比に基づいて実行され得る。
【００２９】
ＤＭＲＳ構成情報テーブルは、直交ポートの合計数の指示情報を更に含み、指示情報は、実際に提供される可能性のある全部の直交ポートの数、または、実際に提供される可能性のある全部の直交ポートの数の量子化値を指示し得る。全部の直交ポートの数の量子化値は、直交ＤＭＲＳ層の数についての情報、直交ＤＭＲＳアンテナポートセットの指示情報、直交ＤＭＲＳアンテナポートのＣＤＭグループ情報、または、ＣＤＭグループサイズに基づいて生成される情報であり得る。直交ポートの合計数は、直交ＤＭＲＳ伝送層の合計数と同一であると理解されたい。直交ＤＭＲＳアンテナポートのＣＤＭグループ情報は、ＣＤＭグループの数、ＣＤＭグループの番号、または、ＣＤＭグループ状態情報であり得る。
【００３０】
複数のグループのＤＭＲＳ構成情報は、一般情報テーブルを使用することによって提示され得ることに留意されたい。言い換えれば、複数のＤＭＲＳ構成情報テーブルは、一般情報テーブルであり得て、一般情報テーブルは、サポートされる最大直交ポート数をサポートし、複数のＤＭＲＳ構成情報テーブルは、一般情報テーブルのサブセットである。サブセットは、サポートされる最大直交ポート数、ＤＭＲＳパターン、または、上位層シグナリングに基づいて、一般情報テーブルから選択され得る。
【００３１】
ＤＭＲＳ構成情報において、直交ＤＭＲＳアンテナポートのＣＤＭグループ情報は、ＣＤＭグループ状態情報、ＣＤＭグループシーケンス番号、ＣＤＭグループの番号、または、ＣＤＭグループの数である。実装において、ＣＤＭグループの数は、システムにおいて占有／スケジューリング（共同スケジューリング）されるＣＤＭグループの数である。
【００３２】
ＤＭＲＳ構成情報は、ＤＭＲＳシンボル情報を更に含む。
【００３３】
ＤＭＲＳ構成情報の利用可能な範囲は、無線リソース制御シグナリングＲＲＣにおける、ＤＭＲＳの最大シンボル数を指示するパラメータにバインドされる。
【００３４】
ＤＭＲＳ構成情報の利用可能な範囲は、無線リソース制御（ＲＲＣ）シグナリングにおける、ＤＭＲＳの最大シンボル数を指示する、パラメータにバインドされる。
【００３５】
ＤＭＲＳの最大シンボル数が異なる場合、ＤＭＲＳポートスケジューリングを実行するためのダウンリンク制御情報ＤＣＩシグナリングの長さは異なる、または、ＤＣＩにおけるビットの数は異なる、または、ＤＣＩフィールドは異なる。
【００３６】
ＤＭＲＳ構成情報を使用することによって単一ユーザＳＵスケジューリングが実行されるとき、２つのＣＤＭグループにおいて、ＦＤＭスケジューリングが最初に実行される。ＮＲシステムにおけるＭＩＭＯシナリオによってサポートできる、ＣＤＭ多重化のための直交ポートの数は、ＬＴＥと異なり、最大で１２個の直交ポートをサポートできる。端末は通常、別の端末によって使用されるポート上のＤＭＲＳによって占有される、端末のデータが伝送されないＲＥ位置を知るために、共同スケジューリングされる別の端末のポート情報を認識する必要がある。端末が当該情報を知ることができない場合、端末は、復号のために、別のユーザからのＤＭＲＳを端末のデータとして使用し得て、復号エラーにつながる。ＤＭＲＳが占有されているポートを端末が認識することをどのように可能にするかを示すために、有効なＤＭＲＳレートマッチング指示方式が必要である。技術的問題を解決するべく、本願は、復調参照信号指示方法および受信方法を提供し、当該方法は、送信端が、復調参照信号（ＤＭＲＳ）指示情報を生成する段階であって、ＤＭＲＳ指示情報は、ＤＭＲＳによって占有されない、ＤＭＲＳの搬送に利用可能なリソースにおけるリソースを指示するために使用される、段階と、送信端が、ＤＭＲＳ指示情報を受信端へ送信する段階と、受信端が、ＤＭＲＳ指示情報に基づいて、ＤＭＲＳによって占有されないリソース上でデータを復調する段階であって、具体的には、受信端は、ダウンリンク制御情報または媒体アクセス制御制御要素を使用することによって、ＤＭＲＳ指示情報を受信する必要がある、段階とを備える。
【００３７】
受信端は、ＤＭＲＳによって占有されない、ＤＭＲＳの搬送に利用可能なリソースにおけるリソースを取得するために、受信されたＤＭＲＳ指示情報に基づいて、直交伝送層の現在の量子化数、現在使用されるポートグループ状態の組み合わせ、直交伝送層数、または、現在受信端によって使用されていないポートグループ状態、または、ミュートされる必要があるリソース単位を取得する。
【００３８】
実装において、ＤＭＲＳ指示情報を受信する前に、受信端は、現在のＤＭＲＳ伝送方式を指示するＤＭＲＳ伝送方式指示情報を更に受信する。異なるＤＭＲＳ伝送方式は、異なるサポートされる最大直交ポート数に対応する、または、異なるＤＭＲＳパターンまたは異なるＤＭＲＳ構成タイプに対応する。
【００３９】
ＤＭＲＳ伝送方式は、ＤＭＲＳパターン、ＤＭＲＳ構成タイプ、または、サポートされる最大直交ポート数を使用することによって反映されることを理解されたい。
【００４０】
ここでは、サポートされる最大直交ポート数は、現在のフレームにおいて送信端によってスケジューリングできる最大直交ポート数であることに留意されたい。例えば、１２ポートのＤＭＲＳパターンを使用できる。しかしながら、現在のスケジューリングされた最大ポート数は、４だけであり、サポートされる最大直交ポート数は、基地局スケジューリングに関連し、ＤＭＲＳパターンによってサポートされる最大直交ポート数以下である。
【００４１】
例えば、サポートされる最大直交ポート数が４、６、８、または、１２であるＭＵ‐ＭＩＭＯシナリオにおいて、または、サポートされる最大非直交ポート数が８、１２、１６、または、２４であるシナリオ（２つのスクランブリングコードを伴うシナリオ）において、対応するＤＭＲＳ指示情報は別々に構成される。言い換えれば、異なるサポートされる最大直交ポート数に基づいて、対応するＤＭＲＳ指示情報は別々に構成される。指示情報は、他のユーザのＤＭＲＳによって占有される、受信端のデータが存在しない時間周波数リソース上のリソース単位を受信端に通知するために使用される。このように、受信端は、データを正確に復号するべく、データ復調中に、これらのリソース単位を回避することができる。
【００４２】
別の実装において、ＤＭＲＳ指示情報は、異なるＤＭＲＳパターンについて構成される、または、ＤＭＲＳパターンにおけるＤＭＲＳポートグループの数に対応して構成され得る（例えば、２または３つのＤＭＲＳポートグループを含むＤＭＲＳパターンにそれぞれ対応する２つのテーブルがあり得る）。
【００４３】
通常、１つのＤＭＲＳパターンは、サポートされる最大直交ポート数をサポートする１つのＭＵ‐ＭＩＭＯシナリオに対応する。ＤＭＲＳパターンは、ＭＵ‐ＭＩＭＯシナリオによってサポートされる直交ＣＤＭポートグループの数、および、各ポートグループに含まれるリソース単位の数を示す。したがって、異なる指示情報が、異なるＤＭＲＳパターンに構成される。
【００４４】
更に別の実装において、指示情報は、ＤＭＲＳ構成タイプ（ｃｏｎｆｉｇｕｒａｔｉｏｎ  ｔｙｐｅ）のために更に構成され得る。
【００４５】
上述の実装の全部において、受信端は、他のユーザのＤＭＲＳによって占有される時間周波数リソース上のリソース単位を通知され得て、その結果、受信端は、データを正確に復号できる。
【００４６】
実装において、受信端は、ＤＭＲＳ指示情報と、ＤＭＲＳによって占有されない、ＤＭＲＳの搬送に利用可能なリソースにおけるリソースとの間の、シグナリングされた対応関係を受信する必要がある。ここで説明されるシグナリングは通常、上位層シグナリング、例えば、ＲＲＣシグナリングである。
【００４７】
別の実装において、受信端は、ＤＭＲＳ構成情報を更に記憶する。言い換えれば、ＤＭＲＳ指示情報と、ＤＭＲＳによって占有されない、ＤＭＲＳの搬送に利用可能なリソースにおけるリソースとの間の対応関係を、ローカルに記憶されたＤＭＲＳ構成情報において見つけることができる。
【００４８】
本願の本実施形態において、ＤＭＲＳ構成情報は、直交ポートの合計数の指示情報を更に含み、直交ポートの合計数の指示情報は、実際に提供される可能性がある全部の直交ポートの数、または、実際に提供される可能性がある全部の直交ポートの数の量子化値を指示し得る。全部の直交ポートの数の量子化値は、直交ＤＭＲＳ層の数についての情報、直交ＤＭＲＳアンテナポートセットの指示情報、直交ＤＭＲＳアンテナポートのＣＤＭグループ情報、または、ＣＤＭグループサイズに基づいて生成される情報である。直交ＤＭＲＳアンテナポートのＣＤＭグループ情報は、ＣＤＭグループの数、ＣＤＭグループの番号、または、ＣＤＭグループ状態情報である。
【００４９】
直交ＤＭＲＳ層の数についての情報において、直交ＤＭＲＳ層の数は、ＣＤＭグループにおけるＤＭＲＳアンテナポートの数の整数倍、または、ＣＤＭグループにおける連続的なシーケンス番号を有するＤＭＲＳアンテナポートの数の整数倍、または、ＣＤＭグループにおけるＤＭＲＳアンテナポートのシーケンス番号の値である。具体的な実装において、ＤＭＲＳ層の数についての情報は、等級付けを通して量子化されるＤＭＲＳ層の数についての情報であり得る。等級付けを通して量子化されるＤＭＲＳ層の数についての情報において、ＤＭＲＳ層の数は、ＣＤＭグループにおけるＤＭＲＳアンテナポートの数の整数倍であり得る。例えば、２つのＤＭＲＳアンテナポートグループを含むＤＭＲＳパターンについて、ポートグループ１に含まれるＤＭＲＳポートは、｛１、２、３、４｝であり、ポートグループ２に含まれるＤＭＲＳポートは｛５、６、７、８｝であると想定すると、ポートグループ１およびポートグループ２は、４層および８層に量子化され得る。加えて、ＤＭＲＳ層の数についての情報において、ＤＭＲＳ層の数は、代替的に、ＣＤＭグループにおける昇順の連続的なシーケンス番号を有するＤＭＲＳアンテナポートの数の整数倍であり得る。例えば、ＣＤＭグループ｛１、２、５、７｝および｛３、４、６、８｝は、２層および４層に量子化され得る。全部の情報は、どのリソース単位が受信端のＤＭＲＳによって占有されるか、および、どのリソース単位が、ＣＤＭ多重化を実装する他の受信端のＤＭＲＳによって占有されるかを受信端が識別することを可能にすることができる。残りのリソースユニットは、受信端に関連するデータ伝送に使用される。したがって、受信端は、対応するリソース単位上でデータを復調する。
【００５０】
直交伝送層の数の量子化値を使用する理由は、受信端の伝送層の具体的な数を指示する必要がある場合、例えば、伝送層数｛１、２、３、４｝を別々に指示する必要がある場合、指示のために２ビットが必要である。伝送層数｛１、２、３、４｝が量子化される、例えば、伝送層数４へ上向きに量子化される、または、伝送層数１へ下向きに量子化されるとき、または、伝送層数｛１、２、３、４｝が２または３によって表されるとき、伝送層の数の量子化値を指示するために１ビットのみが必要である。例えば、伝送層数の量子化値４を表すために０が使用される。したがって、指示オーバーヘッドを低減できる。
【００５１】
上述の原則に基づき、本願の本実施形態において、ＤＭＲＳ指示情報は、直交伝送層の数の量子化値を指示し得る。一方式は黙示的な指示であり、別の方式は明示的な指示である。
【００５２】
黙示的な指示の解決手段において、直交伝送層の数の量子化値は、ＤＭＲＳ構成情報テーブルにおいて構成され、指示情報は、ＤＭＲＳ構成情報テーブルにおけるＤＭＲＳ指示情報（値）を使用することによって指示される。ＤＭＲＳ構成情報テーブルはＬＴＥと同様であり得る。例えば、ＤＭＲＳ指示情報は、ＬＴＥにおける、アンテナポートの数（Ａｎｔｅｎｎａ  ｐｏｒｔｓ）、スクランブル識別子（ｓｃｒａｍｂｌｉｎｇ  ｉｄｅｎｔｉｆｉｃａｔｉｏｎ）、および、伝送層の数の指示（ｎｕｍｂｅｒ  ｏｆ  ｌａｙｅｒｓ  ｉｎｄｉｃａｔｉｏｎ）である。ＤＭＲＳ構成情報テーブルは、ＤＭＲＳポート数、ポートインデックス、シーケンス生成情報、および、ＣＤＭタイプのうち少なくとも１つを更に含み得る。これに基づいて、伝送層の数の量子化値が追加される。ＤＭＲＳ構成情報テーブルは、送信端および受信端の両方において記憶され得る。送信端は、指示情報を受信端へ送信する。送信端は、ＬＴＥにおける元のＤＣＩシグナリングを受信端へ送信することを理解されたい（ＬＴＥにおけるシグナリングがまだ使用されるので、ＤＣＩシグナリングは、指示情報と名付けられないことがあり得るが、レートマッチングの解決手段を指示し得る）。受信端は、シグナリングに基づいて、受信端のポート情報、および、システムにおける伝送層の合計量子化数を取得して、２つの情報を参照して、別の受信端によって使用されるポートを計算する。言い換えれば、受信端は、受信端におけるＤＭＲＳ伝送のためにどのリソース単位が使用されるか、および、ＣＤＭ多重化を実装する他の受信端において、どのリソース単位がＤＭＲＳ伝送のために使用されるかを識別する。残りのリソースユニットは、受信端に関連するデータ伝送に使用される。したがって、受信端は、対応するリソース単位上でデータを復調する。
【００５３】
明示的なシグナリング指示の解決手段において、指示情報と、直交伝送層の数の量子化値との間の対応関係は、ＬＴＥにおけるＤＭＲＳ構成情報テーブルとは独立に存在する。言い換えれば、指示情報と、伝送層の数の量子化値との間の対応関係は、ＤＭＲＳ構成情報テーブルにおいて示唆されない。したがって、ＤＭＲＳ構成情報テーブルに加えて、送信端および受信端は更に、指示情報と、伝送層の数の量子化値との間の対応関係構成テーブルを別々に記憶する（または、情報テーブルは、ＲＲＣを通して構成され得る）。対応関係構成テーブルは、ＤＭＲＳ構成情報テーブルとは独立に存在する。送信端は、黙示的なシグナリングを通して、レート構成指示情報を受信端へ送信する。受信端は指示情報をインデックスとして使用し、対応関係構成テーブルにおいて、対応する伝送層の数の量子化値を検索する。受信端は、どのリソース単位が受信端のＤＭＲＳによって占有されるか、および、どのリソース単位が、ＣＤＭ多重化を実装する他の受信端のＤＭＲＳによって占有されるかを識別するために、伝送層の数の量子化値をＤＭＲＳ構成情報テーブルと組み合わせる。残りのリソースユニットは、受信端に関連するデータ伝送のために使用される。したがって、受信端は、対応するリソース単位上でデータを復調する。
【００５４】
同一の値を有する指示情報は、伝送層の異なる数の量子化値に対応し得ることに留意されたい。したがって、指示情報と、伝送層の数の量子化値との間の対応関係は、代替的に別個のシグナリングを通して指示され得る。
【００５５】
明示的な指示の解決手段において、伝送層の量子化数は、指示情報を使用することによって指示されることを理解されたい。受信端は、２つシグナリングを受信し、１つのシグナリングはＬＴＥにおけるＤＭＲＳ  ＤＣＩシグナリングであり、他のシグナリングは、伝送層の現在の量子化数を送信するために使用される（本明細書においてレートマッチングシグナリングとも称され得る）指示情報シグナリングである。
【００５６】
黙示的な指示の解決手段であるか、または、明示的な指示の解決手段であるかに関係なく、ＤＭＲＳ指示情報は、独立のシグナリングとして受信端へ送信され得る、または、例えば、ダウンリンク制御情報ＤＣＩを送信するためにダウンリンクシグナリングにおいて搬送され得ることを理解されたい。ここではこれに限定されない。
【００５７】
実装において、ＤＭＲＳ指示情報を送信するかどうかは、コードワード（ｃｏｄｅｗｏｒｄ）数に基づいて決定される。例えば、１コードワードの場合、ＤＭＲＳ指示情報を送信するためにシグナリングがトリガされるが、２コードワードの場合、シグナリングは送信されない。なぜなら、１コードワードの場合、ＳＵシナリオおよびＭＵシナリオがあり、一方、２コードワードの場合、ＳＵシナリオのみがあるからである。２コードワードに対応するＳＵ−ＭＩＭＯ（ｓｉｎｇｌｅ  ｕｓｅｒ  ｍｕｌｔｉｐｌｅ−ｉｎｐｕｔ  ｍｕｌｔｉｐｌｅ−ｏｕｔｐｕｔ、ＳＵ−ＭＩＭＯ）シナリオにおいて、送信端、例えば、基地局が、１つの受信端（端末）のみと通信するとき、端末の情報（ＲＳ、制御シグナリング、データまたは同様のもの）のみが時間周波数リソース上で伝送される。この場合、端末は、端末の情報（例えば、端末のポート、層の数、または同様のもの）に基づいて、端末のＤＭＲＳ  ＲＥの位置を直接知り、データ復号中にＲＥを回避することができる。したがって、ＳＵシナリオにはＤＭＲＳレートマッチングの問題が無い。
【００５８】
本願の実施形態の第２態様によれば、ＤＭＲＳレートマッチングの指示および受信方法が更に提供される。当該方法は、２‐ＰＤＣＣＨシナリオにおいて、非ＱＣＬグループにおける２つのＴＲＰが使用され、各ＴＲＰは、ＴＲＰによって使用されない、ＱＣＬグループのＤＭＲＳに対応するリソース単位をミュートし、次に、データを送信し、１つのＴＲＰは、１または複数のＱＣＬグループのＤＭＲＳを有し得て、この挙動はデフォルトのオペレーションであり得ること、または、１‐ＰＤＣＣＨシナリオにおいて、送信端は、ＤＭＲＳ指示情報を受信端へ送信する必要があり、ＤＭＲＳ指示情報は、送信端によって使用される１または複数のＱＣＬグループにおけるＤＭＲＳに対応するリソース単位を指示することを含む。
【００５９】
２‐ＰＤＣＣＨシナリオまたは１‐ＰＤＣＣＨシナリオにおいて、送信端はまた、２つの方式で受信端に通知する。
【００６０】
方式１：送信端は、ＤＭＲＳ指示情報を受信端へ送信する。ＤＭＲＳ指示情報は、２‐ＰＤＣＣＨシナリオにおいて、ＴＲＰによって使用され得るＤＭＲＳポートにおける伝送層の現在の量子化数を、または、１‐ＰＤＣＣＨシナリオにおいて、現在のシステムにおける協調するＴＲＰによって使用され得る層の合計数を指示する。
【００６１】
方式２：２‐ＰＤＣＣＨシナリオにおいて、異なるＤＭＲＳパターンについては、受信端は、ＤＭＲＳパターンに対応する、ＤＭＲＳ指示情報を含むＤＭＲＳ構成情報テーブルを使用してレートマッチングを実行し得る。ここで、ＤＭＲＳパターンは、ＴＲＰによって使用され得るＱＣＬグループにおけるＤＭＲＳポートを含むＤＭＲＳパターンであることに留意されたい。代替的に、１‐ＰＤＣＣＨシナリオにおいて、協調するＴＲＰは、複数のＱＣＬグループにおけるＤＭＲＳポートを含むＤＭＲＳパターンを使用し得る。
【００６２】
代替的に、複数のＤＭＲＳ構成情報テーブルは、一般情報テーブルであり得て、一般情報テーブルは、サポートされる最大ポート数をサポートし、複数のＤＭＲＳ構成情報テーブルは一般情報テーブルのサブセットであることに留意されたい。サブセットは、サポートされる最大ポート数、ＤＭＲＳパターン、または、上位層シグナリングに基づいて、一般情報テーブルから選択され得る。
【００６３】
ＤＭＲＳ指示情報がＤＭＲＳアンテナポートセット情報を指示する実装において、ＤＭＲＳアンテナポートセット情報は、現在のシステムにおいてスケジューリングされるＤＭＲＳ層の実際の数に基づいて、占有されているＤＭＲＳアンテナポートグループのステータスを指示する。例えば、ポートグループ１は、｛１、２、３、４｝であり、ポートグループ２は｛５、６、７、８｝である。基地局は、ＤＭＲＳポート番号の昇順でスケジューリングを実行すると想定する。スケジューリングされた層の数が４であるとき、ポートグループ１が占有されていることが指示される。スケジューリングされた層の数が４より大きいとき、ポートグループ１および２が占有されていることが指示される。これは例に過ぎず、ここでは、具体的なポート番号のグルーピング、および、基地局のスケジューリングは、限定されるものではない。
【００６４】
ＤＭＲＳ指示情報がＤＭＲＳアンテナポートの符号分割多重化ＣＤＭグループ情報を指示する実装において、符号分割多重化ＣＤＭグループ情報は、受信端によって使用されない、ＤＭＲＳアンテナポートのＣＤＭポートグループ情報、または、受信端によって使用されるＤＭＲＳアンテナポートグループ情報と、受信端によって使用されないＤＭＲＳアンテナポートグループ情報との和を含む。
【００６５】
受信端によって使用されないＤＭＲＳ  ＣＤＭポートグループ情報は、以下の状態のうちの少なくとも１つを含み得る。
【００６６】
１．全部のＤＭＲＳ  ＲＥ位置上でデータを伝送することができる（ＳＵ）。
【００６７】
２．全部のＤＭＲＳ  ＲＥ位置が占有される（ＭＵ）。この場合は、受信端が１つ（または２つ）のＤＭＲＳポートＣＤＭグループを使用し、他の２つ（または１つ）のＣＤＭグループが占有されること、または、受信端が２個のＤＭＲＳポートＣＤＭグループを使用し、別の１つのＣＤＭグループが占有されることを含む。
【００６８】
３．受信端でない２つのポートグループのうち、より大きい方がミュートされる（ＭＵ、ここで、ＵＥは１つのポートグループを使用する）。
【００６９】
４．受信端でない２つのポートグループのうち、より小さい方がミュートされる（ＭＵ、ここで、ＵＥは１つのポートグループを使用する）。
【００７０】
「より大きい」および「より小さい」は、２つのＣＤＭポートグループにおける、最大または最小のポート番号の間の比較として定義され得る（言い換えれば、ＵＥでないＤＭＲＳポートグループ間の相対的関係）ことを理解されたい。
【００７１】
具体的な実装において、状態３および４については、「より大きい」および「より小さい」の間の比較は存在しないことがあり得る。例えば、ＤＭＲＳ  ＣＤＭポートグループ情報は、ポートグループに含まれるポート番号、または、ポートグループの番号であり得る。
【００７２】
受信端によって使用されないＤＭＲＳ  ＣＤＭポートグループ情報は、ＤＭＲＳタイプ（ＤＭＲＳ構成／タイプ１／Ａまたは２／Ｂ）にバインドされ得る、または、パターンに含まれるＣＤＭグループの数（２または３）にバインドされ得る。
【００７３】
受信端によって使用されないＤＭＲＳポートグループステータスを指示するこの方式により、指示オーバーヘッドを更に低減できる。加えて、この方式により更に、複数のシナリオをサポートでき、より良い汎用性を有する。例えば、１‐ＰＤＣＣＨ  ＮＣ−ＪＴ、動的ＴＤＤ、２‐ＰＤＣＣＨ  ＮＣ−ＪＴが直接サポートされ得て、既存の命令は変化が少ない。
【００７４】
別の態様によれば、本願の実施形態は送信端を提供する。送信端は、複数のグループの復調参照信号（ＤＭＲＳ）構成情報から、現在のＤＭＲＳ伝送方式に対応するＤＭＲＳ構成情報を決定し、ＤＭＲＳ構成情報に基づいてＤＭＲＳ指示情報を取得するためのプロセッサであって、ＤＭＲＳ構成情報のグループの各々は、複数のＤＭＲＳ構成情報を含む、プロセッサと、ＤＭＲＳ指示情報を送信するための送受信機とを備える。
【００７５】
別の態様によれば、本願の実施形態は送信端を提供し、当該送信端は、復調参照信号（ＤＭＲＳ）指示情報を生成するためのプロセッサであって、ＤＭＲＳ指示情報は、サポートされる最大ポート数、ＤＭＲＳパターン、または、ＤＭＲＳ構成タイプに対応する、プロセッサと、ＤＭＲＳ指示情報を送信するための送受信機とを備える。
【００７６】
別の態様によれば、本願は受信端を提供し、受信端は、送信端によって送信された復調参照信号（ＤＭＲＳ）指示情報を受信するための送受信機であって、ＤＭＲＳ指示情報は、送信端によって、復調参照信号（ＤＭＲＳ）構成情報に基づいて取得され、ＤＭＲＳ構成情報は、送信端によって、現在のＤＭＲＳ伝送方式に基づいて、複数のグループのＤＭＲＳ構成情報から決定され、ＤＭＲＳ構成情報のグループの各々は複数のＤＭＲＳ構成情報を含む、送受信機と、ＤＭＲＳ構成情報を取得し、送受信機によって受信されたＤＭＲＳ指示情報に基づいて、データの復調を補助するよう構成されるプロセッサとを備える。
【００７７】
更に別の態様によれば、本願は別の送信端を提供し、当該送信端は、復調参照信号（ＤＭＲＳ）指示情報を生成するためのプロセッサであって、ＤＭＲＳ指示情報は、ＤＭＲＳの搬送に利用可能なリソースにおける、ＤＭＲＳによって占有されないリソースを指示するために使用される、プロセッサと、ＤＭＲＳ指示情報を送信するための送受信機とを含む。
【００７８】
更に別の態様によれば、本願は、別の受信端を提供し、当該別の受信端は、復調参照信号（ＤＭＲＳ）指示情報を受信するよう構成される送受信機であって、ＤＭＲＳ指示情報は、ＤＭＲＳの搬送に利用可能なリソースにおける、ＤＭＲＳによって占有されないリソースを指示するために使用される、送受信機と、ＤＭＲＳ指示情報に基づいて、ＤＭＲＳによって占有されないリソース上でデータを復調するよう構成されるプロセッサとを備える。
【００７９】
アップリンク伝送シナリオに適用されるとき、上述の機器は端末であり得る。ダウンリンク伝送シナリオに適用されるとき、機器はネットワーク側デバイスであり得る。ネットワーク側デバイスは、基地局または制御ノードであり得る。
【００８０】
ネットワーク側デバイスは、従来の無線遠距離通信システムにおけるピアデバイスを改善するためのシステムおよびデバイスを含み得る。そのような高級または次世代デバイスは、進化型無線通信規格（例えば、ロングタームエボリューション（ＬＴＥ））に含まれ得る。
【００８１】
別の態様によれば、本願の実施形態は基地局を提供する。基地局は、上述の方法設計における基地局の挙動を実装する機能を有する。上記機能は、ハードウェアにより実装され得るか、または対応するソフトウェアを実行するハードウェアにより実装され得る。ハードウェアまたはソフトウェアは、上述の機能に対応する１または複数のモジュールを含む。
【００８２】
可能な設計において、基地局の構造は、プロセッサおよび送受信機を含む。プロセッサは、上述した方法における対応する機能の実行において基地局をサポートするよう構成される。送受信機は、端末との通信において基地局をサポートし、上述した方法で情報またはシグナリングを端末へ送信し、基地局によって送信された情報または命令を受信するよう構成される。基地局はメモリを更に含み得る。メモリは、プロセッサに結合されるよう構成される。メモリは、基地局に必要なプログラム命令およびデータを記憶する。
【００８３】
アップリンク伝送シナリオに適用されるとき、上述の機器はネットワークデバイスであり得る。ダウンリンク伝送シナリオに適用されるとき、機器は端末であり得る。端末は、上述の方法設計における端末の挙動を実装する機能を有する。機能は、ハードウェアによって実装され得て、端末の構造は、送受信機およびプロセッサを含む。代替的に、機能は、対応するソフトウェアを実行するハードウェアによって実装され得る。ハードウェアまたはソフトウェアは、上述の機能に対応する１または複数のモジュールを含む。モジュールはソフトウェアおよび／またはハードウェアであり得る。
【００８４】
更に別の態様によれば、本願の実施形態は更に、プロセッサおよびインタフェースを含む処理機器を提供する。
【００８５】
プロセッサは、上述の送信端、または、上述の受信端のプロセッサである。
【００８６】
処理機器はチップであり得る。プロセッサはハードウェアまたはソフトウェアによって実装され得る。ハードウェアによって実装されるとき、プロセッサは論理回路、集積回路または同様のものであり得る。ソフトウェアによって実装されるとき、プロセッサは汎用プロセッサであり得て、メモリに記憶されたソフトウェアコードを読み出すことによって実装され得る。メモリは、プロセッサに統合され得る、または、プロセッサとは独立に存在し得る。
【００８７】
更に別の態様によれば、本願の実施形態は通信システムを提供する。システムは、上述の態様における基地局および端末を含み、任意選択で、上述の実施形態における制御ノードを更に含み得る。
【００８８】
更に別の態様によれば、本願の実施形態は、上述の基地局によって使用されるコンピュータソフトウェア命令を記憶するよう構成されるコンピュータ記憶媒体を提供する。コンピュータ記憶媒体は、上述の態様を実行するために設計されたプログラムを含む。
【００８９】
更に別の態様によれば、本願の実施形態は、上述の端末によって使用されるコンピュータソフトウェア命令を記憶するよう構成されたコンピュータ記憶媒体を提供する。コンピュータ記憶媒体は上述の態様を実行するために設計されたプログラムを含む。
【００９０】
本願において提供される復調参照信号を送信する方法および機器、ならびに、復調参照信号を取得する方法および機器によれば、複数のＤＭＲＳ構成情報は、より多くの層のデータを送信するための要件を満たすために、ＮＲにおける複数のシナリオとマッチングされ得る。加えて、複数の情報テーブルは切り替えをサポートする。これにより、指示オーバーヘッドを更に低減できる。
【００９１】
本発明の実施形態の別の態様によれば、データ送信方法が提供される。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは、少なくとも２つの送信端デバイスに割り当てられ、各送信端デバイスに割り当てられたＤＭＲＳポートは、同一のポートグループに属する。方法は以下の設計を含む。
【００９２】
可能な設計において、各送信端デバイスは、送信端デバイスに割り当てられたＤＭＲＳポートに対応するデータストリームにコードワードをマッピングし、各送信端デバイスは、送信端デバイスに割り当てられたＤＭＲＳポートに対応するデータストリームを受信端デバイスへ送信する。
【００９３】
可能な設計において、少なくとも２つの送信端デバイスは、同一の送信端デバイスの少なくとも２つのアンテナパネルであり、各送信端デバイスが、送信端デバイスに割り当てられたＤＭＲＳポートに対応するデータストリームにコードワードをマッピングすることは、具体的には、同一の送信端デバイスが、各アンテナパネルについて、アンテナパネルに割り当てられたＤＭＲＳポートに対応するデータストリームにコードワードをマッピングし、各送信端デバイスが、送信端デバイスに割り当てられたＤＭＲＳポートに対応するデータストリームを受信端デバイスへ送信することは、具体的には、各アンテナパネルが、アンテナパネルに割り当てられたＤＭＲＳポートに対応するデータストリームを受信端デバイスへ送信することである。
【００９４】
可能な設計において、各送信端デバイスが、送信端デバイスに割り当てられたＤＭＲＳポートに対応するデータストリームにコードワードをマッピングする前に、方法は更に、少なくとも２つの送信端デバイスのうちの１つが、指示情報を受信端デバイスへ送信する段階であって、指示情報は、受信端デバイスに割り当てられた複数のＤＭＲＳポートを指示するために使用される、段階を備える。
【００９５】
可能な設計において、各送信端デバイスが、送信端デバイスに割り当てられたＤＭＲＳポートに対応するデータストリームにコードワードをマッピングする前に、方法は更に、同一の送信端デバイスが、指示情報を受信端デバイスへ送信する段階であって、指示情報は、受信端デバイスに割り当てられた複数のＤＭＲＳポートを指示するために使用される、段階を備える。
【００９６】
本発明の本実施形態の様々な態様および可能な設計において、複数のデータストリームの数（言い換えれば、複数のＤＭＲＳポートの数）は、４以下であるが、これに限定されないことがあり得る。例えば、本発明の本実施形態において提供される技術的解決手段は、データストリームの数が４以下であるシナリオに適用され得るが、データストリームの数が４より大きいシナリオには適用されない。更に、データストリームの数が４以下であるシナリオにおいて、本発明の本実施形態において提供される技術的解決手段は、データストリームの数が３および／または４である（言い換えれば、複数のデータストリームの数は３および／または４である）シナリオに適用され得るが、複数のデータストリームの数は４であるシナリオに適用されない。当然、本発明の本実施形態において提供される技術的解決手段は、上述のシナリオに限定されないことがあり得る。
【００９７】
本発明の実施形態の第２態様によれば、データを受信する方法が提供される。方法は、複数のＤＭＲＳポートを通して複数のデータストリームを受信する段階であって、複数のＤＭＲＳポートは少なくとも２つのポートグループに属し、各ポートグループにおけるＤＭＲＳポートは、疑似コロケーションＱＣＬ関係を満たし、各ポートグループにおける任意のＤＭＲＳポート、および、任意の他のポートグループにおける任意のＤＭＲＳポートは非疑似コロケーション非ＱＣＬ関係を満たす、段階と、受信端デバイスが、少なくとも２つのポートグループの各々について、複数のＤＭＲＳポートにおける、ポートグループ中のＤＭＲＳポートに対応するデータストリームに基づいてコードワードを復元する段階とを備える。
【００９８】
可能な設計において、複数のデータストリームを受信する前に、方法は更に、指示情報を受信する段階であって、指示情報は複数のＤＭＲＳポートを指示するために使用される、段階を備える。
【００９９】
可能な設計において、複数のデータストリームの数（言い換えれば、複数のＤＭＲＳポートの数）は、４以下であるが、これに限定されないことがあり得る。例えば、本発明の本実施形態において提供される技術的解決手段は、データストリームの数が４以下であるシナリオに適用され得るが、データストリームの数が４より大きいシナリオには適用されない。更に、データストリームの数が４以下であるシナリオにおいて、本発明の本実施形態において提供される技術的解決手段は、データストリームの数が３および／または４である（言い換えれば、複数のデータストリームの数は３および／または４である）シナリオに適用され得るが、複数のデータストリームの数は４であるシナリオに適用されない。当然、本発明の本実施形態において提供される技術的解決手段は、上述のシナリオに限定されないことがあり得る。
【０１００】
本発明の実施形態の第３態様によれば、データを受信する方法が提供される。方法は、複数のＤＭＲＳポートを通して複数のデータストリームを受信する段階であって、複数のＤＭＲＳポートは同一のポートグループに属し、ポートグループにおけるＤＭＲＳポートは疑似コロケーションＱＣＬ関係を満たす、段階と、複数のデータストリームに基づいてコードワードを復元する段階とを備える。
【０１０１】
可能な設計において、複数のデータストリームを受信する前に、方法は更に、指示情報を受信する段階であって、指示情報は複数のＤＭＲＳポートを指示するために使用される、段階を備える。
【０１０２】
可能な設計において、複数のデータストリームの数は４以下である。
【０１０３】
上述の様々な態様および可能な設計において、指示情報はダウンリンク制御情報ＤＣＩである。
【０１０４】
データストリームはデータ層とも称される。
【０１０５】
本発明の実施形態の第４態様によれば、送信端デバイスが提供される。送信端デバイスは、複数の復調参照信号（ＤＭＲＳ）ポートを通して、少なくとも１つの他の送信端デバイスと共に、複数のデータストリームを受信端デバイスへ送信するよう構成され、複数のＤＭＲＳポートは、少なくとも２つのポートグループに属し、各ポートグループにおけるＤＭＲＳポートは、疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは、送信端デバイス、および、少なくとも１つの他の送信端デバイスに割り当てられ、送信端デバイス、および、少なくとも１つの他の送信端デバイスの各々に割り当てられているＤＭＲＳポートは、同一のポートグループに属する。送信端デバイスは、送信端デバイスに割り当てられたＤＭＲＳポートに対応するデータストリームにコードワードをマッピングするよう構成されるマッピングモジュールと、送信端デバイスに割り当てられるＤＭＲＳポートに対応するデータストリームを受信端デバイスへ送信するよう構成される送信モジュールとを備える。
【０１０６】
可能な設計において、送信端デバイスおよび少なくとも１つの他の送信端デバイスは、同一の送信端デバイスの少なくとも２つのアンテナパネルであり、マッピングモジュールは、同一の送信端デバイスに配置され、マッピングモジュールは具体的には、各アンテナパネルについて、アンテナパネルに割り当てられているＤＭＲＳポートに対応するデータストリームにコードワードをマッピングするよう構成され、送信モジュールは、同一の送信端デバイスに配置され、送信モジュールは具体的には、各アンテナパネルによって、アンテナパネルに割り当てられているＤＭＲＳポートに対応するデータストリームを受信端デバイスへ送信するよう構成される。
【０１０７】
可能な設計において、送信モジュールは更に、指示情報を受信端デバイスへ送信するよう構成され、指示情報は、受信端デバイスに割り当てられている複数のＤＭＲＳポートを指示するために使用される。
【０１０８】
可能な設計において、複数のデータストリームの数は４以下である。
【０１０９】
本発明の実施形態の第５態様によれば、受信端デバイスが提供される。受信端デバイスは、複数のＤＭＲＳポートを通して複数のデータストリームを受信するよう構成される受信モジュールであって、複数のＤＭＲＳポートは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす、受信モジュールと、少なくとも２つのポートグループの各々について、複数のＤＭＲＳポートにおける、ポートグループ中のＤＭＲＳポートに対応するデータストリームに基づいてコードワードを復元するよう構成される復元モジュールとを備える。
【０１１０】
可能な設計において、受信モジュールは、指示情報を受信するよう更に構成され、指示情報は、複数のＤＭＲＳポートを指示するために使用される。
【０１１１】
可能な設計において、複数のデータストリームの数は４以下である。
【０１１２】
本発明の実施形態の第６態様によれば、受信端デバイスが提供される。受信端デバイスは、複数のＤＭＲＳポートを通して複数のデータストリームを受信するよう構成される受信モジュールであって、複数のＤＭＲＳポートは同一のポートグループに属し、ポートグループにおけるＤＭＲＳポートは疑似コロケーションＱＣＬ関係を満たす、受信モジュールと、複数のデータストリームに基づいてコードワードを復元するよう構成される復元モジュールとを備える。
【０１１３】
可能な設計において、受信モジュールは更に、指示情報を受信するよう構成され、指示情報は、複数のＤＭＲＳポートを指示するために使用される。
【０１１４】
可能な設計において、複数のデータストリームの数は４以下である。
【０１１５】
本発明の本実施形態の上述の様々な態様および設計において、指示情報はダウンリンク制御情報ＤＣＩであり得る。
【０１１６】
本発明の実施形態の第７態様によれば、データを送信する方法が提供される。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは同一の送信端デバイスに割り当てられる。各ポートグループについて、方法は、送信端デバイスが、複数のＤＭＲＳポートにおける、ポートグループ中のＤＭＲＳポートに対応するデータストリームにコードワードをマッピングする段階と、送信端デバイスが、データストリームを受信端デバイスへ送信する段階とを備える。
【０１１７】
可能な設計において、方法は、送信端デバイスが、指示情報を受信端デバイスへ送信する段階を更に備え、指示情報は、受信端デバイスに割り当てられた複数のＤＭＲＳポートを指示するために使用される。
【０１１８】
可能な設計において、複数のデータストリームの数は４以下である。
【０１１９】
本発明の実施形態の第８態様によれば、送信端デバイスが提供される。送信端デバイスは、複数の復調参照信号（ＤＭＲＳ）ポートを通して複数のデータストリームを受信端デバイスへ送信するよう構成され、複数のＤＭＲＳポートは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは送信端デバイスに割り当てられる。送信端デバイスは、各ポートグループについて、複数のＤＭＲＳポートにおける、ポートグループ中のＤＭＲＳポートに対応するデータストリームにコードワードをマッピングするよう構成されるマッピングモジュールと、データストリームを受信端デバイスへ送信するよう構成される送信モジュールとを備える。
【０１２０】
可能な設計において、方法は更に、送信モジュールが指示情報を受信端デバイスへ送信するよう更に構成されることを含み、指示情報は、受信端デバイスに割り当てられた複数のＤＭＲＳポートを指示するために使用される。
【０１２１】
可能な設計において、複数のデータストリームの数は４以下である。
【０１２２】
つまり、本発明の実施形態は、データ送信方法を提供する。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。各ポートグループについて、方法は、複数のＤＭＲＳポートにおける、ポートグループ中のＤＭＲＳポートに対応するデータストリームにコードワードをマッピングする段階と、データストリームを受信端デバイスへ送信する段階とを備える。
【０１２３】
可能な設計において、方法は更に、指示情報を受信端デバイスへ送信する段階を備え、指示情報は、受信端デバイスに割り当てられた複数のＤＭＲＳポートを指示するために使用される。
【０１２４】
可能な設計において、複数のデータストリームの数は４以下である。
【０１２５】
可能な設計において、複数のＤＭＲＳポートは同一の送信端デバイスに割り当てられ得る、または、同一の送信端デバイス複数のアンテナパネルに割り当てられ得て、各アンテナパネルに割り当てられるＤＭＲＳポートは同一のポートグループに属する、または、（例えば、ＣｏＭＰ（Ｃｏｏｒｄｉｎａｔｅｄ  Ｍｕｌｔｉ−Ｐｏｉｎｔ、協調マルチポイント）関連技術に基づいて）同一の受信端デバイスにサービスを提供する複数の送信端デバイスに割り当てられ得て、各送信端デバイスに割り当てられているＤＭＲＳポートは同一のポートグループに属する。加えて、ＤＭＲＳポートは代替的に、例えば、限定されるものではないが、上述の複数の方式の様々な実行可能な組み合わせなど、別の方式で１または複数の送信端デバイスに割り当てられ得る。
【０１２６】
同様に、本発明の実施形態は更に、データを受信する方法を提供し、当該方法は、複数のＤＭＲＳポートを通して複数のデータストリームを受信する段階であって、複数のＤＭＲＳポートは同一のポートグループまたは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは非疑似コロケーション非ＱＣＬ関係を満たす、段階と、受信端デバイスが、同一のポートグループ、または、少なくとも２つのポートグループの各々について、複数のＤＭＲＳポートにおける、ポートグループ中のＤＭＲＳポートに対応するデータストリームに基づいてコードワードを復元する段階とを備える。
【０１２７】
可能な設計において、複数のデータストリームを受信する前に、方法は更に、指示情報を受信する段階であって、指示情報は複数のＤＭＲＳポートを指示するために使用される、段階を備える。
【０１２８】
複数のデータストリームの数は４以下である。
【０１２９】
受信端デバイスの側において、受信端デバイスは、複数のＤＭＲＳポートが、同一の送信端デバイスに由来するものか、同一の送信端デバイスの複数のアンテナパネルに由来するものか、または、複数の送信端デバイスに由来するものかについて配慮する必要ないことがあり得ることが容易に理解される。
【０１３０】
ＱＣＬ（Ｑｕａｓｉ−Ｃｏ−Ｌｏｃａｔｉｏｎ、疑似コロケーション）は通常、同様の大規模フェージング、同様の空間的方向（例えば、限定されるものではないが、ビーム方向）および同様のものを説明するために使用される。したがって、非疑似コロケーション（Ｎｏｎ−Ｑｕａｓｉ−Ｃｏ−Ｌｏｃａｔｉｏｎ、Ｎｏｎ−ＱＣＬ）は通常、異なる大規模フェージング、異なる空間方向、および同様のものを説明するために使用される。ＱＣＬおよび非ＱＣＬの関連内容は従来技術において明確に説明されている。したがって、ここでは説明しない。
【０１３１】
実際の伝送中、情報ビット（ｂｉｔ）は通常、トランスポートブロック（Ｔｒａｎｓｐｏｒｔ  Ｂｌｏｃｋ、ＴＢ）の形で区分され、トランスポートブロックはコードワード（ｃｏｄｅｗｏｒｄ、ＣＷ）であり得る。ＴＢおよびＣＷに関連する内容については従来技術を参照されたい。
【０１３２】
通常、システムによってサポートされるＤＭＲＳポートは複数のポートグループにグルーピングされ得て、各ポートグループにおけるＤＭＲＳポートはＱＣＬ関係を満たし、各ポートグループにおける任意のＤＭＲＳポート、および、任意の他のポートグループにおける任意のＤＭＲＳポートは、非ＱＣＬ関係を満たす。複数の送信端デバイスが同一の受信端デバイスにサービスを提供するとき、各送信端デバイスに割り当てられるＤＭＲＳポートは同一のポートグループに由来する。例えば、ＤＭＲＳポート０から９は２つのポートグループ、すなわち、ポートグループ１およびポートグループ２にグルーピングされ得て、ＤＭＲＳポート０から４はポートグループ１に属し、ＤＭＲＳポート５から９はポートグループ２に属する。ＤＭＲＳポートが送信端デバイスに割り当てられているとき、ポートグループ１における任意の数のＤＭＲＳポートは送信端デバイスに割り当てられ得る、または、ポートグループ２における任意の数のＤＭＲＳポートが送信端デバイスに割り当てられ得る。加えて、受信端デバイスが、複数の送信端デバイスによってサービスを提供されるか、または、単一の送信端デバイスによってサービスを提供されるかに関係なく、同一の送信端デバイスに割り当てられるＤＭＲＳポートは、同一のポートグループまたは異なるポートグループに由来し得る。例えば、ＤＭＲＳポートが同一のポートグループに由来するとき、ポートグループ１におけるポート１およびポート２は送信端デバイスに割り当てられ得る。ＤＭＲＳポートが異なるポートグループに由来するとき、ポートグループ１におけるポート２および３、ならびに、ポートグループ２におけるポート８および９は送信端デバイスに割り当てられ得る。同一の送信端デバイスに割り当てられるＤＭＲＳポートが異なるポートグループに由来するとき、異なるポートグループにおけるＤＭＲＳポートを通して送信端デバイスによって実行される無線伝送は、非ＱＣＬの特徴を有し、例えば、異なる大規模フェージング、異なる空間方向または同様のものを有することが容易に理解される。同一の送信端デバイスに割り当てられるＤＭＲＳポートが同一のポートグループに由来するとき、同一のポートグループにおけるＤＭＲＳポートを通して送信端デバイスによって実行される無線伝送は、ＱＣＬの特徴を有し、例えば、同様の大規模フェージング、同様の空間的方向または同様のものを有する。
【０１３３】
ＤＭＲＳポートを複数のポートグループにグルーピングすることの関連内容については、従来技術を参照されたい。例えば、ＤＭＲＳポートのグルーピングステータスは、納入前に送信端デバイスおよび受信端デバイスにおいて予め設定され得る、または、送信端デバイスは、ＤＭＲＳポートのグルーピングステータスを受信端デバイスに通知し得る。例えば、送信端デバイスは、例えば、これらに限定されるものではないが、定期的に、または、受信端デバイスが通信ネットワークにアクセスするときに、ＲＲＣ（Ｒａｄｉｏ  Ｒｅｓｏｕｒｃｅ  Ｃｏｎｔｒｏｌ、無線リソース制御）メッセージを使用することによって、グルーピングステータスを受信端デバイスに通知するが、これに限定されるものではない。ＤＭＲＳポートが複数のポートグループにグルーピングされるとき、ＤＭＲＳポートは、グルーピングステータスおよび具体的な要件（例えば、ＣｏＭＰなどの様々な適用シナリオ）に基づいて送信端デバイスに割り当てられ得る。
【０１３４】
複数の送信端デバイスは、複数の送信端デバイスであり得る、または、同一の送信端デバイスの複数のアンテナパネルであり得る。送信端デバイスは、例えば、これに限定されるものではないが、基地局であり得る。受信端デバイスは、例えば、これに限定されるものではないが、端末であり得る。
【０１３５】
コードワードをデータストリームにマッピングするプロセス、および、コードワードをデータストリームから復元するプロセスについては、従来技術を参照されたい。
【０１３６】
複数の送信端デバイスが同一の受信端デバイスにサービスを提供するとき、指示情報は、複数の送信端デバイスの１つによって送信され得る。この場合、指示情報を送信する送信端デバイスは、サービングデバイスと称され得て、他の送信端デバイスは、協調デバイスと称され得る。
【０１３７】
データストリームは、データ層とも称され得て、通常、コードワードに対して層マッピングを実行することによって取得され得る。具体的なプロセスについては、従来技術を参照されたい。
【０１３８】
上述した方法における段階は、１または複数のプロセッサによって実行され得る、または、プログラムを実行する１または複数のプロセッサによって実行され得る。
【０１３９】
送信端デバイスおよび受信端デバイスのモジュールの機能は１または複数のプロセッサによって実行され得る、または、プログラムを実行する１または複数のプロセッサによって実行され得る。
【図面の簡単な説明】
【０１４０】
本願の実施形態における技術的解決手段をより明確に説明するべく、実施形態の説明に必要な添付図面を以下で簡潔に説明する。当然、以下の説明における添付図面は、単に本願の一部の実施形態を示すものであり、当業者であれば、創造的努力なく、これらの添付図面から他の図面を導出し得る。
【０１４１】
【図１】従来技術におけるパイロットパターンの概略図である。
【０１４２】
【図２】本願の実施形態に係るリソース単位の概略図である。
【０１４３】
【図３】本願の実施形態において提供される技術的解決手段が適用可能であるシステムアーキテクチャの概略図である。
【０１４４】
【図４】本願の実施形態に係る基地局の概略構造図である。
【０１４５】
【図５】本願の実施形態に係る端末の概略構造図である。
【０１４６】
【図６】本願の実施形態に係る、ＤＭＲＳを指示および受信する方法の概略相互作用図である。
【０１４７】
【図７】本願の実施形態に係るＤＭＲＳパターンの概略図である。
【０１４８】
【図８】本願の実施形態に係る別のＤＭＲＳパターンの概略図である。
【０１４９】
【図９】本願の実施形態に係る別のＤＭＲＳパターンの概略図である。
【０１５０】
【図１０】本願の実施形態に係る別のＤＭＲＳパターンの概略図である。
【０１５１】
【図１１】本願の実施形態に係る別のＤＭＲＳパターンの概略図である。
【０１５２】
【図１２】本願の実施形態に係る別のＤＭＲＳパターンの概略図である。
【０１５３】
【図１３】本願の実施形態に係る別のＤＭＲＳパターンの概略図である。
【０１５４】
【図１４】本願の実施形態に係る別のＤＭＲＳパターンの概略図である。
【０１５５】
【図１５】本願の実施形態に係る別のＤＭＲＳパターンの概略図である。
【０１５６】
【図１６】本願の実施形態に係る別のＤＭＲＳパターンの概略図である。
【０１５７】
【図１７】本願の実施形態に係る別のＤＭＲＳパターンの概略図である。
【０１５８】
【図１８】本願の実施形態に係る別のＤＭＲＳパターンの概略図である。
【０１５９】
【図１９】本願の実施形態に係る別のＤＭＲＳパターンの概略図である。
【０１６０】
【図２０】ＬＴＥシステムにおけるＭＵ‐ＭＩＭＯシナリオの概略図である。
【０１６１】
【図２１】本願の実施形態に係る、ＤＭＲＳを指示および受信する方法の別の概略相互作用フローチャートである。
【０１６２】
【図２２】本願の実施形態に係る、ＤＭＲＳを指示および受信する方法の概略的シナリオ図である。
【０１６３】
【図２３】本願の実施形態に係る、ＤＭＲＳを指示および受信する方法における指示情報とパターンとの間の対応関係の概略図である。
【０１６４】
【図２４】本願の実施形態に係る、ＤＭＲＳを指示および受信する方法の別の概略的シナリオ図である。
【０１６５】
【図２５】本願の実施形態に係る、ＤＭＲＳを指示および受信する方法における指示情報とパターンとの間の対応関係の別の概略図である。
【０１６６】
【図２６】本願の実施形態に係る、ＤＭＲＳを指示および受信する方法の別の概略的シナリオ図である。
【０１６７】
【図２７】本願の実施形態に係る、ＤＭＲＳを指示および受信する方法における指示情報とパターンとの間の対応関係の別の概略図である。
【０１６８】
【図２８】本願の実施形態に係る、ＤＭＲＳを指示および受信する方法の別の概略的シナリオ図である。
【０１６９】
【図２９】本願の実施形態に係る、ＤＭＲＳを指示および受信する方法における指示情報とパターンとの間の対応関係の別の概略図である。
【０１７０】
【図３０】本願の実施形態に係るにおける、ＤＭＲＳを指示および受信する方法における指示情報とパターンとの間の対応関係の別の概略図である。
【０１７１】
【図３１】本願の実施形態に係る、ＤＭＲＳを指示および受信する方法における指示情報とパターンとの間の対応関係の別の概略図である。
【０１７２】
【図３２】本願の実施形態に係る、ＤＭＲＳを指示および受信する方法における指示情報とパターンとの間の対応関係の別の概略図である。
【０１７３】
【図３３】本願の実施形態に係る、ＤＭＲＳを指示および受信する方法における指示情報とパターンとの間の対応関係の別の概略図である。
【０１７４】
【図３４】本願の実施形態に係る、ＤＭＲＳを指示および受信する方法における指示情報とパターンとの間の対応関係の別の概略図である。
【０１７５】
【図３５】本願の実施形態に係る、ＤＭＲＳを指示および受信する方法の別の概略アプリケーションシナリオ図である。
【０１７６】
【図３６】本願の実施形態に係る、ＤＭＲＳを指示および受信する方法における指示情報とパターンとの間の対応関係の別の概略図である。
【０１７７】
【図３７】本願の実施形態に係る、ＤＭＲＳを指示および受信する方法における指示情報とパターンとの間の対応関係の別の概略図である。
【０１７８】
【図３８】本願の実施形態に係る、ＤＭＲＳを指示および受信する方法の概略的シナリオ図である。
【０１７９】
【図３９】本願の実施形態に係る、ＤＭＲＳを指示および受信する方法における指示情報とパターンとの間の対応関係の別の概略図である。
【０１８０】
【図４０】本願の実施形態に係る、ＤＭＲＳを指示および受信する方法における指示情報とパターンとの間の対応関係の別の概略図である。
【０１８１】
【図４１】本願の実施形態に係る送信端の概略的ブロック図である。
【０１８２】
【図４２】本願の実施形態に係る受信端の概略的ブロック図である。
【０１８３】
【図４３】本願の実施形態に係る送信端または受信端の概略図である。
【発明を実施するための形態】
【０１８４】
まず、読み手が容易に理解できるように、本明細書における関連する用語を簡潔に説明する。
【０１８５】
（１）リソース単位（ｒｅｓｏｕｒｃｅ  ｕｎｉｔ）
【０１８６】
ＬＴＥ規格におけるＲＢおよびＲＢペア（ＲＢ  ｐａｉｒ）と同様に、本願の一部の実施形態において、リソース単位が提供される。リソース単位は、端末をスケジューリングしてリソースを割り当てるための基本ユニットとして使用され得る、または、複数の参照信号を配置する方式を説明するために使用され得る。
【０１８７】
リソース単位は、周波数領域における複数の連続するサブキャリア、および、時間領域における時間間隔（ｔｉｍｅ  ｉｎｔｅｒｖａｌ、ＴＩ）を含み得る。異なるスケジューリングプロセスにおいて、リソース単位のサイズは同一であり得る、または、異なり得る。ここでは、ＴＩは、ＬＴＥシステムにおける伝送時間間隔（ｔｒａｎｓｍｉｓｓｉｏｎ  ｔｉｍｅ  ｉｎｔｅｒｖａｌ、ＴＴＩ）、シンボルレベルの短いＴＴＩ、高周波数システムにおける大きいサブキャリア間隔の短いＴＴＩ、５Ｇシステムにおけるスロットまたはミニスロット（ｍｉｎｉ−ｓｌｏｔ）、または同様のものであり得る。このことは、本願において限定されるものではない。
【０１８８】
任意選択で、１つのリソース単位は、１または複数のＲＢ、１または複数のＲＢペア、または同様のものを含み得る、または、半分のＲＢまたは同様のものを含み得る。加えて、リソース単位は、別の時間周波数リソースであり得る。このことは、本願において限定されるものではない。１つのＲＢペアは、周波数領域における１２個の連続するサブキャリア、および、時間領域におけるサブフレームを含む。周波数領域における１個のサブキャリア、および、時間領域における１個のシンボルを含む時間周波数リソースは、図２に示されるように、リソース要素（ｒｅｓｏｕｒｃｅ  ｅｌｅｍｅｎｔ、ＲＥ）である。図２におけるＲＢペアは、周波数領域における（０から１１の番号が付与された）１２個の連続するサブキャリア、および、時間領域における（０から１３の番号が付与された）１４個のシンボルを含む。図２において、水平座標は時間領域を指示し、鉛直座標は周波数領域を指示する。本願における時間領域リソースを指示する全部の添付図面は、図２に示されるＲＢペアの例に基づいて説明されていることに留意されたい。当業者であれば、具体的な実装がこれに限定されるものではないことを理解し得る。本願における「シンボル」は、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル、ユニバーサルフィルタードマルチキャリア（ｕｎｉｖｅｒｓａｌ  ｆｉｌｔｅｒｅｄ  ｍｕｌｔｉ−ｃａｒｒｉｅｒ、ＵＦＭＣ）信号、フィルタバンドマルチキャリア（ｆｉｌｔｅｒ−ｂａｎｄ  ｍｕｌｔｉ−ｃａｒｒｉｅｒ、ＦＢＭＣ）シンボル、一般化周波数分割多重化（ｇｅｎｅｒａｌｉｚｅｄ  ｆｒｅｑｕｅｎｃｙ−ｄｉｖｉｓｉｏｎ  ｍｕｌｔｉｐｌｅｘｉｎｇ、ＧＦＤＭ）シンボルなどのいずれか１つを含み得るが、それらに限定されるものではないことを理解されたい。
【０１８９】
（２）ＤＭＲＳポートグループ
【０１９０】
本願において使用される「ＤＭＲＳポートグループ」は、本願において提供される技術的解決手段を明確に説明するために導入される論理的概念であり、具体的には、本願において提供されるパイロットパターンまたはその変形を明確に説明するために導入される論理的概念である。実際の実装において、基地局および端末は、ＤＭＲＳポートをグルーピングしないことがあり得て、任意の方式で設計された、本願において説明されるパイロットパターンまたはその変形は、本願の保護範囲に属するものとすることを理解されたい。
【０１９１】
１つのＤＭＲＳポートグループは１または複数のＤＭＲＳポートを含み得る。本願では、ＣＤＭ、例えば、直交カバーコード（ｏｒｔｈｏｇｏｎａｌ  ｃｏｖｅｒ  ｃｏｄｅ、ＯＣＣ）、循環シフト（ｃｙｃｌｉｃ  ｓｈｉｆｔ、ＣＳ）、循環位相回転（ｃｙｃｌｉｃ  ｐｈａｓｅ  ｒｏｔａｔｉｏｎｓ）、または、複数の上述した方法の組み合わせ、例えば、ＯＣＣ＋ＣＳを通して、ＤＭＲＳポートグループにおけるポートに対応するＤＭＲＳについて、同一の時間周波数リソースが多重化される。ＣＤＭを通して、複数の参照信号について時間周波数リソースが多重化される技術的解決手段は、従来技術において明確に説明されており、本明細書において詳細は説明さない。
【０１９２】
（３）システムにサポートされるＤＭＲＳポート
【０１９３】
システムにサポートされるＤＭＲＳポートは、基地局が使用できるＤＭＲＳポートとみなされ得る。実際の実装において、基地局は、基地局によってサポートされる一部または全部のＤＭＲＳポートを使用することによって端末をスケジューリングし得る。サポートされる最大直交ポート数は、システムまたは基地局がサポートできる直交ＤＭＲＳポートの数の最大値である。
【０１９４】
本願において、システムにサポートされるＤＭＲＳポートの数が４、６、８および１２であることは、説明のための例として使用される。
【０１９５】
（４）他の用語
【０１９６】
本明細書における「複数」は、２または２より大きいことを指示する。
【０１９７】
本明細書における「第１」および「第２」という用語は、異なる対象を区別することを意図しているだけであり、対象の順序を限定するものではない。例えば、第１のシンボルグループ、および、第２のシンボルグループは、異なるシンボルグループを区別することを意図しているだけであり、順序を限定するものではない。
【０１９８】
本明細書における「および／または」という用語は、関連付けられた対象を説明するための関連関係のみを説明し、３つの関係が存在し得ることを表す。例えば、Ａおよび／またはＢは、Ａのみが存在すること、ＡおよびＢの両方が存在すること、ならびに、Ｂのみが存在すること、の３つの場合を表し得る。加えて、本明細書における「／」という文字は、一般的に、関連する対象間の「または」の関係を指示する。
【０１９９】
以下では、添付図面を参照して、本願において提供される技術的解決手段を説明する。
【０２００】
本願において提供される技術的解決手段は、様々な通信システム、例えば、現在の２Ｇ、３Ｇおよび４Ｇ通信システム、および、５Ｇ通信システムなどの将来の進化型ネットワーク、例えば、ＬＴＥシステム、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）関連セルラシステム、および、このタイプの他の通信システムに適用され得て、特に、５Ｇ  ＮＲシステムに適用され得る。
【０２０１】
５Ｇ規格は、マシンツーマシン（ｍａｃｈｉｎｅ  ｔｏ  ｍａｃｈｉｎｅ、Ｍ２Ｍ）シナリオ、デバイスツーマシン（ｄｅｖｉｃｅ  ｔｏ  ｍａｃｈｉｎｅ、Ｄ２Ｍ）シナリオ、マクロ／ミクロ通信シナリオ、エンハンスドモバイルブロードバンド（ｅｎｈａｎｃｅ  ｍｏｂｉｌｅ  ｂｒｏａｄｂａｎｄ、ｅＭＢＢ）シナリオ、超高信頼性低遅延通信（ｕｌｔｒａ  ｒｅｌｉａｂｌｅ  ＆  ｌｏｗ  ｌａｔｅｎｃｙ  ｃｏｍｍｕｎｉｃａｔｉｏｎ、ｕＲＬＬＣ）シナリオ、大容量マシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）シナリオ、および同様のものを含み得ることに留意されたい。これらのシナリオは、端末間の通信シナリオ、基地局間の通信シナリオ、基地局と端末との間の通信シナリオ、および同様のものを含み得るが、これらに限定されるものではない。本願の実施形態において提供される技術的解決手段は、５Ｇ通信システムにおける端末間の通信、または、基地局間の通信などのシナリオにも適用され得る。
【０２０２】
本願の実施形態において提供される技術的解決手段は、図３に示されるシステムアーキテクチャに適用され得る。システムアーキテクチャは、基地局１００、および、基地局１００に接続された１または複数の端末２００を含み得る。
【０２０３】
例において、基地局１００は、図４に示される構造を使用することによって実装され得る。
【０２０４】
基地局１００は、端末２００と通信できるデバイスであり得る。基地局１００はリレー局、アクセスポイント、または同様のものであり得る。基地局１００は、モバイル通信のためのグローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））における、または、符号分割多元接続（ｃｏｄｅ  ｄｉｖｉｓｉｏｎ  ｍｕｌｔｉｐｌｅ  ａｃｃｅｓｓ、ＣＤＭＡ）ネットワークにおけるベーストランシーバ基地局（ｂａｓｅ  ｔｒａｎｓｃｅｉｖｅｒ  ｓｔａｔｉｏｎ、ＢＴＳ）であり得る、または、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））におけるＮＢ（ＮｏｄｅＢ）であり得る、または、ＬＴＥにおけるｅＮＢまたはｅＮｏｄｅＢ（ｅｖｏｌｕｔｉｏｎａｌ  ＮｏｄｅＢ）であり得る。代替的に、基地局１００は、クラウド無線アクセスネットワーク（ｃｌｏｕｄ  ｒａｄｉｏ  ａｃｃｅｓｓ  ｎｅｔｗｏｒｋ、ＣＲＡＮ）シナリオにおける無線コントローラであり得る。代替的に、基地局１００は、５Ｇネットワークにおけるネットワークデバイス、または、将来の進化型ＰＬＭＮネットワークにおけるネットワークデバイスであり得る、または、ウェアラブルデバイス、車載デバイス、または同様のものであり得る。
【０２０５】
端末２００はユーザ機器（ｕｓｅｒ  ｅｑｕｉｐｍｅｎｔ、ＵＥ）、アクセス端末、ＵＥユニット、ＵＥ局、移動局、リモート局、モバイルコンソール、リモート端末、モバイルデバイス、ＵＥ端末、端末、無線通信デバイス、ＵＥエージェント、ＵＥ機器、または同様のものであり得る。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続される別の処理デバイス、車載デバイス、ウェアラブルデバイス、将来の５Ｇネットワークにおける端末、または将来の進化型ＰＬＭＮネットワークにおける端末、または同様のものであり得る。
【０２０６】
基地局１００の汎用ハードウェアアーキテクチャを説明する。図４に示されるように、基地局は、ビルディングベースバンドユニット（ｂｕｉｌｄｉｎｇ  ｂａｓｅｂａｎｄ  ｕｎｉｔ、ＢＢＵ）およびリモート無線ユニット（ｒｅｍｏｔｅ  ｒａｄｉｏ  ｕｎｉｔ、ＲＲＵ）を含み得る。ＲＲＵはアンテナフィードシステム（言い換えれば、アンテナ）に接続され、ＢＢＵおよびＲＲＵは要件に基づいて分割されて使用され得る。具体的な実装プロセスにおいて、基地局１００は、別の汎用ハードウェアアーキテクチャを更に使用し得て、図４に示される汎用ハードウェアアーキテクチャに限定されるものではないことに留意されたい。
【０２０７】
端末２００は、携帯電話の汎用ハードウェアアーキテクチャを説明するための例として使用される携帯電話である。図５に示されるように、携帯電話は、無線周波数（Ｒａｄｉｏ  Ｆｒｅｑｕｅｎｃｙ、ＲＦ）回路１１０、メモリ１２０、別の入力デバイス１３０、ディスプレイ画面１４０、センサ１５０、音声回路１６０、Ｉ／Ｏサブシステム１７０、プロセッサ１８０および電源１９０などのコンポーネントを備える。当業者であれば、図５に示される携帯電話の構造が、携帯電話に対する限定を構成するものではなく、携帯電話は、図に示されるものより多い、または、より少ないコンポーネントを含み得る、または、一部のコンポーネントは組み合わされ得て、一部のコンポーネントは分割され得て、または、異なるコンポーネントの配置が使用され得ることを理解し得る。当業者であれば、ディスプレイ画面１４０がユーザインタフェース（ｕｓｅｒ  Ｉｎｔｅｒｆａｃｅ、ＵＩ）に属し、ディスプレイ画面１４０はディスプレイパネル１４１およびタッチパネル１４２を含み得ることを理解し得る。加えて、携帯電話は、図に示されるものより多い、または、より少ないコンポーネントを含み得る。示されていないが、携帯電話は、カメラおよびブルートゥース（登録商標）モジュールなどの機能モジュールまたは部品を更に含み得る。ここでは詳細を説明しない。
【０２０８】
更に、プロセッサ１８０は、ＲＦ回路１１０、メモリ１２０、音声回路１６０、Ｉ／Ｏサブシステム１７０、および、電源１９０の全部に接続される。Ｉ／Ｏサブシステム１７０は、別の入力デバイス１３０、ディスプレイ画面１４０およびセンサ１５０の全部に接続される。ＲＦ回路１１０は、情報送信および受信プロセスまたは通話プロセスにおいて信号を送信および受信するよう構成され得る。特に、ＲＦ回路は、基地局からダウンリンク情報を受信し、次に、処理のためにダウンリンク情報をプロセッサ１８０へ送る。メモリ１２０は、ソフトウェアプログラムおよびモジュールを記憶するよう構成され得る。プロセッサ１８０は、メモリ１２０に記憶されるソフトウェアプログラムおよびモジュールを動作させて、携帯電話の様々な機能アプリケーションを実行し、データを処理する。別の入力デバイス１３０は、入力された数字または文字情報を受信し、携帯電話のユーザ設定および機能制御に関連するキー信号入力を生成するよう構成され得る。ディスプレイ画面１４０は、ユーザによって入力される情報、または、ユーザのために提供される情報、および、様々なメニューを携帯電話上に表示するよう構成され得て、更にユーザ入力を受信し得る。センサ１５０は、光センサ、モーションセンサ、または、別のセンサであり得る。音声回路１６０は、ユーザと携帯電話との間の音声インタフェースを提供し得る。Ｉ／Ｏサブシステム１７０は、外部入力／出力デバイスを制御するよう構成され、外部デバイスは、別のデバイス入力コントローラ、センサコントローラおよびディスプレイコントローラを含み得る。プロセッサ１８０は、携帯電話２００の制御センターであり、様々なインタフェースおよび配線を使用することによって、携帯電話全体の様々な部品に接続される。プロセッサ１８０は、メモリ１２０に記憶されたソフトウェアプログラムおよび／またはモジュールを動作させる、または、実行し、メモリ１２０に記憶されたデータをスケジューリングすることにより、携帯電話２００の様々な機能を実行してデータを処理し、それにより、携帯電話に対する全体的なモニタリングを実行する。電源１９０（電池など）は、コンポーネントに電力を供給するよう構成される。好ましくは、電源は、電源管理システムを使用することによってプロセッサ１８０に論理的に接続され得て、これにより、電源管理システムを使用することによって、充電、放電、および、電力消費量管理などの機能を実装する。
【０２０９】
本願において提供される技術的解決手段は、単一キャリア伝送シナリオ、マルチキャリア伝送シナリオ、複数の波形が混合されて伝送されるシナリオ、アップリンク伝送シナリオ、ダウンリンク伝送シナリオ、または、アップリンクおよびダウンリンク伝送の両方を伴うシナリオに適用され得る。
【０２１０】
以下では、本願において提供されるＤＭＲＳ伝送方法を説明する。ＤＭＲＳ伝送方法は、送信端によってＤＭＲＳを送信するための方法と、受信端によってＤＭＲＳを取得するための方法とを備え得る。
【０２１１】
図６は、本願において提供されるＤＭＲＳ伝送方法を示す。当該方法は以下の段階を備え得る。
【０２１２】
Ｓ１０１．送信端は、複数のグループの復調参照信号（ＤＭＲＳ）構成情報から、現在のＤＭＲＳ伝送方式に対応するＤＭＲＳ構成情報を決定し、ＤＭＲＳ構成情報に基づいてＤＭＲＳ指示情報を取得し、ＤＭＲＳ構成情報のグループの各々は複数のＤＭＲＳ構成情報を含む。
【０２１３】
複数のＤＭＲＳ構成情報は、ＤＭＲＳ構成情報テーブルの形で提供され得る。一方式において、複数のＤＭＲＳ構成情報は、複数の独立したテーブルの形で提供される。または、複数のＤＭＲＳ構成情報は、一般情報テーブルのサブセットである。
【０２１４】
Ｓ１０２．送信端は時間周波数リソース上でＤＭＲＳ指示情報を送信する。
【０２１５】
Ｓ１０３．受信端はＤＭＲＳ指示情報を受信する。
【０２１６】
Ｓ１０４．受信端は、受信されたＤＭＲＳ指示情報に基づいて、チャネル推定を実行する、または、データの復調を補助する。
【０２１７】
ＤＭＲＳを搬送するために使用される時間周波数リソースは、時間領域において１または複数のシンボルを含み得て、周波数領域において１または複数のサブキャリアを含み得る。
【０２１８】
技術的解決手段がアップリンク伝送シナリオに適用される場合、送信端は端末であり得て、受信端は基地局であり得る。技術的解決手段がダウンリンク伝送シナリオに適用される場合、送信端は基地局であり得て、受信端は端末であり得る。
【０２１９】
本願の本実施形態において、現在のＤＭＲＳ伝送方式は、指示情報を使用することによって指示され、異なるＤＭＲＳ伝送方式は、異なるサポートされる最大直交ポート数に対応する、または、異なるＤＭＲＳパターン、もしくは、異なるＤＭＲＳ構成タイプに対応する。
【０２２０】
異なるＤＭＲＳ伝送方式に対応するＤＭＲＳ構成情報におけるサポートされる最大直交ポート数は異なる。
【０２２１】
異なるＤＭＲＳ伝送方式に対応するＤＭＲＳ指示情報の長さは異なる。
【０２２２】
少なくとも１つのＤＭＲＳ構成情報における複数のＤＭＲＳポートは、異なる符号分割多重化（ＣＤＭ）グループに属し、異なるＣＤＭグループは非疑似コロケーションＱＣＬ関係を満たす。
【０２２３】
異なるサポートされる最大直交ポート数については、異なるＤＭＲＳ構成情報が構成され得る。例えば、サポートされる最大直交ポート数が４である、サポートされる最大直交ポート数が６である、サポートされる最大直交ポート数が８である、および、サポートされる最大直交ポート数が１２であるＭＩＭＯシナリオにおいて、対応するＤＭＲＳ構成情報は別々に構成される。ＤＭＲＳ構成情報は、受信端が使用できる直交ＤＭＲＳポート番号、シーケンス構成、多重化モードおよび同様のものを受信端に通知するために使用され、それにより、データを正確に復号する。
【０２２４】
別の実装において、ＤＭＲＳ構成情報は、異なるＤＭＲＳパターンに構成される。通常、１つのＤＭＲＳパターンは、サポートされる最大直交ポート数、または、サポートされる最大直交伝送層数をサポートする１つのＭＩＭＯシナリオに対応する。ＤＭＲＳパターンは、ＭＩＭＯシナリオによってサポートされる直交ポートグループの数、および、各直交ポートグループに含まれるリソース単位の数を示す。したがって、異なるＤＭＲＳパターンに異なるＤＭＲＳ構成情報を構成することは、受信端が使用できる直交ＤＭＲＳポート番号、シーケンス構成、多重化モードおよび同様のものを受信端が認識することも可能にすることができ、それにより、データを正確に復号する。
【０２２５】
実装において、ＤＭＲＳ構成情報は、プロトコルで合意されたテーブルによって提示され得て、その具体的な実装形式は、ダウンリンク制御情報（ｄｏｗｎｌｉｎｋ  ｃｏｎｔｒｏｌ  ｉｎｆｏｒｍａｔｉｏｎ、ＤＣＩ）テーブル（ｔａｂｌｅ）であり得る。複数のＤＣＩテーブルは、少なくとも１つのグループの異なるＤＭＲＳ構成情報を含む。ＤＭＲＳ構成情報に対応するＤＭＲＳ伝送方式は、上位層シグナリング、例えば、無線リソース制御（ｒａｄｉｏ  ｒｅｓｏｕｒｃｅ  ｃｏｎｔｒｏｌ、ＲＲＣ）シグナリングを使用することによって送信される。当然、ＤＭＲＳ構成情報は代替的に、シナリオに対応する、別の構成パラメータ、例えば、周波数、キャリア間隔、または、フレーム構造にバインドされ得る。このように、ＤＣＩシグナリングまたは媒体アクセス制御制御要素（ｍｅｄｉａ  ａｃｃｅｓｓ  ｃｏｎｔｒｏｌ  ｃｏｎｔｒｏｌ  ｅｌｅｍｅｎｔ、ＭＡＣ  ＣＥ）を使用することによって、ＤＭＲＳ指示情報を送信できる。
【０２２６】
具体的な実装において、各ＤＭＲＳ構成情報テーブルは、異なるサポートされる最大直交ポート数（ｐｏｒｔ）に対応する。例えば、サポートされる最大直交ポート数は、｛４、６、８、１２｝のうち少なくとも２つであり得る。
【０２２７】
別の実装において、ＤＭＲＳ構成情報テーブルの各々は、異なるＤＭＲＳパターン（ｐａｔｔｅｒｎ）、または、ＤＭＲＳ構成タイプ（ｃｏｎｆｉｇｕｒａｔｉｏｎ  ｔｙｐｅ）に対応し得る。
【０２２８】
実装において、情報テーブルにおいて、直交ポートの組み合わせに基づいて、列配置設計が実行される。例えば、列配置設計は、４以下の伝送層を有する直交ポートの組み合わせ、および、４より多くの伝送層を有する直交ポートの組み合わせに対して実行される。
【０２２９】
実装において、ＤＭＲＳ構成情報がＤＭＲＳ構成情報テーブルの形で提示されるとき、コードワード数ｃｏｄｅｗｏｒｄ  ｎｕｍｂｅｒに基づいて区分が実行され得る、または、コードワード数ではなく、サポートされる最大直交ポート数の合計、または、受信端における伝送層の数に基づいて実行され得る。具体的には、区分は比に基づいて実行され得る。
【０２３０】
ＤＭＲＳ構成情報は、直交ポートの合計数の指示情報を更に含み、指示情報は、実際に提供される可能性のある全部の直交ポートの数、または、実際に提供される可能性のある全部の直交ポートの数の量子化値を指示し得る。全部の直交ポートの数の量子化値は、直交ＤＭＲＳ層の数についての情報、直交ＤＭＲＳアンテナポートセットの指示情報、直交ＤＭＲＳアンテナポートのＣＤＭグループ情報、または、ＣＤＭグループサイズに基づいて生成される情報であり得る。直交ポートの合計数は、直交ＤＭＲＳ伝送層の合計数と同一であると理解されたい。
【０２３１】
直交ＤＭＲＳ伝送層の数の量子化値を使用する理由は、受信端の伝送層の具体的な数を指示する必要がある場合、例えば、直交伝送層数｛１、２、３、４｝を指示する必要がある場合、指示のために４ビットを必要とするからである。直交伝送層数｛１、２、３、４｝が値に量子化される、例えば、直交伝送層数４に上向きに量子化される、または、直交伝送層数１に下向きに量子化されるとき、または、直交伝送層数｛１、２、３、４｝が２または３によって表されるとき、直交伝送層の数の量子化値を指示するために、１ビットのみが必要である。例えば、０は、直交伝送層数の量子化値４を表すために使用される。したがって、指示オーバーヘッドを低減できる。
【０２３２】
代替的に、複数のＤＭＲＳ構成情報テーブルは、一般情報テーブルであり得て、一般情報テーブルは、サポートされる最大ポート数をサポートし、複数のＤＭＲＳ構成情報テーブルは一般情報テーブルのサブセットであることに留意されたい。サブセットは、サポートされる最大ポート数、ＤＭＲＳパターン、または、上位層シグナリングに基づいて、一般情報テーブルから選択され得る。
【０２３３】
以下では、本願において提供される、ＤＭＲＳを送信する、および、ＤＭＲＳを取得する具体的な実装プロセスを説明する。
【０２３４】
［実施形態１］
簡潔にＤＭＲＳ構成情報テーブルと称される、ＤＭＲＳ構成情報の複数のテーブルが、実施形態１において設計される。各ＤＭＲＳ構成情報テーブルは、サポートされる最大直交ポート数に関連する、または、異なるＤＭＲＳ構成情報テーブルが、異なるＤＭＲＳパターン、または、異なるＤＭＲＳ構成タイプに対して設計される。サポートされる最大直交ポート数、ＤＭＲＳパターン、および、ＤＭＲＳ構成タイプの各々は、ＤＭＲＳ伝送方式を指示することができる。伝送前に、異なるパターン構成情報に基づいて、ＤＭＲＳ構成情報テーブルが選択される、または、異なるＤＭＲＳ構成情報テーブルの間で切り替えが実行される。
【０２３５】
図７に示されるように、ＤＭＲＳ構成情報テーブルは、ＳＵ−ＭＩＭＯまたはＭＵ−ＭＩＭＯにおいては４である、単一の端末（ＵＥ）のサポートされる最大直交ポート数に基づいて設計されるＤＭＲＳ構成情報テーブルである。
テーブル１
【表１】
0006943355.tif 000002
【０２３６】
ＤＭＲＳ指示情報またはインデックスは、値を使用することによって表される。値が０であるとき、端末が１個の伝送層（テーブルにおいてランクによって表される）をサポートすることが指示され、値０に対応する直交ポートインデックス（ｐｏｒｔ  ｉｎｄｅｘ）は、ポート番号０を有する１個の伝送層である。別の例については、ＤＭＲＳ指示情報の値が７であるとき、端末が４個の伝送層（ランク）をサポートすることが指示され、値７に対応する直交ポートインデックス（ｐｏｒｔ  ｉｎｄｅｘ）は、０から３（ポート０から３）である。
【０２３７】
テーブル１に示されるポートの組み合わせは、基本的に、４以下のポートの構成を全部包含し得て、ここで、列挙された組み合わせはスケジューリング要件を満たしているが、スケジューリングの柔軟性を向上させるべく、追加の組み合わせ（ｃｏｍｂｉｎａｔｉｏｎ）のために予約が使用され得る。
【０２３８】
テーブル１に示されるＤＭＲＳ構成情報テーブルは、最大４個のストリーム／層のデータ伝送、または、図７に対応するパターンを実装する直交ＤＭＲＳに適用可能である（例えば、左部分における構成１‐１シンボル、または、右部分における構成１‐２シンボル、ただし、例えばＴＤ−ＯＣＣ｛（１、１）、（１、１）｝など、時間領域の反復が使用される）。
【０２３９】
本実施形態におけるＤＭＲＳ構成情報テーブルは、ＬＴＥテーブルに基づいて設計され（言い換えれば、列は、コードワード数に基づいて区分される）、対応する値は、３ビットの指示オーバーヘッドを必要とする。
【０２４０】
ＤＭＲＳ構成情報テーブルにおけるポートインデックスは、表現方式に過ぎず、説明のための例に過ぎないことを理解されたい。代替的に、実際の要件に基づいて、別の数字が指示のために使用され得る。
【０２４１】
図２に示されるように、ＤＭＲＳ構成情報テーブルは、ＳＵ−ＭＩＭＯまたはＭＵ−ＭＩＭＯにおいては６である、単一の端末（ＵＥ）のサポートされる最大直交ポート数に基づいて設計されるＤＭＲＳ構成情報テーブルである。
テーブル２
【表２】
0006943355.tif 000003
【０２４２】
ＤＭＲＳ構成情報の指示情報またはインデックスは、値を使用することによって表される。例えば、ＤＭＲＳ構成情報の指示情報の値が０であるとき、端末が１個の伝送層（ランク）をサポートすることが指示され、値０に対応する直交ポートインデックス（ｐｏｒｔ  ｉｎｄｅｘ）は０である。ＤＭＲＳ構成情報の指示情報の値が１０であるとき、端末が３個の伝送層（ランク）をサポートすることが指示され、値１０に対応する直交ポートインデックス（ｐｏｒｔ  ｉｎｄｅｘ）は３から５である。ここで、直交ポートインデックスは、例に過ぎず、具体的な直交ポートの番号は、別の数字を使用することによって表され得ることに留意されたい。
【０２４３】
テーブル２に示されるテーブルにおいて列挙されるポートの組み合わせは、基本的に、６以下のポートの構成を全部包含し得て、ここで、列挙された組み合わせはスケジューリング要件を満たしているが、スケジューリングの柔軟性を向上させるべく、追加の組み合わせ（ｃｏｍｂｉｎａｔｉｏｎ）のために予約が使用され得る。
【０２４４】
テーブル２に示されるＤＭＲＳ構成情報テーブルは、最大６個のストリーム／層のデータ伝送、または、図８に対応するパターンを実装する直交ＤＭＲＳに適用可能である（例えば、左部分における構成１‐１シンボル、または、右部分における構成１‐２シンボル、ただし、例えばＴＤ−ＯＣＣ｛（１、１）、（１、１）｝など、時間領域の反復が使用される）。
【０２４５】
本実施形態におけるＤＭＲＳ構成情報テーブルは、ＬＴＥテーブルに基づいて設計され（言い換えれば、列はコードワード数に基づいて区分される）、対応する値は、４ビットの指示オーバーヘッドを必要とする。
【０２４６】
図３に示されるように、ＤＭＲＳ構成情報テーブルは、ＳＵ−ＭＩＭＯまたはＭＵ−ＭＩＭＯにおいては８である、単一の端末（ＵＥ）のサポートされる最大直交ポート数に基づいて設計されるＤＭＲＳ構成情報テーブルである。
テーブル３
【表３】
0006943355.tif 000004
【０２４７】
ＤＭＲＳ構成情報の指示情報は、値を使用することによって表される。例えば、ＤＭＲＳ構成情報の指示情報の値が０であるとき、端末が１個の伝送層（ランク）をサポートすることが指示され、値０に対応する直交ポートインデックス（ｐｏｒｔ  ｉｎｄｅｘ）は０である。別の例において、値が１５であるとき、端末が４個の伝送層（ランク）をサポートすることが指示され、値１５に対応する直交ポートインデックス（ｐｏｒｔ  ｉｎｄｅｘ）は４から７である。ここで、直交ポートインデックスは例に過ぎず、具体的な直交ポートの番号は、別の数字を使用することによって表され得ることに留意されたい。
【０２４８】
テーブル３に示されるテーブルにおいて列挙されるポートの組み合わせは、基本的に、８以下のポートの構成を全部包含し得て、ここで、列挙された組み合わせはスケジューリング要件を満たしているが、スケジューリングの柔軟性を向上させるべく、追加の組み合わせ（ｃｏｍｂｉｎａｔｉｏｎ）のために予約が使用され得る。
【０２４９】
テーブル３に示されるＤＭＲＳ構成情報テーブルは、最大８個のストリーム／層のデータ伝送、または、図９に対応するパターン（構成１‐２シンボル）を実装する直交ＤＭＲＳに適用可能である。
【０２５０】
本実施形態におけるＤＭＲＳ構成情報テーブルは、ＬＴＥテーブルに基づいて設計され（言い換えれば、列はコードワード数に基づいて区分される）、対応する値は、４ビットの指示オーバーヘッドを必要とする。
【０２５１】
図４に示されるように、ＤＭＲＳ構成情報テーブルは、ＳＵ−ＭＩＭＯまたはＭＵ−ＭＩＭＯにおいては１２である、単一の端末（ＵＥ）のサポートされる最大直交ポート数に基づいて設計されるＤＭＲＳ構成情報テーブルである。
テーブル４
【表４】
0006943355.tif 000005
【０２５２】
ＤＭＲＳ構成情報の指示情報は、値を使用することによって表される。例えば、ＤＭＲＳ構成情報の指示情報の値が０であるとき、端末が１個の伝送層（ランク）をサポートすることが指示され、値０に対応する直交ポートインデックス（ｐｏｒｔ  ｉｎｄｅｘ）は０である。別の例として、ＤＭＲＳ構成情報の指示情報の値が２４であるとき、端末が４個の伝送層（ランク）をサポートすることが指示され、値２４に対応する直交ポートインデックス（ｐｏｒｔ  ｉｎｄｅｘ）は８から１１である。ここで、直交ポートインデックスは、例に過ぎず、具体的な直交ポートの番号は、別の数字を使用することによって表され得ることに留意されたい。
【０２５３】
テーブル４に示されるテーブルにおいて列挙されるポートの組み合わせは、基本的に、１２以下のポートの構成を全部包含し得て、ここで、列挙された組み合わせはスケジューリング要件を満たしているが、スケジューリングの柔軟性を向上させるべく、追加の組み合わせ（ｃｏｍｂｉｎａｔｉｏｎ）のために予約が使用され得る。
【０２５４】
テーブル４に示されるＤＭＲＳ構成情報テーブルは、最大１２個のストリーム／層のデータ伝送、または、図１０に対応するパターン（構成２‐２シンボル）を実装する直交ＤＭＲＳに適用可能である。
【０２５５】
本実施形態におけるＤＭＲＳ構成情報テーブルは、ＬＴＥテーブルに基づいて設計され（言い換えれば、列はコードワード数に基づいて区分される）、対応する値は、５ビットの指示オーバーヘッドを必要とする。
【０２５６】
テーブル１からテーブル４に示される実施形態によれば、サポートされる最大直交ポート数の各々についてのＤＭＲＳ構成情報テーブルに対応する設計は、ＮＲシステムにおける異なるシナリオの要件を満たすことができる。例えば、テーブルは、超高信頼性低遅延通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ、ＵＲＬＬＣ）シナリオにおけるパターンに適用されるだけでなく、エンハンスドモバイルブロードバンド（Ｅｎｈａｎｃｅｄ  Ｍｏｂｉｌｅ  Ｂｒｏａｄｂａｎｄ、ｅＭＢＢ）におけるパターンにも適用される。他の異なるパターンについては、テーブルの設計が見直される。
【０２５７】
本実施形態において、複数のＤＭＲＳ構成情報テーブルが設計される。複数のＤＭＲＳ構成情報テーブルはまた、簡潔にＤＭＲＳ構成タイプ（ｃｏｎｆｉｇｕｒａｔｉｏｎ  ｔｙｐｅ）と称される、ＤＭＲＳパターン構成タイプのために設計された異なるＤＭＲＳ構成情報テーブルであり得る。伝送前に、異なる構成タイプ情報に基づいて、ＤＭＲＳ構成情報テーブルが選択される、または、異なる情報テーブルの間で切り替えを実行される。
【０２５８】
２つの構成タイプがあり、２つの構成タイプに対応するＤＭＲＳ構成情報テーブルはそれぞれ、最大８個のポート（構成タイプ１）が示されるテーブル３、および、最大１２個のポート（構成タイプ２）が示されるテーブル４である。２つのテーブルは同一であり、ここでは詳細を再度説明しない。テーブル１からテーブル４に示されるＤＭＲＳ構成情報テーブルは、異なるＤＭＲＳパターンに対応する、または、システムによってサポートされる、サポートされる最大直交ポート数に対応する、または、異なるＤＭＲＳ構成タイプに対応する。ＤＭＲＳ構成情報テーブルに対応する、パターン、サポートされる最大直交ポート数４、６、８および１２、ＤＭＲＳ構成タイプ、または同様のものは、ＲＲＣ、ＭＡＣ  ＣＥ、または、ＤＣＩなどの明示的なシグナリングを使用することによって指示され得る、または、シナリオに対応する別の構成パラメータ、例えば、周波数、キャリア間隔もしくはフレーム構造にバインドされ得る。
【０２５９】
［実施形態２］
本実施形態は、ＤＭＲＳ構成情報テーブルの列配置設計方式を説明する。ＬＴＥにおける列配置方式と異なり、本実施形態において、区分はコードワード数に基づいて実行されない。そうではなく、区分は、比に従って、サポートされる最大直交ポート数に基づいて実行される。代替的に、情報が２つの列にグルーピングされ、直交ポートの数が特定の値より大きいものに対応する情報は、１つの列に属し、直交ポートの数が特定の値以下であるものに対応する情報は、他の列に属する。代替的に、受信端の伝送層の数（言い換えれば、ＵＥランク）に基づいて列配置が実行される。
【０２６０】
テーブル５に示されるように、サポートされる最大直交ポート数は１２に等しく、説明のための例として使用される。情報テーブルにおける左列は、直交ポートの数が８以下であるものに対応する情報である、右列は、直交ポートの数が８より大きいものに対応する情報である。
テーブル５
【表５】
0006943355.tif 000006
【０２６１】
テーブル５は、サポートされる最大直交ポート数を２で除算することによって、列配置が情報テーブルに対して実行されることを示す。これは例に過ぎず、本願の本実施形態において、別の列配置方式もあり得る。テーブル６およびテーブル７に示されるように、区分は、ＵＥの伝送層の数（ランク）に基づいて実行される。原則は、可能な限り両方の列における有効情報の行数のバランスをとることを可能にし、それにより、ストレージオーバーヘッドを低減することである。
テーブル６
【表６】
0006943355.tif 000007
テーブル７
【表７】
0006943355.tif 000008
【０２６２】
［実施形態３］
本実施形態において、複数のＤＭＲＳ構成情報テーブルは、一般情報テーブルに統合され、選択は、具体的にはテーブル８−０に示されるように、サポートされる最大直交伝送層数、パターン、または、上位層シグナリングに基づいて実行される。
テーブル８−０
【表８】
0006943355.tif 000009
【０２６３】
テーブル８−０に示されるＤＭＲＳ構成情報テーブルによってサポートされる最大直交ポート数は１２であり、４、６または８など他のポート数に対応するＤＭＲＳ構成情報は全部、一般情報テーブルのサブセットである。ＤＭＲＳ構成情報が選択されるとき、対応するサブテーブルが、サポートされる最大直交ポート数に基づいて、パターンとのバインドに基づいて、または、ＲＲＣシグナリングなどの上位層シグナリングの指示に基づいて、一般情報テーブルから選択され得る。例えば、値０から７は、合計数４の直交ポートに対応し、値０から１３は、合計数６の直交ポートに対応し、値０から１９は、合計数８の直交ポートに対応し、値０から２８は、合計数１２の直交ポートに対応する。
【０２６４】
本願において提供されるＤＭＲＳ送信方法によれば、複数のＤＭＲＳ構成情報テーブルを設計することにより、ＮＲ  ＤＭＲＳポート指示についてのオーバーヘッドを低減できる。
【０２６５】
加えて、複数のＤＭＲＳ構成情報テーブルを一般情報テーブルに統合する具体的な実装において、同一のＤＭＲＳ構成タイプのＤＭＲＳ構成情報は、１つの一般テーブルにおいて設計され得て、ＤＭＲＳシンボル情報に基づいて選択される。
【０２６６】
具体的には、ＤＭＲＳ構成情報テーブルは、フロントローディング型（Ｆｒｏｎｔ−ｌｏａｄｅｄ、ＦＬ）ＤＭＲＳのシンボル情報、例えば、ＤＭＲＳのシンボル数を含み得て、テーブル８−１は、ＦＬ  ＤＭＲＳ構成タイプ１に対応し、テーブル８−２は、ＦＬ  ＤＭＲＳ構成タイプ２に対応する。言い換えれば、各テーブルは異なるＦＬ  ＤＭＲＳタイプに対応する。加えて、テーブルは、ＣＤＭグループの状態情報（Ｓｔａｔｅ  ｏｆ  ＣＤＭ  ｇｒｏｕｐ）を更に含み得て、ＣＤＭグループの状態情報は、レートマッチング情報として使用され得る。
【０２６７】
テーブル８−１およびテーブル８−２におけるシンボル数（ｎｕｍｂｅｒ  ｏｆ  ｓｙｍｂｏｌｓ）の列はそれぞれ、１シンボルタイプ１  ＦＬ  ＤＭＲＳ、および、２シンボルタイプ１  ＦＬ  ＤＭＲＳに対応する。本願の本実施形態において、同一のＦＬ  ＤＭＲＳ構成タイプの１シンボルタイプ１  ＦＬ  ＤＭＲＳおよび２シンボルタイプ１  ＦＬ  ＤＭＲＳのＤＭＲＳポート指示情報は、１つのテーブルに含まれ、その有利な効果は、１シンボル  ＦＬ  ＤＭＲＳと２シンボルＦＬ  ＤＭＲＳとの間の動的切り替えを実装するべく、ＤＣＩを使用することによってテーブルにおいて異なる状態を指示することであり得る。
【０２６８】
加えて、以下では、例だけを提供する。シンボル数の状態は１および２であり、それぞれ、１シンボルＦＬ  ＤＭＲＳおよび２シンボルＦＬ  ＤＭＲＳに対応する。実装において、シンボル数は、０および１によって表され得る。例えば、０は、１シンボルＦＬ  ＤＭＲＳに対応し、１は、２シンボルＦＬ  ＤＭＲＳに対応し、または、１シンボルは、ｓｉｎｇｌｅ  ｓｙｍｂｏｌとして表され、２シンボルはｄｏｕｂｌｅ  ｓｙｍｂｏｌｓとして表される。具体的な実装において、複数の表現方法があり得る。このことは、本願の本実施形態において限定されない。
【０２６９】
別の実装において、シンボルの数の列はＤＭＲＳ構成情報テーブルに追加されないことがあり得るが、値を使用することによって黙示的に直接指示される。例えば、シンボルの数の列は、テーブル８−１およびテーブル８−２において除去され得るが、他の要素は不変のままである。この場合、送信端はなお、値を受信端に指示することにより、１シンボルＦＬ  ＤＭＲＳと２シンボルＦＬ  ＤＭＲＳとの間の動的切り替えを完了できる。
【０２７０】
例えば、テーブル８−１において、値＝１８は、値が３より大きいＤＭＲＳポート番号を含み、１シンボルＦＬ  ＤＭＲＳタイプ１のポート番号は０から３である。このように、受信端は、２シンボルＤＭＲＳパターンがスケジューリングされたことを認識できる。実装において、受信端および送信端は、１シンボルＦＬ  ＤＭＲＳパターンに対応するように、一部の値を予め定め得る。しかしながら、一部の値は、２シンボルＦＬ  ＤＭＲＳパターンに対応する。例えば、テーブル８−１において、値０から１０が１シンボルＦＬ  ＤＭＲＳに対応し、１１より大きい値が２シンボルＦＬ  ＤＭＲＳに対応することが予め定められ得る。この場合、同一のスケジューリング内容について、値＝０は１シンボルＦＬ  ＤＭＲＳに対応し、値＝１１は、２シンボルＦＬ  ＤＭＲＳに対応する。受信端は、値０および値１１を指示することにより、１シンボルＦＬ  ＤＭＲＳパターンまたは２シンボルＦＬ  ＤＭＲＳパターンが現在スケジューリングされていることを知る。
テーブル８−１  シンボル数が考慮される構成タイプ１のポートの組み合わせの例
【表９】
0006943355.tif 000010
【表１０】
0006943355.tif 000011
テーブル８−２  シンボル数が考慮される構成タイプ２のポートの組み合わせの例
【表１１】
0006943355.tif 000012
【表１２】
0006943355.tif 000013
【表１３】
0006943355.tif 000014
【表１４】
0006943355.tif 000015
【０２７１】
実装方法において、送信端、例えば、ネットワーク側デバイスは、具体的なスケジューリング中に、テーブルの一部のみ、具体的には、サブテーブルまたはテーブルのサブセットをスケジューリングし得て、それにより、ＤＣＩオーバーヘッドを低減する。
【０２７２】
実装において、サブテーブルの選択は、ＲＲＣシグナリングを使用することによって、明示的に構成され得る。言い換えれば、ＤＭＲＳシンボル情報は、ＲＲＣシグナリングを使用することによって指示され、これにより、１シンボルに対応するＤＭＲＳ構成タイプ、または、２シンボルに対応するＤＭＲＳ構成タイプを動的にスケジューリングする。
【０２７３】
例えば、テーブル８−２において、ＲＲＣシグナリングは、例えば、テーブル８−２における値０から２２（言い換えれば、シンボルの数＝１）など、１シンボルＦＬ  ＤＭＲＳに対応するテーブルをアクティブ化するよう命令し得る、または、テーブル全体、例えば、テーブル８−２における行全部（言い換えれば、シンボルの数＝１、および、シンボルの数＝２）を使用できることを指示し得る。具体的な実装において、ＲＲＣシグナリングに基づく構成は、複数の方式で実装され得る。例えば、独立のＲＲＣシグナリングが構成に使用され得る、または、ＲＲＣシグナリングが、ＦＬ  ＤＭＲＳ指示情報を指示する他のＲＲＣシグナリングにバインドされて黙示的な指示を実行し得る。
【０２７４】
明示的な指示において、独立したＲＲＣシグナリングが構成のために使用され得る。例えば、ＲＲＣシグナリングにおいて、ｓｅｔ１およびｓｅｔ２は、一部の予め定められた状態セットに対応するよう構成される（例えば、ｓｅｔ１は、シンボルの数＝１の場合における状態に対応し、ｓｅｔ２は、テーブルにおける全部の状態に対応する）、または、第１の一部の状態（値）がアクティブ化されることが直接に指示される（例えば、テーブル８−１において、「１０１０／バイナリ」は、最初の１１個の値０〜１０が使用されることを指示する、または、値が直接に指示され、その値の前の全部の値はアクティブ化される）、または、有効化するためにオン／オフ状態が構成される（例えば、オフは、シンボルの数＝１のみが使用されることを表し、オンは、テーブル全体が使用されることを表す）、または、ビットマップは、テーブルにおける各値を独立に指示するために使用される。ここで、具体的なＲＲＣの構成方法は限定されるものではない。
【０２７５】
別の実装において、サブテーブルの有効化は、他のＲＲＣシグナリングにバインドされ得る、例えば、ＦＬ  ＤＭＲＳの最大シンボル数を指示する、ＲＲＣにおけるパラメータにバインドされ得る、例えば、ＤＬ−ＤＭＲＳ−ｍａｘ−ｌｅｎまたはＵＬ−ＤＭＲＳ−ｍａｘ−ｌｅｎにバインドされ得る。以下では、ＤＬを例として使用する。ＤＬ−ＤＭＲＳ−ｍａｘ−ｌｅｎ＝１であるとき、ＦＬ  ＤＭＲＳの最大シンボル数が１であることが指示される。言い換えれば、システムは、１シンボルＦＬ  ＤＭＲＳのみを呼び出す。この場合、受信端および送信端は、テーブル８−２における１シンボルＦＬ  ＤＭＲＳに対応する状態のみを使用し、例えば、値は０から２２のいずれか１つである。ＤＬ−ＤＭＲＳ−ｍａｘ−ｌｅｎ＝２であるとき、ＦＬ  ＤＭＲＳの最大シンボル数は２であることが指示される。言い換えれば、システムは、１シンボルＦＬ  ＤＭＲＳパターンおよび２シンボルＦＬ  ＤＭＲＳを呼び出すことができる。この場合、受信端および送信端は、テーブル８−２における１シンボルＦＬ  ＤＭＲＳおよび２シンボルＦＬ  ＤＭＲＳに対応する状態を使用できる。言い換えれば、テーブル全体における状態を使用できる。
【０２７６】
加えて、ＦＬ  ＤＭＲＳの最大シンボル数が異なる場合（例えば、ＲＲＣシグナリングにおけるＤＬ−ＤＭＲＳ−ｍａｘ−ｌｅｎまたはＵＬ−ＤＭＲＳ−ｍａｘ−ｌｅｎが１または２に等しいとき）、対応するＤＭＲＳポートスケジューリングについてのＤＣＩシグナリングの長さが異なる、または、ビット数が異なる、または、ＤＣＩフィールドが異なる。
【０２７７】
［実施形態４］
本実施形態において、本願において提供される方法は、様々なＮＲシナリオの具体的な実装に適用される。具体的には、２‐ＰＤＣＣＨまたは１‐ＰＤＣＣＨ非コヒーレント共同伝送（Ｎｏｎ−ｃｏｈｅｒｅｎｔ  ｊｏｉｎｔ  ｔｒａｎｓｍｉｓｓｉｏｎ、ＮＣ−ＪＴ）シナリオにおいて、２つの伝送反復ポイント（ＴＲＰ）のために、パターンにバインドされた複数のＤＭＲＳ構成情報テーブルが設定される。
【０２７８】
本実施形態において、ポートが異なるＤＭＲＳポートグループ（ｐｏｒｔ  ｇｒｏｕｐ）から選択されてポートの組み合わせを形成する。単一ＰＤＣＣＨシナリオにおいて、基地局は、１つのＤＣＩを使用することによって、スケジューリングするＵＥにポートの組み合わせを通知する必要があり、一方、デュアルＰＤＣＣＨシナリオにおいて、２つのＤＣＩを使用することによって、ＵＥにポートの組み合わせを通知し得る。ＤＭＲＳポートグループの区分は、パターン構成およびポートマッピング方式に関連する。例えば、構成タイプ１については、図１１または図１２に示されるように、２つのポートマッピング方式があり得て、構成タイプ２については、それぞれ図１３、図１４および図１５に示されるように、３つのポートマッピング方式があり得る。
【０２７９】
上述の様々なポートマッピング方式は、ポートに対して符号分割多重化および周波数分割多重化を順番に実行することによって、または、ポートに対して周波数分割多重化および符号分割多重化を順番に実行することによって取得される。様々な異なるポートマッピングを通して、異なるＤＭＲＳポートグループが取得され得て、グルーピングの基礎は、符号分割多重化が実行されるポートが、同一のグループ中のみに位置することができるということである。
【０２８０】
例えば、図１１におけるＤＭＲＳグループは、｛（０、２、４、６）、（１、３、５、７）｝、または、各グループのサブセット、例えば、｛（０、２）、（１、３）｝である。図１２におけるＤＭＲＳグループは、｛（０、１、４、６）、（２、３、５、７）｝、または、各グループのサブセットである。図１３におけるＤＭＲＳグループは、｛（０、１、６、７）、（２、３、４、５、８、９、１０、１１）｝、｛（０、１、６、７、４、５、１０、１１）、（２、３、８、９）｝、｛（０、１、６、７、２、３、８、９）、（４、５、１０、１１）｝、または、各グループのサブセットである。図１４におけるＤＭＲＳグループは、｛（０、３、６、９）、（１、４、７、１０、２、５、８、１１）｝、｛（０、３、６、９、１、４、７、１０）、（２、５、８、１１）｝、｛（１、４、７、１０）、（０、３、６、９、２、５、８、１１）｝、または、各グループのサブセットである。図１５におけるＤＭＲＳグループは、｛（０、１、６、９）、（２、３、７、１０、４、５、８、１１）｝、｛（０、１、６、９、４、５、８、１１）、（２、３、７、１０）｝、｛（４、５、８、１１）、（０、１、６、９、２、３、７、１０）｝、または、各グループのサブセットである。
【０２８１】
本実施形態において、異なるグループからポートを選択してポートの組み合わせを形成する必要がある。したがって、異なるポートグループは、異なるポートの組み合わせを形成する。以下において、各構成における１つのポートマッピング方式を例として使用することによって、ＤＭＲＳ構成情報テーブルが設計される。
【０２８２】
例えば、図１６は、ＮＣ−ＪＴのパターンとポートとの間のマッピングの概略図である。対応する疑似コロケーション（ｑｕａｓｉ  ｃｏ−ｌｏｃａｔｉｏｎ、ＱＣＬ）グループステータスは、ＴＲＰ１が、ポート｛０、１、６、９｝を含むポートグループを使用し、ＴＲＰ２が、ポート｛２、３、４、５、７、８、１０、１１｝を使用することである。
【０２８３】
図１６に示されるＮＣ−ＪＴ  １−ＰＤＣＣＨシナリオをサポートするべく、テーブル９に示されるＤＭＲＳ構成情報テーブルは、テーブル４に示されるＤＭＲＳ構成情報テーブルに基づいており、値２５から３２に対応する行が左列に追加され、値４から１８に対応する行が右列に追加される。具体的な内容についてはテーブル９を参照されたい。
テーブル９
【表１５】
0006943355.tif 000016
【０２８４】
図１６に示されるＮＣ−ＪＴ  ２−ＰＤＣＣＨシナリオをサポートするべく、テーブル１０に示されるＤＭＲＳ構成情報テーブルは、テーブル４に示されるＤＭＲＳ構成情報テーブルに基づいており、値２５から３２に対応する行が左列に追加され、値４から７に対応する行が右列に追加される。具体的な内容については、テーブル１０を参照されたい。
テーブル１０
【表１６】
0006943355.tif 000017
【０２８５】
図１７は、ＮＣ−ＪＴに対応するパターンとポートとの間のマッピングの別の概略図である。対応する疑似コロケーション（ｑｕａｓｉ  ｃｏ−ｌｏｃａｔｉｏｎ、ＱＣＬ）グループステータスは、ＴＲＰ１が、ポート｛０、２、４、６｝を含むポートグループを使用し、ＴＲＰ２が、ポート｛１、３、５、７｝を使用することである。
【０２８６】
図１７に示されるＮＣ−ＪＴ  １−ＰＤＣＣＨシナリオをサポートするべく、テーブル１１に示されるＤＭＲＳ構成情報テーブルは、テーブル３に示されるＤＭＲＳ構成情報テーブルに基づいており、値１６から１９に対応する行が左列に追加され、値４から１０に対応する行が右列に追加される。具体的な内容については、テーブル１１を参照されたい。
テーブル１１
【表１７】
0006943355.tif 000018
【０２８７】
図１７に示されるＮＣ−ＪＴ  ２−ＰＤＣＣＨシナリオをサポートするべく、テーブル１２に示されるＤＭＲＳ構成情報テーブルは、テーブル３に示されるＤＭＲＳ構成情報テーブルに基づいており、値１６から２３に対応する行が左列に追加される。具体的な内容については、テーブル１２を指す。
テーブル１２
【表１８】
0006943355.tif 000019
【０２８８】
図１８は、ＮＣ−ＪＴに対応するパターンとポートとの間のマッピングの別の概略図である。対応する疑似コロケーション（ｑｕａｓｉ  ｃｏ−ｌｏｃａｔｉｏｎ、ＱＣＬ）グループステータスは、ＴＲＰ１が、ポート｛０、１｝を含むポートグループを使用し、ＴＲＰ２が、ポート｛２、３、４、５｝を使用することである。
【０２８９】
図１８に示されるＮＣ−ＪＴ  １−ＰＤＣＣＨシナリオをサポートするべく、テーブル１３に示されるＤＭＲＳ構成情報テーブルは、テーブル２に示されるＤＭＲＳ構成情報テーブルに基づいており、値１２から１５に対応する行は右列に追加され、値２に対応する行は左列に追加される。具体的な内容については、テーブル１３を参照されたい。
テーブル１３
【表１９】
0006943355.tif 000020
【０２９０】
図２８に示されるＮＣ−ＪＴ  ２−ＰＤＣＣＨシナリオをサポートするべく、テーブル１４に示されるＤＭＲＳ構成情報テーブルは、テーブル２に示されるＤＭＲＳ構成情報テーブルに基づいており、値１２に対応する行が左列に追加される。具体的な内容については、テーブル１４を参照されたい。
テーブル１４
【表２０】
0006943355.tif 000021
【０２９１】
図１９は、ＮＣ−ＪＴに対応するパターンとポートとの間のマッピングの別の概略図である。対応する疑似コロケーション（ｑｕａｓｉ  ｃｏ−ｌｏｃａｔｉｏｎ、ＱＣＬ）グループステータスは、ＴＲＰ１が、ポート｛０、２｝を含むポートグループを使用し、ＴＲＰ２が、ポート｛１、３｝を使用することである。
【０２９２】
図１９に示されるＮＣ−ＪＴ  １−ＰＤＣＣＨシナリオをサポートするべく、テーブル１５−１に示されるＤＭＲＳ構成情報テーブルは、テーブル１に示されるＤＭＲＳ構成情報テーブルに基づいており、値８に対応する行は右列に追加される。具体的な内容については、テーブル１５−１を参照されたい。
テーブル１５−１
【表２１】
0006943355.tif 000022
【０２９３】
図１９に示されるＮＣ−ＪＴ  ２−ＰＤＣＣＨシナリオをサポートするべく、テーブル１５‐２に示されるＤＭＲＳ構成情報テーブルは、テーブル１に示されるＤＭＲＳ構成情報テーブルに基づいており、値８および９に対応する行が左列に追加される。具体的な内容については、テーブル１５−２を参照されたい。
テーブル１５−２
【表２２】
0006943355.tif 000023
【０２９４】
実施形態１から実施形態４のいずれか１つによれば、異なるＮＲシナリオにおいて、または、異なる伝送要件について、送信端は、好適なＤＭＲＳ構成情報を選択し、選択されたＤＭＲＳ構成情報に基づいて、ＤＭＲＳ指示情報を取得し、次に、ＤＭＲＳ指示情報を受信端へ送信する。
【０２９５】
受信端は、ＤＭＲＳ指示情報を指示する値を受信したとき、値によって指示される直交伝送層の数、または、直交ポート番号に基づいて、または、ＤＭＲＳによって占有されないリソースに基づいて、対応する時間周波数リソース位置上で参照信号を復調する。
【０２９６】
基地局によるスケジューリングを容易にするべく、ＭＵ‐ＭＩＭＯシナリオにおいて、特定の受信端について、ＤＭＲＳポートは最初に、１つのＣＤＭグループからスケジューリングされ、次に、ＣＤＭグループを跨いでスケジューリングされる。そのようなスケジューリング規則は、ＣＤＭ優先スケジューリング規則と称され得る。テーブルがＳＵ状態およびＭＵ状態の両方を含むことをＤＭＲＳポートが指示することを考慮すると、特に、ＳＵ−ＭＩＭＯにおけるスケジューリングについて、異なるスケジューリング規則は異なる利点を有する。以下では、具体的な説明の例を提供する。以下のポートマッピング順序が考慮される。
１シンボルＤＭＲＳタイプ１については、ＣＤＭグループ１に含まれるポートは｛０、１｝であり、ＣＤＭグループ２に含まれるポートは｛２、３｝である。
２シンボルＤＭＲＳタイプ１については、ＣＤＭグループ１に含まれるポートは｛０、１、４、５｝であり、ＣＤＭグループ２に含まれるポートは｛２、３、６、７｝である。
１シンボルＤＭＲＳタイプ２については、ＣＤＭグループ１に含まれるポートは｛０、１｝であり、ＣＤＭグループ２に含まれるポートは｛２、３｝であり、ＣＤＭグループ３に含まれるポートは｛４、５｝である。
２シンボルＤＭＲＳタイプ２については、ＣＤＭグループ１に含まれるポートは｛０、１、６、７｝であり、ＣＤＭグループ２に含まれるポートは｛２、３、８、９｝であり、ＣＤＭグループ３に含まれるポートは｛４、５、１０、１１｝である。
【０２９７】
ＳＵについては、送信端は、以下の規則に従って、受信端のＤＭＲＳポートを割り当て得る。以下では、具体的な説明を提供する。ここでは具体的なスケジューリング規則のみが提供されることに留意されたい。ＤＭＲＳマッピング規則が変化するとき、例におけるＤＭＲＳポート番号の割り当ては変化し得るが、スケジューリング規則は変化しない。
【０２９８】
ＣＤＭ優先スケジューリング：受信端については、ＤＭＲＳポートが１つのＣＤＭグループから優先的にスケジューリングされる。ＣＤＭグループにおける全部のポート番号が占有されるとき、スケジューリングが別のポートグループにおいて実行される。当該方式には、ＳＵスケジューリングおよびＭＵスケジューリングが同一の規則を有するという利点がある。以下では、ＤＭＲＳタイプについての具体的な例を提供する。以下の例は、ＤＭＲＳポートスケジューリングテーブル（例えば、テーブル８−１またはテーブル８−２）における行（値）として表され得る。
【０２９９】
１シンボルＤＭＲＳタイプ１については、受信端の２層のデータがスケジューリングされるとき、スケジューリングされたポートは０および１（または２および３）であり得る。言い換えれば、スケジューリングされたポートは同一のＣＤＭグループにある。受信端の３層のデータがスケジューリングされるとき、スケジューリングされたポートは０、１、および２であり得る。言い換えれば、ＣＤＭグループ１における全部のポートがスケジューリングされ、次に、ＣＤＭグループ２におけるポート２がスケジューリングされる。具体的には、テーブル１６−１において、ダウンリンク状態情報の以下の行が反映され得る。
テーブル１６−１  ＤＭＲＳタイプ１の例
【表２３】
0006943355.tif 000024
【０３００】
２シンボルＤＭＲＳタイプ１については、受信端の４層のデータがスケジューリングされるとき、スケジューリングされたポートは、０、１、４および５であり得る。言い換えれば、スケジューリングされたポートは同一のＣＤＭグループにある。受信端の５層のデータがスケジューリングされるとき、スケジューリングされたポートは０、１、４、５および２であり得る。言い換えれば、ＣＤＭグループ１における全部のポートがスケジューリングされ、次に、ＣＤＭグループ２におけるポートがスケジューリングされる。具体的には、テーブル１６−２において、ダウンリンク状態情報の以下の行が反映され得る。
テーブル１６−２  ＤＭＲＳタイプ１の例
【表２４】
0006943355.tif 000025
【０３０１】
１シンボルＤＭＲＳタイプ２については、受信端の３層のデータがスケジューリングされるとき、スケジューリングされたポートは０、１、および２であり得る。言い換えれば、ＣＤＭグループ１における全部のポートがスケジューリングされ、次に、ＣＤＭグループにおけるポート２がスケジューリングされる。受信端の５層のデータがスケジューリングされるとき、スケジューリングされたポートは０、１、２、３、４であり得る。言い換えれば、テーブル１６−３に示されるように、ＣＤＭグループ１および２における全部のポートがスケジューリングされ、次に、ＣＤＭグループ３におけるポートがスケジューリングされる。
テーブル１６−３  ＤＭＲＳタイプ２の例
【表２５】
0006943355.tif 000026
【０３０２】
２シンボルＤＭＲＳタイプ２については、受信端の３層のデータがスケジューリングされるとき、スケジューリングされたポートは、０、１および６であり得る。言い換えれば、ＣＤＭグループ１が占有される、または、言い換えれば、スケジューリングがＣＤＭグループ１において優先的に実行される。受信端の５層のデータがスケジューリングされるとき、スケジューリングされたポートは、０、１、６、７および２であり得る。言い換えれば、テーブル１６−４に示されるように、ＣＤＭグループ１における全部のポートがスケジューリングされ、次に、ＣＤＭグループ２におけるポートがスケジューリングされる。
テーブル１６−４  ＤＭＲＳタイプ２の例
【表２６】
0006943355.tif 000027
【０３０３】
ＦＤＭ優先スケジューリング：受信端については、ＤＭＲＳポートは、最初にＣＤＭグループを跨いでスケジューリングされる。各ＣＤＭグループにおけるポートがスケジューリングされた後に、スケジューリングは、第１ＣＤＭグループから開始して、引き続きＣＤＭグループを跨いで実行される。主な思想は、可能な限り、全部のＣＤＭグループにおいてスケジューリングされるＤＭＲＳポートの数を平均化することである。例えば、３個のポートがスケジューリングされるとき、タイプ２については、３つのＣＤＭグループの各々における１つのポートがスケジューリングされる。この方式は、ＳＵスケジューリング中に各ＣＤＭグループにおいて使用されるＤＭＲＳポートの数を平均化するという特徴を有し、その結果、各ＣＤＭグループにおける電力は、より平均化される。下で提供されるポート番号の順序は、単に、より良く理解するための例に過ぎない。具体的な実装において、ポート番号を書き込む順序は限定されるものではない。例えば、０、２、１、３および４は、０、１、２、３および４に書き込まれ得る。
【０３０４】
１シンボルＤＭＲＳタイプ１については、受信端の２層のデータがスケジューリングされるとき、スケジューリングされたポートは０および２であり得る。言い換えれば、ポートは、優先的にＣＤＭグループを跨いでスケジューリングされる。受信端の３層のデータがスケジューリングされるとき、スケジューリングされたポートは０、１および２であり得る。言い換えれば、テーブル１６−５に示されるように、ＣＤＭグループ１および２の各々における１つのポートがスケジューリングされ、次に、ＣＤＭグループ１におけるポートがスケジューリングされる。
テーブル１６−５  ＤＭＲＳタイプ１の例
【表２７】
0006943355.tif 000028
【０３０５】
２シンボルＤＭＲＳタイプ１については、受信端の２層のデータがスケジューリングされるとき、スケジューリングされたポートは、０および２であり得る。言い換えれば、スケジューリングは、優先的にＣＤＭグループを跨いで実行される。受信端の５層のデータがスケジューリングされるとき、スケジューリングされたポートは、０、２、１、３、４であり得る。言い換えれば、テーブル１６−６に示されるように、スケジューリングされたＤＭＲＳポートは、ＣＤＭグループにおいて、可能な限り均等に割り当てられる。
テーブル１６−６  ＤＭＲＳタイプ１の例
【表２８】
0006943355.tif 000029
【０３０６】
１シンボルＤＭＲＳタイプ２については、受信端の３層のデータがスケジューリングされるとき、スケジューリングされたポートは、０、２および４であり得る。言い換えれば、ＣＤＭグループ１、２および３の各々における１個のＤＭＲＳポートが占有される。受信端の４層のデータがスケジューリングされるとき、スケジューリングされたポートは、０、２、４および１であり得る。言い換えれば、ＣＤＭグループ１、２および３の各々におけるポートがスケジューリングされ、次に、テーブル１６−７に示されるように、ＣＤＭグループ１におけるポートが再度スケジューリングされる。
テーブル１６−７  ＤＭＲＳタイプ２の例
【表２９】
0006943355.tif 000030
【０３０７】
２シンボルＤＭＲＳタイプ２については、受信端の３層のデータがスケジューリングされるとき、スケジューリングされたポートは０、２および４であり得る。受信端の８層のデータがスケジューリングされるとき、テーブル１６−８に示されるように、スケジューリングされたポートは、０、１、２、３、４、５、６および８であり得る。
テーブル１６−８  ＤＭＲＳタイプ１の例
【表３０】
0006943355.tif 000031
【０３０８】
加えて、ＦＤＭ優先スケジューリング方式については、具体的な実装において、ＳＵスケジューリングのスペクトル効率を改善するべく、ＦＤＭ優先スケジューリングにおけるＣＤＭグループの数が限定される。例えば、ＤＭＲＳタイプ２の３つのＣＤＭグループにおいて、ＳＵが限定されるとき、ＣＤＭグループのうちの２つにおいてＦＤＭ優先スケジューリングが実行され得る。この場合、タイプ２については、６層（または４個のＤＭＲＳポート）がスケジューリングされるとき、スケジューリングされたポートは、０、１、２、３、６および８であり得る。言い換えれば、ＣＤＭグループ１および２の両方がスケジューリングされる。８層がスケジューリングされるとき、スケジューリングされたポートは、０、１、２、３、６、７、８および９であり得る。言い換えれば、３個のポートがＣＤＭグループ１および２の各々においてスケジューリングされる。テーブル１６−９に示されるように、この方式は、ＣＤＭグループ３がデータを送信するために使用され得るという利点を有し、それにより、スペクトル効率を改善する。
テーブル１６−９  ＤＭＲＳタイプ２の例
【表３１】
0006943355.tif 000032
【０３０９】
連続するポート番号スケジューリング：受信端については、ＤＭＲＳポートは、ＤＭＲＳポート番号の降順に連続的にスケジューリングされる。この方式は、単純に設計されたテーブルの特徴を有する。例えば、３層はＤＭＲＳポート番号０から２に対応し、５層はＤＭＲＳポート番号０から４に対応し、８層はＤＭＲＳポート番号０から７に対応する。
【０３１０】
具体的な実装において、上述のスケジューリング規則は、組み合わされ得る、もしくは、補完され得る、または、同時に存在し得る。例えば、１シンボルおよび２シンボルＤＭＲＳタイプ１（またはタイプ２）の両方を含むテーブルについては、テーブルは、システムスケジューリングの柔軟性を向上させるべく、ＣＤＭ優先スケジューリング、ＦＤＭ優先スケジューリング、連続ポート番号スケジューリングのステータスを含み得る。
【０３１１】
実装方法において、シンボルの数が同一で、かつ、スケジューリングされた層の数が同一である場合、テーブル１６−１０に示されるように、テーブルは、スケジューリングの柔軟性またはスペクトル効率を改善するべく、ＣＤＭ優先スケジューリングおよびＦＤＭ優先スケジューリングのステータスを両方含み得る。
テーブル１６−１０  ＤＭＲＳタイプ１の例
【表３２】
0006943355.tif 000033
【０３１２】
代替的に、実装において、テーブルにおいて、テーブル１６−１１に示されるように、層の数が、スケジューリングされた層の特定の数より大きい場合に、連続するポート番号スケジューリング規則が使用され得て、層の数が、スケジューリングされた層の特定の数未満である場合に、ＦＤＭまたはＣＤＭ優先スケジューリング規則が使用され得る。
テーブル１６−１１  ＤＭＲＳタイプ１の例
【表３３】
0006943355.tif 000034
【０３１３】
代替的に、テーブルにおいて、１シンボルまたは２シンボルＦＬ  ＤＭＲＳ構成について、異なるスケジューリング規則、または、複数の規則の組み合わせが使用され得る。例えば、テーブル１６−１２において示されるように、１シンボルＤＭＲＳタイプ２については、ＦＤＭ優先スケジューリング規則が使用され、２シンボルタイプ２については、２つのＣＤＭグループにＦＤＭ優先スケジューリング規則が使用され、それにより、２シンボルタイプ２の場合におけるＳＵスケジューリングのスペクトル効率を改善する。
テーブル１６−１２  ＤＭＲＳタイプ２の例
【表３４】
0006943355.tif 000035
【０３１４】
上述の実施形態において提供されるＳＵスケジューリングについての規則は、具体的なポートマッピングを限定しないことに留意されたい。具体的な異なるポートマッピングの順序については、スケジューリングされた異なるＤＭＲＳポートの番号は、同一のスケジューリング規則を使用することによって取得され得ることを理解されたい。例えば、ＣＤＭグループ１におけるポートが｛０、１、４、５｝であり、ＣＤＭグループ２におけるポートが｛２、３、６、７｝であるとき、ＦＤＭ優先スケジューリング規則によれば、６層は、ポート番号０、１、２、３、４および６に対応する。ＣＤＭグループ１におけるポートが｛０、１、４、６｝であり、ＣＤＭグループ２におけるポートが｛２、３、５、７｝であるとき、ＦＤＭ優先スケジューリング規則によれば、６層は、ポート番号０、１、２、３、４および５に対応する。ポートマッピングの順序が異なる場合、上述の２つのポート番号スケジューリング技術は基本的に同一であることを理解されたい。
【０３１５】
つまり、本願の実施形態において提供されるＤＭＲＳ構成情報テーブルにおいて、ＣＤＭグループ情報、または、ＤＭＲＳシンボル情報、または、ＲＭＩ情報が、レートマッチングのために追加され得る。
【０３１６】
以下では、これを詳細に説明する。テーブル１７−１およびテーブル１７−２は、異なるＤＭＲＳ構成（ＤＭＲＳ  ｃｏｎｆｉｇｕｒａｔｉｏｎ  ｔｙｐｅｓ）に対応するＤＭＲＳポート指示テーブル（ＤＭＲＳ  ｐｏｒｔ  ｉｎｄｉｃａｔｉｏｎ  ｔａｂｌｅ）であり、テーブル１７−１はＤＭＲＳタイプ１に対応し、テーブル１７−２はＤＭＲＳタイプ２に対応する。ここで、テーブル１７−１およびテーブル１７−２は各々、コードワード数に基づいて、２つの列に区分され、ビットオーバーヘッドを低減する。具体的な実装において、テーブルの構造は別の方式で設計され得て、これは例に過ぎない。
【０３１７】
本実施形態において、ＤＭＲＳタイプ１およびＤＭＲＳタイプ２の具体的なＤＭＲＳポートマッピング規則は、以下の通りであると想定される。
１シンボルＤＭＲＳタイプ１については、ＣＤＭグループ１に含まれるポートは｛０、１｝であり、ＣＤＭグループ２に含まれるポートは｛２、３｝である。
２シンボルＤＭＲＳタイプ１については、ＣＤＭグループ１に含まれるポートは｛０、１、４、５｝であり、ＣＤＭグループ２に含まれるポートは｛２、３、６、７｝である。
１シンボルＤＭＲＳタイプ２については、ＣＤＭグループ１に含まれるポートは｛０、１｝であり、ＣＤＭグループ２に含まれるポートは｛２、３｝であり、ＣＤＭグループ３に含まれるポートは｛４、５｝である。
２シンボルＤＭＲＳタイプ２については、ＣＤＭグループ１に含まれるポートは｛０、１、６、７｝であり、ＣＤＭグループ２に含まれるポートは｛２、３、８、９｝であり、ＣＤＭグループ３に含まれるポートは｛４、５、１０、１１｝である。
【０３１８】
具体的な実装において、異なるＤＭＲＳポートマッピング規則があり得る。本実施形態は、説明を容易にするためのものに過ぎない。具体的には、異なるマッピング規則については、テーブルにおけるスケジューリング規則は不変のままである。
【０３１９】
各ＤＭＲＳ構成について、ＤＭＲＳのシンボルの数についての情報、および、ＲＭＩ情報がテーブルに追加され得て、ＤＭＲＳレートマッチングが実行されることが分かる。
【０３２０】
任意選択で、ここでは、ＤＭＲＳレートマッチングに使用され得るＲＭＩ情報は、現在のシステムにおいて占有されるＣＤＭグループの数、または、現在のシステムにおいて占有されるＣＤＭグループの組み合わせのステータス、または、占有されたＣＤＭグループのシーケンス番号であり得る。テーブル１７−１およびテーブル１７−２において提供される共同スケジューリングされたＣＤＭグループの数は例に過ぎない。ＣＤＭグループの数を取得するための方法、または、占有されたＣＤＭグループの組み合わせのステータスを取得するための方法については、上述の実施形態における方法が使用され得る。占有されたＣＤＭグループのシーケンス番号を取得する方式については、一実装方法において、１つのＣＤＭグループが占有されるとき、対応するテーブルにおけるＲＭＩは「１」であり、ＣＤＭグループ１が占有されることが指示される。２つのＣＤＭグループが占有されるとき、対応するテーブルにおけるＲＭＩは「１、２」であり、ＣＤＭグループ１および２が占有されることが指示される。または、３つのＣＤＭグループが占有されるとき、対応するテーブルにおけるＲＭＩは「１、２、３」であり、ＣＤＭグループ１、２および３が占有されることが指示される。具体的な実装において、占有されたＣＤＭグループの数と、ＣＤＭグループのシーケンス番号との間の対応関係が変化し得る。これは例に過ぎない。
【０３２１】
任意選択で、ＤＭＲＳシンボル情報がテーブルに追加される。実装方法において、テーブルの一部のみが具体的なスケジューリング中に使用され得て、ＤＣＩオーバーヘッドを低減する。例えば、システムにおける現在のＤＭＲＳの最大シンボル数が１であるとき、具体的なスケジューリング中に、１個のシンボルのみに対応するステータス、言い換えれば、シンボルの数１に対応するステータスは、テーブルにおいて構成される。現在のＤＭＲＳの最大シンボル数が２であることをシステムが通知するとき、テーブルにおける全部のステータスが構成される。テーブル構成方法は、上述の実施形態において提供される解決手段を使用し得る。例えば、独立のＲＲＣシグナリングを使用することによって、テーブルの一部、例えば、シンボルの数１に対応するステータスが選択される。代替的に、テーブル構成は、ＤＭＲＳの最大シンボル数のシグナリングにバインドされ得る。具体的な実装において、上述の実施形態における方法が使用され得て、ここでは詳細を繰り返さない。別の実装方法において、テーブルは、ＤＭＲＳのシンボル数についての情報、言い換えれば、シンボルの数の列を含まないことがあり得る。ＤＭＲＳシンボル情報は、値を使用することによって、黙示的に表される。例えば、テーブル１７−１において、値０から１０は、１シンボルＤＭＲＳタイプ１についての情報に対応し、値１１から３４は、２シンボルＤＭＲＳタイプ１についての情報に対応することが予め定められ得る。
【０３２２】
任意選択で、テーブルは複数のスケジューリング規則を含み得る。例えば、テーブル１７−１において、１コードワードの場合、値２は、受信端の直交ポートの現在の数（ｑｕａｎｔｉｔｙ  ｏｆ  ｌａｙｅｒｓ）が２であり、ポート番号が０および１であること、言い換えれば、ＣＤＭ優先スケジューリング規則に対応し、値３５は、受信端の直交ポートの現在の数が２であり、ポート番号が０および２であること、言い換えれば、ＦＤＭ優先スケジューリング規則に対応する。具体的な実装において、スケジューリングの柔軟性を満たすために、値２および値３５の両方に対応する状態がテーブルにおいて予約される。代替的に、ＳＵについてのＦＤＭ優先スケジューリングを保証するべく、値３５に対応する状態のみが予約され、値２に対応する状態が除去される。この場合、受信端は、ポート番号スケジューリング規則に従って、現在の状態がＳＵ状態であることを黙示的に知り得る。代替的に、ＣＤＭ優先規則に従ってスケジューリングを実行するべく、値２に対応する状態のみが予約され、値３５に対応する状態が除去され、それによりスペクトル効率を改善する。具体的には、テーブル１７−１において、値０から３４は、基本的スケジューリング要件を満たす解決手段に対応し、値３５から３８は、異なるスケジューリング方法に対応する。実装方法において、オーバーヘッドを低減するべく、テーブルは値３５から３８を含まないことがあり得る。代替的に、特定のスケジューリング要件を実装するべく、値３５から３８のうち１または複数が、値０から３４の１または複数と置き換わり得る。代替的に、柔軟なスケジューリングを実装するべく、値３５から３８のうち１または複数が、テーブルにおいて予約され得る。同様に、テーブル１７−２において、２コードワードの場合、値２４は、６層があるときのＣＤＭ優先スケジューリング規則に対応し、値７３は、６層があるときの連続するＤＭＲＳポート番号スケジューリング方式に対応し、値７４は、６層があるときの２つのＣＤＭグループにおけるＦＤＭ優先スケジューリング規則に対応する。具体的な実装において、柔軟なスケジューリング、または、オーバーヘッドの低減の要件を満たすべく、３つの方式のうちの任意の１または複数が予約され得る。具体的には、テーブル１７−２において、値０から７０は、基本的スケジューリング要件を満たす解決手段に対応し、値７１から８１は、異なるスケジューリング方法に対応する。具体的な実装において、オーバーヘッドを低減するべく、テーブルは値７１から８１を含まないことがあり得る。代替的に、値７１から８１のうち１または複数は、値０から７０のうち１または複数と置き換わり得て、例えば、１コードワードの場合、値７１に対応する状態が予約され、値２に対応する状態が除去され、特定のスケジューリング要件を実装する。代替的に、柔軟なスケジューリングを実装するべく、値７１から８１のうち１または複数がテーブルにおいて予約され得る。テーブル１７−１およびテーブル１７−２において提供されるスケジューリング方式は例に過ぎないことを理解されたい。具体的な実装において、スケジューリングの柔軟性を改善し、スケジューリング要件を満たすべく、他のスケ��ューリング方式が追加され得る。
【０３２３】
任意選択で、テーブル１７−１およびテーブル１７−２は、コードワード数に基づいてＤＣＩオーバーヘッドが低減される方式を提供する。具体的な実装において、分類は、コードワード数に基づいて実行されないことがあり得て、例えば、複数の列が受信端の直交ポートの層の数（直交ＤＭＲＳポートの数）に基づいて区分され得て、ＤＣＩオーバーヘッドを低減する。代替的に、テーブル１７−１（またはテーブル１７−２）における１コードワードおよび２コードワードに対応する状態が、異なるテーブルにグルーピングされ、異なるビットオーバーヘッドに対応する。代替的に、テーブル１７−１（またはテーブル１７−２）における１コードワードおよび２コードワードに対応する状態が共に符号化される。例えば、テーブル１７−１における値０から３８は、受信端の直交層の数が４以下である状態に対応し、３９以上の値は、テーブル１７−１における２コードワードの場合における状態（受信端の直交層の数が４より大きい）に対応する。実装方法については、テーブル１７−３およびテーブル１７−４を参照されたい。具体的な実装において、異なるスケジューリング要件を実装するべく、状態指示シーケンスが変更され得る、または、一部の項目が置き換えられ得る、または除去され得る。代替的に、オーバーヘッドを低減するべく、具体的なスケジューリングにおいて、テーブルにおける一部の状態が使用されることが構成され得る。具体的な実装方法については、上述の実施形態を参照されたい。加えて、テーブル１７−４およびテーブル１７−３における括弧内の内容に示されるように、テーブルはＳＵおよびＭＵ状態の指示を含み得る。具体的な実装において、ＳＵおよびＭＵ状態の指示情報が含まれないことがあり得て、ここでは可能な実装方法が提供されることを理解されたい。
テーブル１７−１  ＤＭＲＳポート組み合わせタイプ１の例
【表３５】
0006943355.tif 000036
テーブル１７−２  ＤＭＲＳポート組み合わせタイプ２の例
【表３６】
0006943355.tif 000037
【表３７】
0006943355.tif 000038
テーブル１７−３  ＤＭＲＳポート組み合わせタイプ１の例
【表３８】
0006943355.tif 000039
【表６８】
0006943355.tif 000040
テーブル１７−４  ＤＭＲＳポート組み合わせタイプ２の例
【表３９】
0006943355.tif 000041
【表４０】
0006943355.tif 000042
【表４１】
0006943355.tif 000043
【０３２４】
ＬＴＥにおいて、ＭＵ−ＭＩＭＯの場合、最大４個の直交ポートがサポートされる。これらのポートは同一のＲＥリソースを使用する。そのような設計の利点は、ＭＵ−ＭＩＭＯの場合に、ＤＭＲＳレートマッチング（ｒａｔｅ  ｍａｔｃｈｉｎｇ、ＲＭ）問題を効果的に回避できるということである。簡単に言えば、レートマッチングとは、端末は、端末の時間周波数リソース上でデータ伝送が実行されないＲＥを認識する必要があることを意味し、これにより、データ復調中にこれらのＲＥを避け、正確にデータを復号する。例えば、ダウンリンク伝送中、端末の時間周波数リソース上の一部のＲＥは、制御チャネルまたはＲＳによって占有され得る。基地局がＲＥの位置についての情報を端末に通知しない場合、端末は、当該位置のＲＥまたは制御情報をデータとして使用して復調を実行し、復号エラーをもたらす。
【０３２５】
単一ユーザＭＩＭＯ（ｓｉｎｇｌｅ  ｕｓｅｒ  ｍｕｌｔｉｐｌｅ−ｉｎｐｕｔ  ｍｕｌｔｉｐｌｅ−ｏｕｔｐｕｔ、ＳＵ−ＭＩＭＯ）シナリオにおいて、基地局は、１つの端末のみと通信し、時間周波数リソース上で、端末の情報（ＲＳ、制御シグナリング、データまたは同様のもの）のみを送信する。この場合、端末は、端末の情報（例えば、端末のポート、層の数、または同様のもの）に基づいて、端末のＤＭＲＳ  ＲＥの位置を直接知り、データ復号中にＲＥを回避することができる。したがって、ＳＵシナリオにはＤＭＲＳレートマッチングの問題が無い。
【０３２６】
マルチユーザＭＩＭＯ（ｍｕｌｔｉ−ｕｓｅｒ  ｍｕｌｔｉｐｌｅ−ｉｎｐｕｔ  ｍｕｌｔｉｐｌｅ−ｏｕｔｐｕｔ、ＭＵ−ＭＩＭＯ）において、基地局は、複数の端末と通信し、端末間の直交性は、直交ＤＭＲＳポート（ｐｏｒｔ）を使用することによって保証され、ポート間の直交性は、時分割多重化（ｔｉｍｅ  ｄｉｖｉｓｉｏｎ  ｍｕｌｔｉｐｌｅｘｉｎｇ、ＴＤＭ）、周波数分割多重化（ｆｒｅｑｕｅｎｃｙ  ｄｉｖｉｓｉｏｎ  ｍｕｌｔｉｐｌｅｘｉｎｇ、ＦＤＭ）、または、符号分割多重化（ｃｏｄｅ  ｄｉｖｉｓｉｏｎ  ｍｕｌｔｉｐｌｅｘｉｎｇ、ＣＤＭ）を通して保証され得る。ＴＤＭおよびＦＤＭが使用されるとき、直交ＤＭＲＳポートは、異なる時間周波数リソースを占有する。この場合、ＤＭＲＳポートによって占有されるＲＥ上では、他のＤＭＲＳポートのデータを伝送できない。例えば、ポート１およびポート２は、ＦＤＭまたはＴＤＭを通して直交し、ポート１はＲＥ１を占有する。この場合、基地局は、ポート２のデータがポート１のＤＭＲＳにノイズ干渉を引き起こすことを防止するために、および、チャネル推定精度に影響を与えることを回避するために、ＲＥ１上でポート２のデータを送信しない。しかしながら、ポート１およびポート２がＣＤＭを通して直交するとき、上述の問題は存在しない。なぜなら、ポート１のＤＭＲＳおよびポート２のＤＭＲＳは同一のＲＥを占有するが、２個のポートは符号分割多重化モードにおいて多重化を実行し、それにより、２個のポートのＤＭＲＳの間で直交性を保証するからである。
【０３２７】
ＭＵ−ＭＩＭＯの間に、端末は、別の端末によって使用されるポート上のＤＭＲＳによって占有される、端末のデータが伝送されないＲＥ位置を知るために、共同スケジューリングされる別の端末のポート情報を認識する必要がある。端末が当該情報を知ることができない場合、端末は、復号のために、別のユーザからのＤＭＲＳを端末のデータとして使用して、復号エラーにつながる。
【０３２８】
ＬＴＥにおいて、ＭＵ−ＭＩＭＯにおけるレートマッチング問題は、スケジューリングされたポートのＤＭＲＳがＣＤＭを通して多重化されることを保証することによって解決される。この場合、全部の端末のＤＭＲＳは、ＣＤＭを通して同一のＲＥ上で多重化され、それにより、ＤＭＲＳレートマッチングの問題を回避する。そのような設計は、端末に透過的なＭＵ−ＭＩＭＯと称され得る。しかしながら、上で説明されるように、ＬＴＥにおいて、この透過的設計を保証するべく、ＭＵ−ＭＩＭＯは、最大４個の直交ポートのみをサポートできる。
【０３２９】
ＮＲシステム、例えば５Ｇにおいて、ＭＵ−ＭＩＭＯを十分に活用するべく、ＭＵ−ＭＩＭＯが最大１２個の直交ポートをサポートする設計が規格において使用されてきた。既存の規格におけるＤＭＲＳパターンは最大４個のポートのみのＣＤＭ多重化をサポートできることを考慮すると、ＬＴＥにおける透過的解決手段は、もはや適用可能でない。
【０３３０】
したがって、そのような新しいＭＵ−ＭＩＭＯ  ＤＭＲＳレートマッチング設計は非常に重要であり、ＤＭＲＳレートマッチングは、以下の方式で解決できる。
【０３３１】
第１の方式において、ＤＭＲＳに対応するリソース単位、例えば、シンボル（ｓｙｍｂｏｌ）の位置における全部のサブキャリアにおいて、データは伝送されない。そのような解決手段は、シグナリング指示を必要としないが、スペクトルリソースの比較的大きい無駄を生じさせる。例えば、図２０において、ＵＥ０は、ポート１からポート４を使用し、ＵＥ１は、ポート５からポート８を使用し、ポート９からポート１２の位置に対応するＲＥ上ではデータが伝送されない。これにより、リソースの大きい無駄が生じる。
【０３３２】
第２の方式において、ＵＥは、別のＵＥのポートシーケンス番号を直接通知される。別のＵＥが比較的多くのポートを占有するとき、比較的高いシグナリングオーバーヘッドが生じる。例えば、ＵＥ０がポート１および２を使用し、ＵＥ１がポート５からポート８を使用するとき、ＵＥ０は、ＵＥ１によって使用されるポート５から８を通知される必要があり、ＵＥ１は、ＵＥ０によって使用されるポート１および２を通知される必要がある。この方式は、特に高いシグナリングオーバーヘッドを必要とする。
【０３３３】
具体的には、ＤＭＲＳポートの絶対位置を指示するために１／０ビットマップが必要である。例えば、図３４における各ＤＭＲＳポートグループは、１ビットを使用することによって別々に指示され、図２０に含まれる６つのポートグループについては、実際に送信する層の数を指示するために６ビットが使用される必要があり、例えば、現在の基地局によってスケジューリングされる層の数を直接指示するために、ポート割り当て規則を制限に使用する。図２０については、１層から１２層が別々に指示される必要がある可能性があり、４ビットが指示のために必要である。
【０３３４】
より有効なデータ伝送を実装するべく、本願は、サポートされる最大ポート数、ＤＭＲＳパターン、または、パターンにおけるＣＤＭポートグループ数、または、ＤＭＲＳ構成タイプに対応するレートマッチング指示の解決手段を提供し、これにより、５Ｇ  ＤＭＲＳ伝送要件とマッチングさせる。
【０３３５】
以下では、本願において提供される、ＤＭＲＳレートマッチングを指示および受信する方法を説明する。
【０３３６】
図２１は、本願において提供される復調参照信号レートマッチングを指示および受信する方法を示す。当該方法は以下の段階を備え得る。
【０３３７】
Ｓ２０１．送信端が復調参照信号（ＤＭＲＳ）指示情報を生成し、ＤＭＲＳ指示情報は、ＤＭＲＳによって占有されない、ＤＭＲＳの搬送に利用可能なリソースにおけるリソースを指示するために使用される。
【０３３８】
ＤＭＲＳ指示情報は、ＤＭＲＳの搬送に利用可能なリソースにおける、ＤＭＲＳによって占有されないリソースを指示するために、直交伝送層の現在の量子化数、現在使用されるポートグループ状態の組み合わせ、直交伝送層数、または、受信端によって現在使用されていないポートグループ状態、または、ミュートされる必要があるリソース単位を指示する。
【０３３９】
実装において、送信端がＤＭＲＳ指示情報を送信する前に、方法は更に、ＤＭＲＳ伝送方式指示情報を送信して現在のＤＭＲＳ伝送方式を指示する段階であって、異なるＤＭＲＳ伝送方式は異なるサポートされる最大直交ポート数に対応する、または、異なるＤＭＲＳパターンもしくは異なるＤＭＲＳ構成タイプに対応する、段階を含む。
【０３４０】
具体的には、異なるサポートされる最大ポート数、または、ＤＭＲＳパターン（またはＤＭＲＳパターンにおけるＣＤＭポートグループ数）、または、ＤＭＲＳ構成タイプは、異なるＤＭＲＳ指示情報を使用することによって指示される。例えば、サポートされる最大直交ポート数が４、６、８、１２である、または、サポートされる最大非直交ポート数が８、１２、１６および２４であるＭＵ‐ＭＩＭＯシナリオにおいて、サポートされる最大ポート数のうちの全部は、対応するＤＭＲＳレートマッチング情報をそれぞれ有し、これらのＤＭＲＳレートマッチング状態のうち少なくとも２つは異なる。
【０３４１】
ＤＭＲＳ指示情報は、レートマッチングステータス、言い換えれば、時間周波数リソースにおいて、どのリソース単位が他の受信端のＤＭＲＳによって占有されず、しかしデータ伝送に使用されるかを受信端に通知するために使用される。受信端は、データ復調中に、これらのリソース単位上でデータを正確に復号し得る。
【０３４２】
別の実装において、ＤＭＲＳ指示情報は、異なるＤＭＲＳパターンについて、または、ＤＭＲＳパターンに含まれるＤＭＲＳポートグループの数について構成される（例えば、２または３つのＤＭＲＳポートグループを含むＤＭＲＳパターンにそれぞれ対応する２つのテーブルがあり得る）。  通常、１つのＤＭＲＳパターンは、サポートされる最大直交ポート数をサポートする１つのＭＵ‐ＭＩＭＯシナリオに対応する。ＤＭＲＳパターンは、ＭＵ‐ＭＩＭＯシナリオによってサポートされる直交ＣＤＭポートグループの数、および、各ポートグループに含まれるリソース単位の数を示す。したがって、異なる指示情報が、異なるＤＭＲＳパターンに構成される。代替的に、受信端は、どのリソース単位がＤＭＲＳ伝送に使用されず、しかしデータ伝送に使用されるかを時間周波数リソース上で指示し得る。受信端はデータを正確に復号し得る。
【０３４３】
更に別の実装において、ＤＭＲＳ指示情報は、ＤＭＲＳ構成タイプ（ｃｏｎｆｉｇｕｒａｔｉｏｎ  ｔｙｐｅ）のために更に構成され得る。
【０３４４】
具体的な実装において、本願の本実施形態における説明を容易にするべく、ＤＭＲＳ指示情報は、値を使用することによって表され得る。具体的な実装において、ＤＭＲＳ指示情報はＮビットであり得て、ＮはＤＭＲＳパターンに含まれるＤＭＲＳポートグループの数Ｍ（ＣＳ／ＯＣＣ／ＣＳ＋ＯＣＣ）に関連する。パターンまたはＤＭＲＳ構成タイプ（ｔｙｐｅ）が異なる場合、Ｎの値は異なり得る。例えば、２つのＤＭＲＳポートグループ（Ｍ＝２）を含むＤＭＲＳ構成タイプ１について、Ｎは１または２であり得る。３つのＤＭＲＳポートグループ（Ｍ＝３）を含むＤＭＲＳ構成タイプ２について、Ｎは２または３であり得る。
【０３４５】
以下のテーブル１８において示されるように、これは、ＤＭＲＳ指示情報の例である。本実施形態におけるＤＭＲＳ指示情報は、主にレートマッチングに使用され、したがって、レートマッチング指示情報として表される。具体的な形式は、以下の形式に限定されるものではなく、テーブル、数字、または、数式であり得る。ＤＭＲＳ指示情報はＰの状態を有し、Ｐの値は、Ｎビット（全部シグナリング状態）、または、Ｎ個より多いビット（システムスケジューリングの柔軟性を増大させる、または、他の設計要件を満たす）、または、Ｎ個より少ないビット（シグナリングオーバーヘッドを低減するために量子化する）を使用することによって表され得る。Ｍ＿ｐは、レートマッチング情報（Ｒａｔｅ  ｍａｔｃｈｉｎｇ  ｉｎｆｏｒｍａｔｉｏｎ、ＲＭＩ）、または、ＤＭＲＳレートマッチング情報を含むパラメータセット（ｐａｒａｍｅｔｅｒ  ｓｅｔ）である。端末は、Ｍ＿ｐの指示に従って、ＤＭＲＳ関連レートマッチングを完了し得る。レートマッチング情報は、後の説明および図面において、ＲＭＩによって表されるが、これは説明を容易にするためのものに過ぎず、その意味に限定を課すものではない。具体的な実装において、レートマッチング情報は、直交伝送層の数の量子化値を使用することによって指示され得る、または、ポート番号を使用する、または、ＣＤＭグループを使用するなど、上述した方法を使用することによって指示され得る。
テーブル１８
【表４２】
0006943355.tif 000044
【０３４６】
レートマッチング指示情報はレートマッチング情報に関連する。レートマッチング情報が、直交伝送層の具体的な数を使用することによって表され得るとき、ＤＭＲＳ指示情報はＤＭＲＳ構成情報において決定される。ＤＭＲＳ構成情報は、直交ポートの合計数の指示情報を更に含み、直交ポートの合計数の指示情報は、実際に提供される可能性がある全部の直交ポートの数、または、実際に提供される可能性がある全部の直交ポートの数の量子化値を指示し得る。全部の直交ポートの数の量子化値は、直交ＤＭＲＳ層の数についての情報、直交ＤＭＲＳアンテナポートセットの指示情報、直交ＤＭＲＳアンテナポートのＣＤＭグループ情報、または、ＣＤＭグループサイズに基づいて生成される情報である。
【０３４７】
具体的な実装において、直交伝送層の数の量子化値は、ＤＭＲＳ層の数、ＤＭＲＳアンテナポートセット情報、または、ＤＭＲＳアンテナポートＣＤＭグループ情報についてのものであり得る。ＤＭＲＳ層の数についての情報において、ＤＭＲＳ層の数は、ＣＤＭグループにおけるＤＭＲＳアンテナポートの数の整数倍であり得る。例えば、２つのＤＭＲＳアンテナポートグループを含むＤＭＲＳパターンについて、ポートグループ１は｛１、２、３、４｝であり、ポートグループ２は｛５、６、７、８｝であると想定すると、ポートグループ１およびポートグループ２は、４層および８層に量子化され得る。加えて、ＤＭＲＳ層の数についての情報において、ＤＭＲＳ層の数は、代替的に、ＣＤＭグループにおける昇順の連続的なシーケンス番号を有するＤＭＲＳアンテナポートの数の整数倍であり得る。例えば、ＣＤＭグループ｛１、２、５、７｝および｛３、４、６、８｝は、２層および４層に量子化され得る。全部の情報は、どのリソース単位が受信端でのＤＭＲＳ伝送のために使用されるか、および、どのリソース単位が、ＣＤＭ多重化を実装する他の受信端でのＤＭＲＳ伝送に使用されるかを受信端が識別することを可能にすることができる。残りのリソースユニットは、受信端に関連するデータ伝送に使用される。したがって、受信端は、対応するリソース単位上でデータを復調する。
【０３４８】
レートマッチング情報の内容は、ＤＭＲＳパターンにおけるポートマッピング順序と共に変動し得て、例えば、以下を含み得るが、これらに限定されるものではないことを理解されたい。
【０３４９】
１．各ＤＭＲＳポートグループのミュート状態または使用状態：レートマッチング情報は、ＤＭＲＳポートグループの状態を指示し、ＲＭＩの内容はポートマッピング順序と無関係である。ＣＤＭグループにおける番号付けの順序に対する具体的な限定は無い。例えば、ポートは、ポートグループにおけるポートの最小シーケンス番号から昇順で番号が付与され得る。
【０３５０】
２．等級付けを通して量子化されるシステムの直交伝送層の現在の数
【０３５１】
ＤＭＲＳポート番号は、ｐ＝ｙ＋ｖであり、ｙはポート番号のオフセットであると想定すると、ｐはＮＲにおいて定義される最小ＤＭＲＳポート値であり、ｖ＝１、２、...は、ＰＤＳＣＨ上の直交伝送層の現在の数（ＬＴＥにおける８個のポート）であることを保証できる。ｖは等級付けを通して量子化され、レートマッチングのためにＤＣＩシグナリングオーバーヘッドを低減する。具体的な実装において、ｖは上向きまたは下向きに量子化され得る。
【０３５２】
２．１．等級付けを通して上向きに量子化されるシステムの層の現在の数の合計（レートマッチング情報の内容は、マッピング順序の関連する）。これは、各ＣＤＭグループにおける連続するポート番号の数、または、最大ポートシーケンス番号に等しいことがあり得る（ｙ＝０であり、各ＣＤＭグループにおけるポート番号が連続し、昇順または降順であるときのみを想定する）。例えば、｛１、２、３、４｝、｛５、６、７、８｝および｛９、１０、１１、１２｝のマッピング順序が変化するとき、同一のＤＭＲＳパターンについては、ＲＭＩの内容は変化する。
【０３５３】
２．２．システムの直交伝送層の現在の数の合計が、等級付けを通して下向きに量子化される。この方式において、レートマッチング情報の内容は、ＤＭＲＳパターンにおけるマッピング順序と無関係であり、内容は、ＣＤＭグループにおける連続するポート番号における最小ポート番号に等しいことがあり得る、または、１から番号が付与されたポート番号の量子化値であり得る（ｙ＝０であり、ポートは１から番号が付与されることを想定する）。
【０３５４】
２．３．ＤＭＲＳグループにおけるポート番号が昇順にソートされるときの、連続するＤＭＲＳ番号の数。例えば、２つのＤＭＲＳポートグループ｛１、２、５、６｝および｛３、４、７、８｝は、２層および４層に量子化され得る。
【０３５５】
直交ＤＭＲＳ伝送層の数の量子化値を使用する理由は、例えば、具体的な直交伝送層数｛１、２、３、４｝を指示する必要がある場合、指示のために２ビットを必要とするからであることに留意されたい。直交伝送層数｛１、２、３、４｝が値に量子化される、例えば、直交伝送層数４に上向きに量子化される、または、直交伝送層数１に下向きに量子化されるとき、または、直交伝送層数｛１、２、３、４｝が２または３によって表されるとき、直交伝送層の数の量子化値を指示するために、１ビットのみが必要である。例えば、０は、直交伝送層数の量子化値４を表すために使用される。したがって、指示オーバーヘッドを低減できる。
【０３５６】
２．４．ＤＭＲＳグループ状態情報、ＤＭＲＳグループシーケンス番号もしくはグループ番号、または、ＤＭＲＳグループ数。ＣＤＭグループの数は、システムにおいて占有／スケジューリング（共同スケジューリング）されるＣＤＭグループの数である。
【０３５７】
Ｓ２０２．送信端は、時間周波数リソース上でＤＭＲＳ指示情報を送信する。
【０３５８】
具体的な実装において、本願の本実施形態において、ＤＭＲＳ指示情報は、異なるサポートされる最大ポート数、または、異なるＤＭＲＳパターンに対応するレートマッチング方式を指示するために使用され得る。一方式は、黙示的な指示であり、別の方式は、明示的なシグナリングを使用することによる指示である。
【０３５９】
黙示的な指示の解決手段において、直交伝送層の数の量子化値は、ＤＭＲＳ構成情報テーブルにおいて構成され、指示情報は、ＤＭＲＳ構成情報テーブルにおけるＤＭＲＳ指示情報（値）を使用することによって指示される。ＤＭＲＳ構成情報テーブルはＬＴＥと同様であり得る。例えば、ＤＭＲＳ指示情報は、ＬＴＥにおける、アンテナポートの数（Ａｎｔｅｎｎａ  ｐｏｒｔｓ）、スクランブル識別子（ｓｃｒａｍｂｌｉｎｇ  ｉｄｅｎｔｉｔｙ）、および、直交伝送層の数の指示（ｎｕｍｂｅｒ  ｏｆ  ｌａｙｅｒｓ  ｉｎｄｉｃａｔｉｏｎ）である。ＤＭＲＳ構成情報テーブルは、ＤＭＲＳポート数、ポートインデックス、シーケンス生成情報、および、ＣＤＭタイプのうち少なくとも１つを更に含み得る。これに基づいて、直交伝送層の数の量子化値が追加される。ＤＭＲＳ構成情報テーブルは、送信端および受信端の両方において記憶され得る。送信端は、指示情報を受信端へ送信する。送信端は、ＬＴＥにおける元のＤＣＩシグナリングを受信端へ送信することを理解されたい（ＬＴＥにおけるシグナリングが使用されるので、ＤＣＩシグナリングは、指示情報と名付けられないことがあり得るが、レートマッチングの解決手段を指示し得る）。受信端は、シグナリングを使用することによって、受信端のポート情報、および、システムにおける伝送層の合計量子化数を取得して、２つの情報を参照して、別の受信端によって使用されるポートを計算する。言い換えれば、受信端は、受信端におけるＤＭＲＳ伝送のためにどのリソース単位が使用されるか、および、ＣＤＭ多重化を実装する他の受信端において、どのリソース単位がＤＭＲＳ伝送のために使用されるかを識別する。残りのリソースユニットは、受信端に関連するデータ伝送に使用される。したがって、受信端は、対応するリソース単位上でデータを復調する。
【０３６０】
明示的なシグナリング指示の解決手段において、ＤＭＲＳ指示情報とレートマッチング情報との間の対応関係は、ＬＴＥにおけるＤＭＲＳ構成情報テーブルと独立に存在する。言い換えれば、ＤＭＲＳ指示情報とレートマッチング情報との間の対応関係は、ＤＭＲＳ構成情報テーブルにおいて示唆されない。したがって、ＤＭＲＳ構成情報テーブルに加えて、送信端および受信端は更に、ＤＭＲＳ指示情報とレートマッチング情報との間の対応関係構成テーブルを別々に記憶する（または、情報テーブルは、ＲＲＣを通して構成され得る）。対応関係構成テーブルは、ＤＭＲＳ構成情報テーブルとは独立に存在する。送信端は、黙示的なシグナリングを使用することによって、レート構成指示情報を受信端へ送信する。受信端はＤＭＲＳ指示情報をインデックスとして使用して、対応関係構成テーブルにおいて、対応するレートマッチング情報を検索する。受信端は、レートマッチング情報をＤＭＲＳ構成情報テーブルと組み合わせ、受信端のＤＭＲＳによってどのリソース単位が占有されるか、および、ＣＤＭ多重化を実装する他の受信端のＤＭＲＳによってどのリソース単位が占有されるかを識別する。残りのリソースユニットは、受信端に関連するデータ伝送に使用される。したがって、受信端は、対応するリソース単位上でデータを復調する。
【０３６１】
同一の値を有するＤＭＲＳ指示情報は、直交伝送層の異なる数の量子化値に対応し得ることに留意されたい。したがって、ＤＭＲＳ指示情報と、直交伝送層の数の量子化値との間の対応関係は、代替的に別個のシグナリングを通して指示され得る。明示的な指示の解決手段において、直交伝送層の量子化数は、ＤＭＲＳ指示情報を使用することによって指示されることを理解されたい。受信端は２つのシグナリングを受信し、１つのシグナリングは、ＬＴＥにおけるＤＭＲＳ  ＤＣＩシグナリングであり、他のシグナリングは、直交伝送層の現在の量子化数のＤＭＲＳ指示情報を送信するために使用される、または、ＤＭＲＳ指示情報を含むシグナリング（本明細書においてレートマッチングシグナリングとも称され得る）である。
【０３６２】
黙示的な指示の解決手段であるか、または、明示的な指示の解決手段であるかに関係なく、ＤＭＲＳ指示情報は、独立のシグナリングとして受信端へ送信され得る、または、送信のためにダウンリンクシグナリングにおいて搬送され得ることを理解されたい。ここではこれに限定されない。
【０３６３】
ＤＭＲＳ指示情報を送信し、ＤＭＲＳ指示情報と直交伝送層の数の量子化値との間の対応関係を指示するための上述のシグナリングは、無線リソース制御（ｒａｄｉｏ  ｒｅｓｏｕｒｃｅ  ｃｏｎｔｒｏｌ、ＲＲＣ）シグナリング、媒体アクセス制御制御要素（ｍｅｄｉａ  ａｃｃｅｓｓ  ｃｏｎｔｒｏｌ  ｃｏｎｔｒｏｌ  ｅｌｅｍｅｎｔ、ＭＡＣ  ＣＥ）、もしくはＤＣＩシグナリング、または、当該３つのシグナリングのうちの任意の２以上の組み合わせであり得る。
【０３６４】
実装において、シグナリングを使用することによってＤＭＲＳ指示情報を送信するかどうかは、コードワード（ｃｏｄｅｗｏｒｄ）の数に基づいて決定される。例えば、１コードワードの場合、ＤＭＲＳ指示情報を送信するためにシグナリングがトリガされるが、２コードワードの場合、シグナリングは送信されない。なぜなら、２コードワードに対応するＳＵ−ＭＩＭＯ（ｓｉｎｇｌｅ  ｕｓｅｒ  ｍｕｌｔｉｐｌｅ−ｉｎｐｕｔ  ｍｕｌｔｉｐｌｅ−ｏｕｔｐｕｔ、ＳＵ−ＭＩＭＯ）シナリオにおいて、送信端、例えば、基地局が、１つの受信端（端末）のみと通信するとき、端末の情報（ＲＳ、制御シグナリング、データまたは同様のもの）のみが時間周波数リソース上で伝送されるからである。この場合、端末は、端末の情報（例えば、端末のポート、層の数、または同様のもの）に基づいて、端末のＤＭＲＳ  ＲＥの位置を直接知り、データ復号中にＲＥを回避することができる。したがって、ＳＵシナリオにはＤＭＲＳレートマッチングの問題が無い。
【０３６５】
Ｓ２０３．受信端はＤＭＲＳ指示情報を受信する。
【０３６６】
Ｓ２０４．ＤＭＲＳ指示情報に基づいてレートマッチング情報を取得し、ＤＭＲＳが伝送されないリソース上でデータを復調する。
【０３６７】
具体的な実装において、黙示的な指示方式が使用される場合、ＤＭＲＳ指示情報を受信した後に、受信端は、ＤＭＲＳ指示情報の値をインデックスとして使用して、ＤＭＲＳ構成情報テーブルにおいて、直交伝送層の対応する数の量子化値（更に、ＤＭＲＳ層の数についての情報、ＤＭＲＳアンテナポートセット情報、ＤＭＲＳアンテナポート符号分割多重化ＣＤＭグループ情報、または同様のものを知る）、受信端によって使用される層の数、および、ＤＭＲＳポート番号などの情報を検索する。次に、受信端は、受信端におけるＤＭＲＳ伝送のためにどのリソース単位が使用されるか、および、ＣＤＭ多重化を実装する他の受信端において、どのリソース単位がＤＭＲＳ伝送のために使用されるかを識別する。残りのリソースユニットは、受信端に関連するデータ伝送に使用される。したがって、受信端は、対応するリソース単位上でデータを復調する。明示的な指示方式が使用される場合、ＤＭＲＳ構成情報テーブルに加えて、送信端および受信端が対応関係構成テーブルを別々に更に記憶する（または、対応関係構成テーブルは、ＲＲＣを通して構成され得る）とき、受信端は、指示情報をインデックスとして使用して、対応関係構成テーブルにおいて、対応するレートマッチング状態を検索する。受信端は、レートマッチング情報をＤＭＲＳ構成情報テーブルと組み合わせて、どのリソース単位がＤＭＲＳ伝送のために受信端によって使用されるか、および、どのリソース単位がＤＭＲＳ伝送のために他の受信端によって使用されるかを識別する（任意選択で、実装方法において、情報は、レートマッチング情報を使用することによって直接取得され得る）。残りのリソースユニットは、受信端に関連するデータ伝送のために使用される。したがって、受信端は、対応するリソース単位上でデータを復調する。
【０３６８】
本願において提供される、ＤＭＲＳを指示および受信する方法は更に、非コヒーレント共同伝送（Ｎｏｎ−ｃｏｈｅｒｅｎｔ  ｊｏｉｎｔ  ｔｒａｎｓｍｉｓｓｉｏｎ、ＮＣ−ＪＴ）２‐ＰＤＣＣＨシナリオに適用され得る。具体的には、非疑似コロケーションＱＣＬグループを使用する２つの送信端は、当該送信端のものでないＤＭＲＳに対応するリソース単位をミュートした後に、各々データを送信する。送信端は、相手側のＤＭＲＳポートグループを相互にミュートすることを理解されたい。具体的な実装において、ＴＲＰがデフォルトで、相手のＴＲＰのＱＣＬグループにおけるＤＭＲＳに対応するＲＥ位置をミュートするということがあり得る。ＤＭＲＳパターンタイプ１については、２つのＤＭＲＳポートグループが含まれる。ＮＣ−ＪＴシナリオにおいて、２つのＤＭＲＳポートグループは、非ＱＣＬであり得て、ＤＭＲＳポートグループの各々におけるポートはＱＣＬである。この場合、２つのＴＲＰは、１つのポートグループを別々に使用し得る。したがって、この解決手段は、余分なシグナリング指示なしで、問題を直接解決できる。ＤＭＲＳパターンタイプ２については、３つのＤＭＲＳポートグループが含まれる。この場合、１つのＴＲＰは１つのＤＭＲＳポートグループを使用し得て、他のＴＲＰは２つのＤＭＲＳポートグループを使用し得る。したがって、２つのＤＭＲＳポートグループを使用するＴＰＲは、指示情報を使用することによって指示を実行する必要があり、ＤＭＲＳポートグループを使用するＴＰＲは、指示情報を使用することなく、指示を実行し得る。
【０３６９】
１‐ＰＤＣＣＨシナリオにおいて、独立の指示方式が代替的に使用され得る。具体的手順については、同様に図２１に示される段階を参照されたい。
【０３７０】
段階Ｓ２０１において、非コヒーレント共同伝送送信端は、ＤＭＲＳ指示情報を生成し、ＤＭＲＳ指示情報は、複数の協調するＴＲＰが利用可能なＱＣＬグループにおけるＤＭＲＳポートに基づいて生成されることに留意されたい。
【０３７１】
段階Ｓ２０２において、送信端は、ＤＭＲＳ指示情報を受信端へ送信する。１‐ＰＤＣＣＨシナリオにおいて、ＤＭＲＳ指示情報は、複数の協調ＴＲＰが利用可能なＤＭＲＳに対応するリソース単位を指示する。２‐ＰＤＣＣＨシナリオにおいて、レートマッチング情報は、送信端によって使用されるＤＭＲＳに対応するリソース単位を指示する。
【０３７２】
受信端がＤＭＲＳ指示情報を受信した後に実行されるオペレーションは、上述の実施形態におけるＳ２０３およびＳ２０４と同一であり、ここでは詳細を再度説明しない。
【０３７３】
技術的解決手段がアップリンク伝送シナリオに適用される場合、送信端は端末であり得て、受信端はネットワークデバイス、例えば基地局であり得る。技術的解決手段がダウンリンク伝送シナリオに適用される場合、送信端はネットワークデバイス、例えば基地局であり得て、受信端は端末であり得る。
【０３７４】
本願において提供されるＤＭＲＳレートマッチング指示方法によれば、ＤＭＲＳ指示情報は、サポートされる最大ポート数、ＤＭＲＳパターン、または、ＤＭＲＳ構成タイプに対応し、これにより、ＮＲにおける複数のシナリオ、例えば、ＮＣ−ＪＴシナリオ、動的ＴＤＤシナリオ、または、フレキシブルデュープレクスのシナリオとマッチングさせる。上述した方法は、ＮＲにおける複雑かつ可変のシナリオに適用でき、また、より多くの層のデータを送信するための要件を満たし、指示オーバーヘッドを低減することができる。
【０３７５】
ここで、ＤＭＲＳポートは、システムによってサポートされる全部のＤＭＲＳポートであることを理解されたい。実際の実装において、ＤＭＲＳポートの全部または一部が１つのスケジューリングプロセスにおいて使用されるかどうかは、本願において限定されるものではない。
【０３７６】
以下では、本願において提供される、ＤＭＲＳレートマッチング指示方法、および、ＤＭＲＳレートマッチング受信方法の具体的な実装プロセスを説明する。
【０３７７】
［実施形態５］
実施形態５は主に、ＤＭＲＳ指示情報を指示するために明示的なシグナリングが設計されることを説明する。
【０３７８】
図２２に示されるように、ＴＲＰ０は、サポートされる最大直交ポート数１２をサポートし、端末０（ＵＥ０）に割り当てられるポートはポート１、２、７および８であり、端末１（ＵＥ１）に割り当てられるポートはポート３、４、９および１０である。
【０３７９】
本シナリオにおいて、ＵＥ０およびＵＥ１は、複数のＤＭＲＳポートを使用する。図２３は、１２個のＤＭＲＳポートのマッピング規則の概略図であり、各網掛けの四角は、１つのＤＭＲＳポートグループがマッピングされるＲＥを指示し、ｎ＝０である。１２個のＤＭＲＳポートは、３つのＤＭＲＳポートグループ、すなわち、ＤＭＲＳポートグループ１、ＤＭＲＳポートグループ２およびＤＭＲＳポートグループ３にグルーピングされる。
【０３８０】
各ＤＭＲＳポートグループは４個のＤＭＲＳポートを含む。各ＤＭＲＳポートグループにおけるＤＭＲＳポートに対応するＤＭＲＳについて、ＣＤＭを通して、同一の時間周波数リソースが多重化される。３つのＤＭＲＳポートグループのマッピング規則は以下の通りである。
【０３８１】
第１ＤＭＲＳポートグループによってマッピングされる時間周波数リソースは、周波数領域において、リソース単位上の第１２ｎ、第１２ｎ＋１、第１２ｎ＋６、および、第１２ｎ＋７のサブキャリアを含む。
【０３８２】
第２ＤＭＲＳポートグループによってマッピングされる時間周波数リソースは、周波数領域において、リソース単位上の第１２ｎ＋２、第１２ｎ＋３、第１２ｎ＋８、および、第１２ｎ＋９のサブキャリアを含む。
【０３８３】
ＤＭＲＳポートグループ３によってマッピングされる時間周波数リソースは、周波数領域において、リソース単位上の第１２ｎ＋４、第１２ｎ＋５、第１２ｎ＋１０、および、第１２ｎ＋１１のサブキャリアを含む。
【０３８４】
ｎは、０以上、
【数１】
0006943355.tif 000045
未満の任意の１または複数の整数であり得る。以下の説明において、リソース単位が周波数領域におけるＭ個のサブキャリアを含むことは、説明のための例として使用され、Ｍは、１以上の整数である。例えば、リソース単位が１つのＲＢペア（言い換えれば、時間領域における２つのＲＢ）である場合、Ｍ＝１２であり、または、リソース単位が周波数領域における２つのＲＢである場合、Ｍ＝２４である。各ＣＤＭグループは、時間領域における２つの連続するシンボルを占有する。
【０３８５】
ＤＭＲＳポートグループ１はＤＭＲＳポート｛１、２、７、８｝を含み、ＤＭＲＳポートグループ２はＤＭＲＳポート｛３、４、９、１０｝を含み、ＤＭＲＳポートグループ３はＤＭＲＳポート｛５、６、１１、１２｝を含むことが想定される。これは、ここでは例に過ぎず、具体的なＤＭＲＳポートマッピング方式は限定されるものではない。ＤＭＲＳポートマッピング方式が変化するとき、レートマッチング情報も変化することに留意されたい。当業者であれば、この解決手段において説明される方法に従って、上述のレートマッチング設計の原則を満たすレートマッチングの解決手段を容易に得ることができる。具体的な実装において、ＤＭＲＳポートマッピング方式が変化する場合、レートマッチング情報も変化する。この場合、レートマッチング情報における直交伝送層の数の量子化値も変化することが指示される。したがって、ＤＭＲＳ指示情報と直交伝送層の数の量子化値との間の対応関係は、１つのシグナリングを使用することによって指示され得る。
【０３８６】
ＤＭＲＳ指示情報の値は、２つの方式で表現され得る。一方は１０進法であり、他方は２進法である。
【０３８７】
値が０（１０進法）または００（２進法）であるとき、値に対応する、直交伝送層の数の量子化値（図においてＲＭＩとして示される）は４であり、現在の量子化層数が４であることが指示される。値が１または０１であるとき、ＲＭＩ＝８であることが指示される。値が２または１０であるとき、同様に、ＲＭＩ＝１２である。値が３または１１であるとき、ＲＭＩが予約（予約値）であることが指示される。具体的な実装において、値はヌル、または、別の状態、例えば、量子化層数が４である、第２および第３ポートグループ（または、第１および第３ポートグループ）に対応する伝送状態であり得る。この場合、基地局は、ポートグループ番号の順序でスケジューリングを実行すると想定される。
【０３８８】
この場合、ＤＭＲＳ指示情報が２進法で指示されるとき、指示のために２ビットが使用され得る。
【０３８９】
テーブル４は、最大１２個の直交ポートをサポートするＳＵ／ＭＵ  ＭＩＭＯ  ＤＭＲＳ構成情報テーブルを示し、テーブルは、ＬＴＥにおけるＤＭＲＳ  ＤＣＩシグナリングテーブルと同様であり、透過的ＭＵ−ＭＩＭＯのみに適用可能である。受信端は、テーブルを使用することによって、受信端のＤＭＲＳポート、および、直交伝送層の数などの情報を取得する。加えて、受信端は更に、受信されたＤＭＲＳ指示情報（特定の値）によって指示されるＲＭＩに基づいて、直交伝送層の現在の量子化数、現在使用されるポートグループ状態の組み合わせ、受信端によって現在使用されていない直交伝送層の数、もしくは受信端によって現在使用されていないポートグループ状態、または、ミュートされる必要があるリソース単位を知り得て、それにより、ＤＭＲＳによって占有されない、ＤＭＲＳの搬送に利用可能なリソースにおけるリソースを知り、それにより、別のマッチングされた端末のＤＭＲＳポート情報を取得し、レートマッチングを完了する。
【０３９０】
ＵＥ０によって受信されたＤＭＲＳ指示情報の値が１（１０進法）または０１（２進法）であるとき、直交伝送層の現在の数の量子化値が８であることが指示され、それにより、ＤＭＲＳポートグループ１およびＤＭＲＳポートグループ２の両方が占有されることを認識する。ＵＥ０は、テーブル４を参照してＵＥ０のポート情報を取得し、ＤＭＲＳポートグループ１がＵＥ０のＤＭＲＳポートを含むが、ＤＭＲＳポートグループ２はＵＥ０のＤＭＲＳポートを含まないことを認識し、その結果、ＵＥ０は、ＤＭＲＳポートグループ２が別の端末によって使用され、ＵＥ０のデータを送信しないことを知る。同様に、ＵＥ１は、指示を通して、直交伝送層の数の量子化値が４であることを知り、テーブル４を参照して、ＵＥ１のポート情報を取得し、ＤＭＲＳポートグループ１およびＤＭＲＳポートグループ２が占有されていることを知る。その結果、ＵＥ１は、ＵＥ１のデータが、ＵＥ１によって使用されないＤＭＲＳポートグループ１の位置で伝送されないことを知る。加えて、ＵＥ０およびＵＥ１は、レートマッチング情報を使用することによって、データをＤＭＲＳポートグループ３の位置で伝送できることを知る。
【０３９１】
上述の説明は、例に過ぎない。異なるＤＭＲＳパターンおよび異なるポートマッピング方式の場合、ＲＭＩの値およびＤＣＩ情報テーブルの表現は異なり得る。例えば、上述の例におけるＲＭＩは、現在の量子化層数である、または、ＤＭＲＳポートグループのシーケンス番号であり得る。
【０３９２】
図２２におけるシステムは、サポートされる最大ポート数１２をサポートする。別の実装において、ＴＲＰは更に、別のサポートされる最大ポート数、例えば、４、６、または、８をサポートし得る。ＴＲＰがサポートする、サポートされる最大ポート数は、ＲＲＣ、ＭＡＣ  ＣＥもしくはＤＣＩなどの明示的なシグナリングを使用することによって指示され得る、または、別の構成パラメータ、例えば、シナリオに対応する周波数、キャリア間隔、または、フレーム構造にバインドされ得る。
【０３９３】
図２４に示されるように、ＴＲＰ０は、サポートされる最大ポート数６をサポートし、端末０（ＵＥ０）に割り当てられるポートはポート１および２であり、端末１（ＵＥ１）に割り当てられるポートはポート３および４である。
【０３９４】
このシナリオにおいて、ＵＥ０およびＵＥ１によって使用されるＤＭＲＳポートは、複数の方式で多重化される。図２５は、６個のＤＭＲＳポートのマッピング規則の概略図であり、各網掛けの四角は、１つのＤＭＲＳポートグループがマッピングされるＲＥを指示し、ｎ＝０である。６個のＤＭＲＳポートは、３つのＤＭＲＳポートグループ、すなわち、ＤＭＲＳポートグループ１、ＤＭＲＳポートグループ２およびＤＭＲＳポートグループ３にグルーピングされる。
【０３９５】
ＤＭＲＳポートグループ１によってマッピングされる時間周波数リソースは、リソース単位上の第１２ｎ、第１２ｎ＋１、第１２ｎ＋６、第１２ｎ＋７のサブキャリアのうち少なくとも１つを含む。
【０３９６】
ＤＭＲＳポートグループ２によってマッピングされる時間周波数リソースは、リソース単位上の第１２ｎ＋２、第１２ｎ＋３、第１２ｎ＋８、第１２ｎ＋９のサブキャリアのうち少なくとも１つを含む。
【０３９７】
ＤＭＲＳポートグループ３によってマッピングされる時間周波数リソースは、リソース単位上の第１２ｎ＋４、第１２ｎ＋５、第１２ｎ＋１０、第１２ｎ＋１１のサブキャリアのうち少なくとも１つを含む。
【０３９８】
ｎは、０以上、
【数１】
0006943355.tif 000046
未満の任意の１または複数の整数であり得る。３つのＣＤＭグループは、時間領域における１個のシンボルを占有する。
【０３９９】
値が０（１０進法）または００（２進法）であるとき、値に対応する、直交伝送層の数の量子化値（図においてＲＭＩとして示される）は２であり、現在の量子化層数が４であることが指示される。値が１または０１であるとき、ＲＭＩ＝８であることが指示される。値が２または１０であるとき、同様に、ＲＭＩ＝６である。値が３または１１であるとき、ＲＭＩが予約（予約値）であることが指示される。
【０４００】
この場合、ＤＭＲＳ指示情報が２進法で指示されるとき、指示のために２ビットが使用され得る。
【０４０１】
同様に、受信端は更に、受信されたＤＭＲＳ指示情報（ｖａｌｕｅの特定の値）によって指示されるＲＭＩに基づいて、直交伝送層の現在の量子化数、現在使用されるポートグループ状態の組み合わせ、受信端によって現在使用されていない直交伝送層の数、もしくは受信端によって現在使用されていないポートグループ状態、または、ミュートされる必要があるリソース単位を知り得て、それにより、ＤＭＲＳによって占有されない、ＤＭＲＳの搬送に利用可能なリソースにおけるリソースを知り、それにより、別のマッチングされた端末のＤＭＲＳポート情報を取得し、レートマッチングを完了する。更に、テーブル２における６個の直交ＤＭＲＳポートをサポートするＳＵ／ＭＵ  ＭＩＭＯ  ＤＭＲＳシグナリングテーブルを参照して、別のマッチングされた端末のＤＭＲＳポート情報が取得され得る。例えば、ＵＥ０によって受信されたＤＭＲＳ指示情報の値が１（１０進法）または０１（２進法）であるとき、直交伝送層の現在の数の量子化値が４であることが指示される。ＤＭＲＳポートグループ１はＤＭＲＳポート｛１、２｝を含み、ＤＭＲＳポートグループ２はＤＭＲＳポート｛３、４｝を含み、ＤＭＲＳポートグループ３はＤＭＲＳポート｛５、６｝を含むと想定すると、レートマッチング情報に基づき、ＤＭＲＳポートグループ１およびＤＭＲＳポートグループ２が使用され、ＤＭＲＳポートグループ３が使用されないことが分かる。この場合、端末は、端末のＤＭＲＳポート情報を参照して別の端末のポートグループ位置を知り得る。
【０４０２】
図２６に示されるように、ＴＲＰ０は、サポートされる最大ポート数８をサポートし、端末０（ＵＥ０）に割り当てられるポートはポート１、２、３および４であり、端末１（ＵＥ１）に割り当てられるポートはポート５、６、７および８である。
【０４０３】
このシナリオにおいて、ＵＥ０およびＵＥ１によって使用されるＤＭＲＳポートは、複数の方式で多重化され得る。図２７は、８個のＤＭＲＳポートのマッピング規則の概略図であり、各網掛けの四角は、１つのＤＭＲＳポートグループがマッピングされるＲＥを指示し、ｎ＝０である。８個のＤＭＲＳポートは、２つのＤＭＲＳポートグループ、すなわち、ＤＭＲＳポートグループ１およびＤＭＲＳポートグループ２にグルーピングされ、各ＤＭＲＳポートグループは４個のＤＭＲＳポートを含む。
【０４０４】
各ＤＭＲＳポートグループにおけるＤＭＲＳポートに対応するＤＭＲＳについて、ＣＤＭを通して、同一の時間周波数リソースが多重化される。２つのＤＭＲＳポートグループのマッピング規則は以下の通りである。
【０４０５】
各ＤＭＲＳポートグループによってマッピングされる時間周波数リソースは、時間領域における２つの連続するシンボルにマッピングされる。
【０４０６】
ＤＭＲＳポートグループ１によってマッピングされる時間周波数リソースは、リソース単位上の第１２ｎ、第１２ｎ＋２、第１２ｎ＋４、第１２ｎ＋６、第１２ｎ＋８、第１２ｎ＋１０のサブキャリアのうち少なくとも１つを含む。
【０４０７】
ＤＭＲＳポートグループ２によってマッピングされる時間周波数リソースは、リソース単位上の第１２ｎ＋１、第１２ｎ＋３、第１２ｎ＋５、第１２ｎ＋７、第１２ｎ＋９、第１２ｎ＋１１のサブキャリアのうち少なくとも１つを含む。
【０４０８】
ｎは、０以上、
【数１】
0006943355.tif 000047
未満の任意の１または複数の整数であり得る。
【０４０９】
値が０（１０進法）または００（２進法）であるとき、値に対応する、直交伝送層の数の量子化値（図においてＲＭＩとして示される）は４であり、現在の量子化層数が４であることが指示される。値が１または０１であるとき、ＲＭＩ＝８であることが指示される。加えて、当該値は、２つのＣＤＭグループの組み合わせを表し得る。例えば、値が０（１０進法）または００（２進法）であるとき、ＤＭＲＳポートグループ１が使用されることが指示される。値が１または０１であるとき、ＤＭＲＳポートグループ１およびＤＭＲＳポートグループ２の両方が使用される。
【０４１０】
この場合、ＤＭＲＳ指示情報が２進法で指示されるとき、１ビットが指示のために使用され得る。
【０４１１】
同様に、受信端は更に、受信されたＤＭＲＳ指示情報（ｖａｌｕｅの特定の値）によって指示されるＲＭＩに基づいて、直交伝送層の現在の量子化数、現在使用されるポートグループ状態の組み合わせ、受信端によって現在使用されていない直交伝送層の数、もしくは受信端によって現在使用されていないポートグループ状態、または、ミュートされる必要があるリソース単位を知り得て、それにより、ＤＭＲＳによって占有されない、ＤＭＲＳの搬送に利用可能なリソースにおけるリソースを知り、それにより、別のマッチングされた端末のＤＭＲＳポート情報を取得し、レートマッチングを実行する。以下では、ポートグループ状態の組み合わせを例として使用する。量子化パラメータ層数の解決手段については、上述の例を参照されたい。例えば、ＵＥ０によって受信されたＤＭＲＳ指示情報の値が１（１０進法）または０１（２進法）であるとき、ＤＭＲＳポートグループ１およびＤＭＲＳポートグループ２の両方が占有されることが指示される。ＵＥ０は、ＵＥ０によって取得されたＤＭＲＳポート情報に基づいて、ＵＥ０によって使用されるＤＭＲＳポートグループを知り、その結果、ＵＥ０は、他のポートグループが別のＵＥによって使用されることを認識し、ＵＥ０のデータを送信せず、それにより、レートマッチングを実行する。
【０４１２】
図２８に示されるように、ＴＲＰ０は、サポートされる最大ポート数４をサポートし、端末０（ＵＥ０）に割り当てられるポートはポート１および２であり、端末１（ＵＥ１）に割り当てられるポートはポート３および４である。このシナリオにおいて、ＵＥ０およびＵＥ１によって使用されるＤＭＲＳポートは、複数のＣＤＭ多重化モードを有し得る。図２９は、４個のＤＭＲＳポートのマッピング規則の概略図であり、各網掛けの四角は、１つのＤＭＲＳポートグループがマッピングされるＲＥを指示し、ｎ＝０である。４個のＤＭＲＳポートは、２つのＤＭＲＳポートグループ、すなわち、ＤＭＲＳポートグループ１およびＤＭＲＳポートグループ２にグルーピングされ、各ＤＭＲＳポートグループは２個のＤＭＲＳポートを含む。
【０４１３】
各ＤＭＲＳポートグループにおけるＤＭＲＳポートに対応するＤＭＲＳについて、ＣＤＭを通して、同一の時間周波数リソースが多重化される。２つのＤＭＲＳポートグループのマッピング規則は以下の通りである。
【０４１４】
各ＤＭＲＳポートグループによってマッピングされた時間周波数リソースは、時間領域において１個のシンボルにマッピングされる。
【０４１５】
ＤＭＲＳポートグループ１によってマッピングされる時間周波数リソースは、リソース単位上の第２サブキャリアを含む。
【０４１６】
ＤＭＲＳポートグループ２によってマッピングされる時間周波数リソースは、リソース単位上の第２ｎ＋１のサブキャリアを含む。
【０４１７】
ｎは、０以上、
【数１】
0006943355.tif 000048
未満の任意の１または複数の整数であり得る。
【０４１８】
ＤＭＲＳポートグループ１は、ＤＭＲＳポート｛１、３｝を含み、ＤＭＲＳポートグループ２はＤＭＲＳポート｛２、４｝を含むことが想定される。この場合、値が０（１０進法）または００（２進法）であるとき、値に対応する、直交伝送層の数の量子化値（図においてＲＭＩとして示される）は２であり、現在の量子化層数が４であることが指示される。値が１または０１であるとき、ＲＭＩ＝８であることが指示される。
【０４１９】
この場合、ＤＭＲＳ指示情報が２進法で指示されるとき、１ビットが指示のために使用され得る。
【０４２０】
同様に、受信端は更に、受信されたＤＭＲＳ指示情報（ｖａｌｕｅの特定の値）によって指示されるＲＭＩに基づいて、直交伝送層の現在の量子化数、現在使用されるポートグループ状態の組み合わせ、受信端によって現在使用されていない直交伝送層の数、もしくは受信端によって現在使用されていないポートグループ状態、または、ミュートされる必要があるリソース単位を知り得て、それにより、別のマッチングされた端末のＤＭＲＳポート情報を取得し、それにより、レートマッチングを実行する。例えば、ＵＥ０によって受信される指示情報の値が１（１０進法）または０１（２進法）であるとき、直交伝送層の現在の数の量子化値が４であることが指示される。この場合、端末は、レートマッチング情報を使用することによって、ＤＭＲＳポートグループ１およびＤＭＲＳポートグループ２の両方が占有されることを知り、端末によって使用されるＤＭＲＳポートを参照して、別の端末によって使用されるＤＭＲＳポートグループを知り得て、それにより、レートマッチングを実行する。図２７および図２９における解決手段において、例えば、最初にＦＤＭスケジューリング、次にＣＤＭスケジューリングなど、基地局のスケジューリング順序に基づいて、直交伝送層の数を１および２に量子化することもできるとき、本実施形態におけるレートマッチング情報は、ＤＭＲＳパターン構成（タイプ）、または、ＤＭＲＳパターンに含まれるポートグループの数に対応し得て、それにより、受信端のストレージオーバーヘッドを低減することに留意されたい。
【０４２１】
ＴＲＰが、サポートされる最大ポート数４、６、８、１２、および同様のものをサポートするとき、異なるＤＭＲＳパターンおよびＤＭＲＳポートマッピング方式の場合、サポートされる最大直交伝送層数は異なり得る。包括的な規則は以下の通りである。
【０４２２】
直交伝送層の量子化数は以下の方式で取得され得る。ここでは、１つの規則が提供されるに過ぎない。具体的な実装において、値は、選択プロセスなしで、直接記憶され得る。
【０４２３】
全部のＤＭＲＳポートは１から量子化されると想定される。この場合、各ＤＭＲＳポートグループにおいて、ポート番号が昇順でソートされるとき、量子化層数は以下の通りであり得る。例えば、ポートグループ１｛１、２、３、４｝およびポートグループ２｛５、６、７、８｝は４および８に量子化される。例えば、ポートグループ１｛１、３、５、７｝およびポートグループ２｛２、４、６、８｝は１および２に量子化される。例えば、ポートグループ１｛１、２、５、７｝およびポートグループ２｛３、４、６、８｝は２および４に量子化される。例えば、ポートグループ１｛１、２、５、６｝およびポートグループ２｛３、４、６、７｝は２および４に量子化される。例えば、ポートグループ１｛１、２、３、４｝、ポートグループ２｛５、６、７、８｝、および、ポートグループ２｛９、１０、１１、１２｝は４、８、１２に量子化される。例えば、ポートグループ１｛１、４、７、１０｝、ポートグループ２｛２、５、８、１１｝およびポートグループ２｛３、６、９、１２｝は１、２および３に量子化される。例えば、ポートグループ１｛１、２、７、８｝、ポートグループ２｛３、４、９、１０｝およびポートグループ２｛５、６、１１、１２｝は２、４および６に量子化される。例えば、ポートグループ１｛１、２、７、１０｝、ポートグループ２｛３、４、８、１１｝およびポートグループ２｛５、６、９、１２｝は２、４および６に量子化される。
【０４２４】
上述の実施形態によれば、サポートされる最大直交ポート数の各々についてのＤＭＲＳ構成情報テーブルに対応する設計は、ＮＲシステムにおける異なるシナリオの要件を満たすことができる。
【０４２５】
［実施形態６］
指示のために、異なるシグナリングが異なるＤＭＲＳパターンに設計される。異なるＤＭＲＳポートマッピング方式については、テーブルにおける内容は異なり得て、量子化された現在の直交伝送層数であり得る、または、ＤＭＲＳポートグループのステータスであり得る。
【０４２６】
図３０（ａ）および図３０（ｅ）は、マッピング順序が、最初にＣＤＭマッピング、次にＦＤＭマッピングであるＤＭＲＳパターンを示す。
【０４２７】
各ＤＭＲＳパターンについて、対応する指示情報のオーバーヘッドは異なる。例を以下に挙げる。
【０４２８】
図３０（ａ）に示される、４個の直交ポートをサポートするパターンについては、ＲＭＩを指示するために１ビットが必要である。ＲＭ指示の値が０または００であるとき、レートマッチング情報ＲＭＩが２であること、言い換えれば、直交伝送層の現在の数の量子化値が２であることが指示される。値が１または０１であるとき、レートマッチング情報ＲＭＩが４であることが指示される。
【０４２９】
図３０（ｂ）に示される、８個の直交ポートをサポートするパターンについては、ＲＭを指示するために１ビットが必要である。ＲＭ指示の値が０または００であるとき、レートマッチングＲＭＩが４であることが指示される。値が１または０１であるとき、レートマッチングＲＭＩが８であることが指示される。
【０４３０】
図３０（ｃ）に示される、６個の直交ポートをサポートするパターンについては、ＲＭＩを指示するために２ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。値が２または１０であるとき、レートマッチング指示（ＲＭＩ）が６であることが指示される。
【０４３１】
図３０（ｄ）に示される、１２個の直交ポートをサポートするパターンについては、ＲＭＩを指示するために２ビットが必要である。ＲＭ指示の値が０または００であるとき、レートマッチング指示（ＲＭＩ）が４であることが指示される。値が１または０１であるとき、レートマッチング指示（ＲＭＩ）が８であることが指示される。値が２または１０であるとき、レートマッチング指示（ＲＭＩ）が１２であることが指示される。
【０４３２】
図３０（ｅ）で示される、１２個の直交ポートをサポートするパターンについては、ＲＭＩを指示するために２ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。値が２または１０であるとき、レートマッチング指示（ＲＭＩ）が６であることが指示される。
【０４３３】
図３１（ａ）から図３１（ｄ）は、マッピング順序が、最初にＦＤＭマッピング、次にＣＤＭマッピングであるＤＭＲＳパターンを示す。
【０４３４】
各ＤＭＲＳパターンについては、対応する指示情報のオーバーヘッドは異なる。例を以下に挙げる。
【０４３５】
図３１（ａ）に示される、４個の直交ポートをサポートするパターンについては、ＲＭＩを指示するために１ビットが必要である。ＲＭ指示の値が０または００であるとき、レートマッチング指示（ＲＭＩ）が１であることが指示される。値が１または０１であるとき、レートマッチング指示（ＲＭＩ）が２であることが指示される。
【０４３６】
図３１（ｂ）に示される、８個の直交ポートをサポートするパターンについては、ＲＭＩを指示するために１ビットが必要である。ＲＭ指示の値が０または００であるとき、レートマッチング指示（ＲＭＩ）が１であることが指示される。値が１または０１であるとき、レートマッチング指示（ＲＭＩ）が２であることが指示される。
【０４３７】
図３１（ｃ）に示される、６個の直交ポートをサポートするパターンについては、ＲＭＩを指示するために２ビットが必要である。ＲＭ指示の値が０または００であるとき、レートマッチング指示（ＲＭＩ）が１であることが指示される。値が１または０１であるとき、レートマッチング指示（ＲＭＩ）が２であることが指示される。値が２または１０であるとき、レートマッチング指示（ＲＭＩ）が３であることが指示される。ＲＭ指示の値が３または１１であるとき、レートマッチング指示（ＲＭＩ）が予約であることが指示される。
【０４３８】
図３１（ｄ）に示される、１２個の直交ポートをサポートするパターンについては、ＲＭＩを指示するために２ビットが必要である。ＲＭ指示の値が０または００であるとき、レートマッチング指示（ＲＭＩ）が１であることが指示される。値が１または０１であるとき、レートマッチング指示（ＲＭＩ）が２であることが指示される。値が２または１０であるとき、レートマッチング指示（ＲＭＩ）が３であることが指示される。値が３または１１であるとき、レートマッチング指示（ＲＭＩ）が予約であることが指示される。
【０４３９】
加えて、このポートマッピング解決手段において、複数のＤＭＲＳパターンは同一のＲＭテーブルに対応し得る。例えば、図３１（ａ）および図３１（ｂ）は、同一のレートマッチングテーブル、例えば、図３１（ａ）におけるテーブルに対応し得て、図３１（ｃ）および図３１（ｄ）は、同一のレートマッチングテーブル、例えば、図３１（ｃ）におけるテーブルに対応し得る。加えて、テーブルは、ＤＭＲＳタイプ、または、ＤＭＲＳパターンにおけるポートグループの数に対応し得る。方法は、端末のストレージオーバーヘッドを低減するという利点を有する。
【０４４０】
図３２（ａ）から図３２（ｄ）は、ハイブリッドＣＤＭ‐ＦＤＭポートマッピング方式であるマッピング順序を示す。
【０４４１】
各ＤＭＲＳパターンについては、対応する指示情報のオーバーヘッドは異なる。例を以下に挙げる。
【０４４２】
図３２（ａ）に示される、４個の直交ポートをサポートするパターンについては、ＲＭＩを指示するために１ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。
【０４４３】
図３２（ｂ）に示される、８個の直交ポートをサポートするパターンについては、情報ＲＭＩを指示するために１ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。
【０４４４】
図３２（ｃ）に示される、６個の直交ポートをサポートするパターンについては、情報情報ＲＭＩを指示するために２ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。値が２または１０であるとき、レートマッチング指示（ＲＭＩ）が６であることが指示される。値が３または１１であるとき、レートマッチング指示（ＲＭＩ）の値が予約であることが指示される。
【０４４５】
図３２（ｄ）に示される、１２個の直交ポートをサポートするパターンについては、ＲＭＩを指示するために２ビットが必要である。ＲＭ指示の値が０または００であるとき、レートマッチング指示（ＲＭＩ）が２であることが指示される。値が１または０１であるとき、レートマッチング指示（ＲＭＩ）が４であることが指示される。値が２または１０であるとき、レートマッチングＲＭＩが６であることが指示される。ＲＭ指示の値が３または１１であるとき、レートマッチング指示（ＲＭＩ）が予約であることが指示される。
【０４４６】
加えて、このポートマッピング解決手段において、複数のＤＭＲＳパターンは同一のＲＭテーブルに対応し得る。例えば、図３２（ａ）および図３２（ｂ）は、同一のレートマッチングテーブル、例えば、図３２（ａ）におけるテーブルに対応し得て、図３２（ｃ）および図３２（ｄ）は、同一のレートマッチングテーブル、例えば、図３２（ｃ）におけるテーブルに対応し得る。加えて、テーブルは、ＤＭＲＳタイプ、または、ＤＭＲＳパターンにおけるポートグループの数に対応し得る。方法は、端末のストレージオーバーヘッドを低減するという利点を有する。
【０４４７】
図３３（ａ）から図３３（ｄ）は、ＤＭＲＳパターンにおけるポートグループの使用ステータスを示す。
【０４４８】
各ＤＭＲＳパターンについて、対応するＤＭＲＳ指示情報のオーバーヘッドは異なる。例を以下に挙げる。
【０４４９】
図３３（ａ）に示される、４個の直交ポートをサポートするパターンについては、ＲＭＩを指示するために１ビットが必要である。ＲＭ指示の値が０または００であるとき、レートマッチング指示（ＲＭＩ）が１であることが指示される。言い換えれば、ＤＭＲＳポートグループ１が占有される。値が１または０１であるとき、レートマッチング指示（ＲＭＩ）が２であることが指示される。この場合、ＤＭＲＳポートグループ１および２の両方が占有されることが指示される。
【０４５０】
図３３（ｂ）に示される、８個の直交ポートをサポートするパターンについては、ＲＭＩを指示するために１ビットが必要である。ＲＭ指示の値が０または００であるとき、レートマッチング指示（ＲＭＩ）が１であることが指示される。言い換えれば、ＤＭＲＳポートグループ１が占有される。値が１または０１であるとき、レートマッチング指示（ＲＭＩ）が２であることが指示される。この場合、ＤＭＲＳポートグループ１および２の両方が占有されることが指示される。
【０４５１】
任意選択で、図３３（ａ）および図３３（ｂ）は、例えば、図３３（ａ）におけるテーブルなど、同一のレートマッチングテーブルに対応し得る。この場合、テーブルは、ＤＭＲＳタイプ、または、ＤＭＲＳパターンにおけるポートグループの数に対応し得る。方法は、端末のストレージオーバーヘッドを低減するという利点を有する。
【０４５２】
図３３（ｃ）に示される、６個の直交ポートをサポートするパターンについては、ＲＭＩを指示するために２ビットが必要である。ＲＭ指示の値が０または００であるとき、レートマッチング指示（ＲＭＩ）が１であることが指示される。この場合、ＤＭＲＳポートグループ１が占有されることが指示される。値が１または０１であるとき、レートマッチング指示（ＲＭＩ）が２であることが指示される。この場合、ＤＭＲＳポートグループ１および２の両方が占有されることが指示される。値が２または１０であるとき、レートマッチング指示（ＲＭＩ）が３であることが指示される。この場合、ＤＭＲＳポートグループ１、２および３が全部占有されることが指示される。値が３または１１であるとき、レートマッチング指示（ＲＭＩ）が４であることが指示される。この場合、ＤＭＲＳポートグループ２および３の両方が占有されることが指示される。具体的な実装において、ＲＭＩ＝４は、代替的に、ＤＭＲＳポートグループ１および３の両方が占有または予約される状態として予め定められ得ることに留意されたい。
【０４５３】
図３３（ｄ）に示される、１２個の直交ポートをサポートするパターンについては、ＲＭＩを指示するために２ビットが必要である。ＲＭ指示の値が０または００であるとき、レートマッチング指示（ＲＭＩ）が１であることが指示される。この場合、ＤＭＲＳポートグループ１が占有されることが指示される。値が１または０１であるとき、レートマッチング指示（ＲＭＩ）が２であることが指示される。この場合、ＤＭＲＳポートグループ１および２の両方が占有されることが指示される。値が２または１０であるとき、レートマッチング指示（ＲＭＩ）が３であることが指示される。この場合、ＤＭＲＳポートグループ１、２および３が全部占有されることが指示される。値が３または１１であるとき、レートマッチング指示（ＲＭＩ）が４であることが指示される。この場合、ＤＭＲＳポートグループ２および３の両方が占有されることが指示される。具体的な実装において、ＲＭＩ＝４は、代替的に、ＤＭＲＳポートグループ１および３の両方が占有または予約される状態として予め定められ得ることに留意されたい。
【０４５４】
任意選択で、図３３（ｃ）および図３３（ｄ）は、同一のレートマッチングテーブルに対応し得る。この場合、テーブルは、ＤＭＲＳタイプ、または、ＤＭＲＳパターンにおけるポートグループの数に対応し得る。方法は、端末のストレージオーバーヘッドを低減するという利点を有する。
【０４５５】
本解決手段におけるＣＤＭの組み合わせは、例に過ぎないことに留意されたい。具体的な実装プロセスにおいて、ＣＤＭの組み合わせは、除去または追加され得る、または、別のＤＭＲＳの状態の組み合わせと置き換えられ得る。
【０４５６】
実際の実装プロセスにおいて、値は、ＲＭＩを使用することによって指示されることなく、ポートグループが占有される状態の組み合わせに直接対応し得ることに留意されたい。例えば、図３３（ａ）については、状態の組み合わせは、テーブル１９−１として説明され得る。
テーブル１９−１
【表４３】
0006943355.tif 000049
【０４５７】
加えて、任意選択で、ＳＵ状態がテーブル、例えばテーブル１９−２に追加され得る。
テーブル１９−２
【表４４】
0006943355.tif 000050
【０４５８】
ここで、層０は主に、現在のＳＵ状態を端末に通知するために使用されるが、具体的な表現形式は限定されるものではない。
【０４５９】
図３０から図３３において示される実施形態によれば、各パターン、または、ＤＭＲＳ構成のタイプ（ｔｙｐｅ）、または、同一の数のポートグループを有するＤＭＲＳパターンについて、対応するＤＭＲＳ指示情報が設計され得て、ＮＲシステムにおける異なるシナリオの要件を満たす。例えば、ＤＭＲＳ指示情報は、超高信頼性低遅延通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ、ＵＲＬＬＣ）シナリオにおけるパターンに適用されるだけでなく、エンハンスドモバイルブロードバンド（Ｅｎｈａｎｃｅｄ  Ｍｏｂｉｌｅ  Ｂｒｏａｄｂａｎｄ、ｅＭＢＢ）におけるパターンにも適用される。他の異なるパターンについては、テーブルの設計が見直される。
【０４６０】
［実施形態７］
ＲＲＣ、ＭＡＣ‐ＣＥ、および、ＤＣＩの組み合わせを使用することによって、ＤＭＲＳ構成情報およびＤＭＲＳ指示情報に対して、等級付けされた指示が実行され得る。例えば、パラメータ設定は、ＲＲＣを使用することによって構成され得て、直交伝送層の量子化数についての情報、または、ＤＭＲＳレートマッチングのＣＤＭグループ状態情報を含み得て、ＤＣＩシグナリングは、パラメータセットを選択して端末に通知するために使用される。直交伝送層数を量子化するための上述の複数の方法は、パラメータセット内に配置され得て、パラメータセットは、他の情報、例えば、ＺＰ−ＣＳＩ−ＲＳ、ＰＤＳＣＨの開始位置および終了位置、または同様のものを含み得る。ここで、テーブルは、例として提供されるに過ぎず、具体的なテーブルの形式、サイズ、および、記述形式は、限定されるものではない。具体的な実装において、パラメータセットは、ＲＲＣを使用することによって構成され得て、パラメータセットは、テーブル２０に示されるように、ＤＭＲＳに関連するレートマッチング情報を含み得る。
テーブル２０
【表４５】
0006943355.tif 000051
【０４６１】
［実施形態８］
本実施形態において、直交伝送層の合計数、または、直交ポートの合計数に関連する情報（本明細書において、直交伝送層の合計数、および、直交ポートの合計数は同一である）は、ＤＭＲＳ構成情報テーブルにおいて設計される。直交ポートの合計数に関連する情報は、１つの指示情報を使用することによって反映される。指示情報は、実際に提供される可能性がある全部の直交ポートの数、または、実際に提供される可能性がある全部の直交ポートの数の量子化値を指示し得る。全部の直交ポートの数の量子化値は、直交ＤＭＲＳ層の数についての情報、直交ＤＭＲＳアンテナポートセット指示情報、直交ＤＭＲＳアンテナポートＣＤＭグループ情報、または、ＣＤＭグループサイズに基づいて生成される情報であり得る。
【０４６２】
図３４の図３４（ａ）、図３４（ｂ）、図３４（ｃ）、図３４（ｄ）における４つのパターンについては、テーブル１からテーブル４におけるＤＭＲＳ構成情報テーブルと比較して、本実施形態において、直交伝送層の合計数の指示情報の機能が追加される。例えば、テーブル２１からテーブル２４において示される情報テーブルにおける合計、または、層の合計数の列は、直交伝送層の合計数の指示情報である。
テーブル２１
【表４６】
0006943355.tif 000052
テーブル２２
【表４７】
0006943355.tif 000053
テーブル２３
【表４８】
0006943355.tif 000054
テーブル２４
【表４９】
0006943355.tif 000055
【表５０】
0006943355.tif 000056
【０４６３】
本実施形態において、提供される可能性がある直交伝送層の合計数の全部が考慮され、本実施形態は、全部のシナリオに適合され得て、ＭＵマッチングのための複数の端末によって、レートマッチングを実行するために使用され得る。
【０４６４】
上述の実施形態において提供されるＤＭＲＳ構成情報テーブルの内容に基づいて、本実施形態において、直交伝送層の合計数の機能、言い換えれば、量子化層数についての情報が追加される。端末は、情報を参照してＲＭＩ情報を黙示的に取得し得る。
【０４６５】
本実施形態において、提供される可能性がある直交伝送層の合計数の全部が考慮され、本実施形態は全部のシナリオに適合され得る。量子化層数は、可能性のある直交伝送層の数の量子化値であり、ＤＭＲＳ構成情報テーブルにおけるＤＭＲＳ指示情報（値）と同一の値を使用することによって指示される。ＤＭＲＳ構成情報テーブルはＬＴＥのものと同様であり得る。例えば、ＤＭＲＳ指示情報は、ＬＴＥにおける、アンテナポート（Ａｎｔｅｎｎａ  ｐｏｒｔｓ）の数、スクランブル識別子（ｓｃｒａｍｂｌｉｎｇ  ｉｄｅｎｔｉｔｙ）、および、直交伝送層の数の指示（ｎｕｍｂｅｒ  ｏｆ  ｌａｙｅｒｓ  ｉｎｄｉｃａｔｉｏｎ）である。ＤＭＲＳ構成情報テーブルは、ＤＭＲＳポート数、ポートインデックス、シーケンス生成情報、および、ＣＤＭタイプのうち少なくとも１つを更に含み得る。これに基づいて、直交伝送層の数の量子化値が追加される。ＤＭＲＳ構成情報テーブルは、送信端および受信端の両方において記憶され得る。送信端がレートマッチングの解決手段を受信端に指示する必要があるとき、送信端は、１つの指示情報のみを受信端へ送信する必要がある。受信端は、指示情報を受信した後に、指示情報をインデックスとして使用して、ＤＭＲＳ構成情報テーブルにおいて、直交伝送層の対応する数の量子化値を検索し、また、ＤＭＲＳ層の数についての情報、ＤＭＲＳアンテナポートセットについての情報、ＤＭＲＳアンテナポートの符号分割多重化ＣＤＭグループ情報、または同様のものを知る。次に、受信端は、受信端におけるＤＭＲＳ伝送のためにどのリソース単位が使用されるか、および、ＣＤＭ多重化を実装する他の受信端において、どのリソース単位がＤＭＲＳ伝送のために使用されるかを識別する。残りのリソースユニットは、受信端に関連するデータ伝送に使用される。したがって、受信端は、対応するリソース単位上でデータを復調する。
【０４６６】
別の実装において、本願の本実施形態における指示情報は、受信端によって使用されないＤＭＲＳポートグループの状態を指示する。具体的には、ＤＣＩは、指示のために使用され得る。
【０４６７】
図３４（ａ）および図３４（ｂ）において示される構成については、指示は以下のテーブル２５を使用することによって実行される。
テーブル２５
【表５１】
0006943355.tif 000057
【０４６８】
テーブル２５は、プロトコルに従って送信端および受信端において構成され得る、または、ＲＲＣシグナリングを使用することにより、送信端によって受信端へ送信され得る。
【０４６９】
上述の実施形態とは異なり、テーブル２５において、値は、直交伝送層の数の量子化値に対応しないが、受信端によって使用されないＤＭＲＳポートグループのステータスを指示する。例えば、値が０であるとき、ＳＵまたはＭＵマッチングのどちらであるかに関係なく、受信端によって使用されないＤＭＲＳポートグループの状態が非ミュート（ｎｏｎ−ｍｕｔｅ）であることが指示される。値が１であるとき、受信端によって使用されないＤＭＲＳポートグループの状態が全ミュート（ａｌｌ−ｍｕｔｅ）であることが指示される。受信端は、指示情報（値）を受信した後に、受信端によって使用されないＤＭＲＳポートグループの状態を決定でき、それにより、レートマッチングを完了する。テーブル２５におけるＭＵの列は例に過ぎず、具体的な実装において省略され得ることに留意されたい。
【０４７０】
図３４（ｃ）および図３４（ｄ）において示される構成については、実装において、以下のテーブル２６に示されるように、受信端によって使用されないＤＭＲＳポートグループのステータスが指示され、より大きいセット、および、より小さいセットは、受信端によって使用されないポートグループ間の相対的関係に基づいて決定され得る。例えば、３つのポートグループのシナリオにおいて、端末が１つのポートグループを使用するとき、より大きいポートグループ、および、より小さいポートグループは、残りの２つのポートグループにおける最大（または最小）ポート番号（の値）の間の相対的関係に基づいて決定され得る。具体的な実装において、比較プロセスが含まれないことがあり得て、より大きい、および、より小さいポートグループは、直接に予め記憶される。
テーブル２６
【表５２】
0006943355.tif 000058
【０４７１】
別の実装において、受信端によって使用されない具体的なＤＭＲＳポートグループが指示される。例えば、受信端がポートグループ１を使用するとき、値が０のとき、ポートグループ１がミュートされないことを指示し、値が１のとき、ＭＵマッチングを実行する別の受信端がポートグループ２を使用することを指示し、値が２のとき、ＭＵマッチングを実行する別の受信端がポートグループ３を使用することを指示し、値が３のとき、ＭＵマッチングを実行する別の受信端がポートグループ２およびポートグループ３を使用することが指示される。具体的な実装において、ポートグループのシーケンス番号は定義されないことがあり得る。ポートグループにおけるポート番号は、ポートグループを指示するために使用される。例えば、ポートグループ２はポート｛５、６、７、８｝を含む。この場合、具体的にはテーブル２７に示されるように、ポートグループ２は、テーブルにおける｛５、６、７、８｝と直接置き換えられ得る。
テーブル２７
【表５３】
0006943355.tif 000059
【０４７２】
更に別の実装において、ＲＲＣ＋ＤＣＩのマルチレベル指示は以下のように使用される。
【０４７３】
ＤＭＲＳレートマッチング情報は、ＲＲＣ＋ＤＣＩのマルチレベル指示、または、ＲＲＣ＋ＭＡＣ  ＣＥ＋ＤＣＩのマルチレベル指示を使用することによって指示され得る。
【０４７４】
ＤＭＲＳレートマッチング情報を含む複数のパラメータセットがＲＲＣシグナリングにおいて構成され得て、ＤＭＲＳレートマッチング情報は、ＤＣＩシグナリングを使用することによって動的に選択される。
【０４７５】
例えば、２つのパラメータセットがＲＲＣシグナリングにおいて構成され、１ビットＤＣＩシグナリングが動的選択のために使用される。代替的に、４つのパラメータセットがＲＲＣシグナリングにおいて構成され、２ビットＤＣＩシグナリングが動的選択のために使用される。詳細はテーブル２８−１およびテーブル２８−２において示される。
テーブル２８−１
【表５４】
0006943355.tif 000060
テーブル２８−２
【表５５】
0006943355.tif 000061
【０４７６】
パラメータセットはＤＭＲＳレートマッチング情報を含み、レートマッチング情報は、複数の形式で表現され得る。例を以下に挙げる。
【０４７７】
レートマッチング情報は、上述の解決手段において提供される４つの状態、具体的には、値０、１、２および３に対応する４つの状態であり得る。
【０４７８】
レートマッチング情報は、各ＣＤＭグループが占有されるかどうかを指示する状態情報であり得る。例えば、ＣＤＭグループは、例えば、ＤＭＲＳ  ＣＤＭグループ１、ＤＭＲＳ  ＣＤＭグループ２、および、ＤＭＲＳ  ＣＤＭグループ３のように番号が付与され得る。具体的な実装において、ＣＤＭグループが番号を付与される状態は存在しないことがあり得て、対応するＤＭＲＳ  ＣＤＭポートグループの番号は、ＣＤＭグループにおけるポート番号を指示することによって指示され得る。
【０４７９】
レートマッチング情報は、ＺＰ  ＤＭＲＳの具体的な位置であり得て、複数のＣＤＭグループの位置に対応する（例えば、構成１の場合は２ビット、構成２の場合は３ビットのように、ビットマップが使用される）。
【０４８０】
レートマッチング情報は、レートマッチングパターンであり得て、ＤＭＲＳシンボル上のどのＲＥがミュートされる必要があるかを直接指示する。この場合、ＣＤＭグループの概念は無い。
【０４８１】
別の実装において、ＤＭＲＳ構成情報テーブルにおいて、ＣＤＭグループ情報は、ＤＭＲＳレートマッチングを実装するために使用される。
【０４８２】
実装において、ＲＭＩは、ＣＤＭグループ状態情報、例えば、テーブル８−１およびテーブル８−２における「ＣＤＭグループの状態」の列として表され得る。以下では、具体的なＤＭＲＳパターンの例を使用することによって説明を提供し、具体的なＤＭＲＳポートのポート番号は例として使用されるに過ぎない。異なるポートマッピング（ｐｏｒｔ  ｍａｐｐｉｎｇ）順序については、以下の実施形態におけるＤＭＲＳポート番号（ｐｏｒｔ  ｉｎｄｅｘ）は変化し得る。ここではこれに限定されない。
【０４８３】
図３４（図３４におけるポートグループはＣＤＭポートグループ）を参照すると、テーブル８−１に対応するＦＬ  ＤＭＲＳ構成タイプ１については、状態１（ＣＤＭグループの状態＝１）は、ＣＤＭポートグループ１（図３４（ａ）および図３４（ｂ）における斜線の部分）が占有されることを表し、状態２は、ＣＤＭグループ１および２（図３４（ａ）および図３４（ｂ）における斜線の部分および水平線の部分）が占有されることを表す。
【０４８４】
テーブル８−２に対応するＤＭＲＳタイプ２については、状態１は、ＣＤＭグループ１（図３４（ｃ）および図３４（ｄ）における斜線の部分）が占有されることに対応し、状態２は、ＣＤＭグループ１および２（図３４（ｃ）および図３４（ｄ）における斜線の部分、および、水平線の部分）が占有されることを表し、状態３は、ＣＤＭグループ１、２および３（図３４（ｃ）および図３４（ｄ）における斜線の部分、水平線の部分、および、鉛直線の部分）が占有されることを表す。
【０４８５】
上記では、ＣＤＭグループ占有状態の例を提供するに過ぎない。具体的な実装において、各状態は、別のＣＤＭグループ占有状態で置き換えられ得る。加えて、具体的な実装において、テーブル８−１およびテーブル８−２において具体的に指示されるＣＤＭグループ状態（例えば、テーブルにおけるＣＤＭグループの状態＝１、２および３）は、占有されたＣＤＭグループ（例えば、ＣＤＭグループ１）の番号で置き換えられ得る、または、ＣＤＭグループにおける全部のポート番号（例えば、ＣＤＭグループ１は、ポート番号０および１または０、１、４および６として表され得る）、または、占有されたＣＤＭグループにおける少なくとも１つのＤＭＲＳポート番号（例えば、ＣＤＭグループ１は、ポート番号０またはポート番号０および１として表され得る）として直接表され得る。加えて、ＣＤＭグループ状態がＣＤＭグループにおける全部のポート番号として表されるとき、シンボルの数の列は、テーブル８−１およびテーブル８−２において省略され得て、１シンボルまたは２シンボルＦＬ  ＤＭＲＳパターンは、ＣＤＭグループにおける全部のポート番号を直接指示することによって黙示的に指示され得る。例えば、１シンボルタイプ１については、ＣＤＭグループ１は０および１として表され、２シンボルタイプ１については、ＣＤＭグループ１は、０、１、４、６として表される。受信端は、ＣＤＭグループにおけるポート番号に基づいて、１シンボルＤＭＲＳまたは２シンボルＤＭＲＳについての情報を黙示的に取得し得る。
【０４８６】
別の実装において、テーブルにおけるＲＭＩ情報は、占有されたＣＤＭグループの数を指示し得る。言い換えれば、テーブル８−１およびテーブル８−２における「ＣＤＭグループの状態」は、「ＣＤＭグループの数」または「共同スケジューリングされたＣＤＭグループの数」で置き換えられ得る。具体的な文字表現は限定されるものではない。
【０４８７】
テーブル２９−１は、ＤＭＲＳタイプ１に対応する追加方法を提供し、「共同スケジューリングされたＣＤＭグループの数」は、タイプ１における１または２つのＣＤＭグループが占有されることを指示する。実装方法において、ＣＤＭグループの数は、具体的なスケジューリング順序に基づいて実装され得て、例えば、上述の実施形態における直交ポートの現在の量子化数に基づいて取得される。実装方法において、ＣＤＭグループの数についての情報は、特定のＣＤＭグループシーケンス番号に直接対応し得る、または、具体的なスケジューリング規則に基づき得る。例えば、ＤＭＲＳタイプ１については、１つのＣＤＭグループは、ＣＤＭグループ１が占有されることに対応し得て、２つのＣＤＭグループは、ＣＤＭグループ１およびＣＤＭグループ２が占有されることとして理解され得る。ＤＭＲＳタイプ２については、１つのＣＤＭグループは、ＣＤＭグループ１が占有されることに対応し得て、２つのＣＤＭグループは、ＣＤＭグループ１およびＣＤＭグループ２が占有されることとして理解され得て、３つのＣＤＭグループは、ＣＤＭグループ１、２および３が占有されることとして理解され得る。別の実装方法において、ＣＤＭグループの数は、ＣＤＭグループシーケンス番号にバインドされないことがあり得る。例えば、ＤＭＲＳタイプ１については、１つのＣＤＭグループは、１つのＣＤＭグループだけがシステムにおいて使用されることを指示し、ＣＤＭグループは、ＣＤＭグループ１またはＣＤＭグループ２であり得る。受信端は、受信端の具体的なＤＭＲＳポート番号に基づいて、占有されたＣＤＭグループのシーケンス番号を取得し得る。２つのＣＤＭグループは、２つのＣＤＭグループが両方とも占有されることを指示する。受信端は、ＣＤＭグループのうちの１つまたは２つを使用し得る。受信端がＣＤＭグループ２を使用する場合、ＣＤＭグループ１は、別の受信端によって占有されることを推定でき、それにより、レートマッチングを実行する。
テーブル２９−１  ＤＭＲＳポート組み合わせタイプ１の例
【表５６】
0006943355.tif 000062
【０４８８】
加えて、別の実装において、テーブルに追加されたＣＤＭグループの数は、受信端によって使用されるＣＤＭグループの数、言い換えれば、テーブルにおいて指示され、システムにおいて現在使用され、かつ、受信端によって使用されるＣＤＭグループの数を含まないＣＤＭグループの数を含まないことがあり得る、または、（システムにおいて占有されるＣＤＭグループの合計数−受信端によって使用されるＣＤＭグループの数）として理解され得る。例えば、タイプ１については、システムの合計２つのＣＤＭグループがスケジューリングされ、かつ、受信端が２つのＣＤＭグループを使用するとき、受信端によって使用されないＣＤＭグループの数は０である。システムの合計２つのＣＤＭグループがスケジューリングされ、かつ、受信端が１つのＣＤＭグループを使用するとき、受信端によって使用されないＣＤＭグループの数は１である。システムの１つのＣＤＭグループだけがスケジューリングされ、かつ、受信端が１つのＣＤＭグループを使用するとき、受信端によって使用されないＣＤＭグループの数は０である。本解決手段において、ＣＤＭグループの数は、テーブルＤ−１における共同スケジューリングされたＣＤＭグループの数で置き換えられ得る。具体的なテーブルについては、当業者は、上述の原則に基づいてテーブルを直接導出し得る。
【０４８９】
加えて、電力増幅（ｐｏｗｅｒ  ｂｏｏｓｔｉｎｇ）情報が、上述のＤＭＲＳ構成情報テーブルに更に追加され得る。例えば、列がテーブル２９−１に追加され、各状態について、具体的な電力増幅値を提供する。特定の値は、タイプ１の場合、０ｄＢおよび３ｄＢであり得て、タイプ２の場合、０ｄＢ、１．７７ｄＢおよび４．７７ｄＢであり得る。テーブルにおいて、具体的な電力増幅値は、現在の状態の占有されるＣＤＭグループの数、および、受信端のポート情報に基づいて、推定を通して直接取得され得て、電力増幅値は当該状態との１対１の対応関係を有し得る。
【０４９０】
具体的な原則としては、ＤＭＲＳタイプ１の場合、受信端が１つのＣＤＭポートグループを使用し、かつ、システムが現在、占有される１つのＣＤＭポートグループだけを有するとき、電力増幅値は０ｄＢである。受信端が２つのＣＤＭポートグループを使用し、かつ、システムが現在、占有される２つのＣＤＭポートグループを有するとき、電力増幅値は０ｄＢである。受信端が１つのＣＤＭポートグループを使用し、かつ、システムが現在、占有される２つのＣＤＭポートグループを有するとき、電力増幅値は３ｄＢである。テーブル２９−２は、対応するＤＭＲＳタイプ１の例を提供し、具体的なポートのスケジューリング、および、具体的なシンボルの数は、限定されるものではない。
テーブル２９−２  ＤＭＲＳポート組み合わせタイプ１の例
【表５７】
0006943355.tif 000063
【０４９１】
ＤＭＲＳタイプ２の場合、受信端が１つのＣＤＭポートグループを使用し、かつ、システムが、占有される１つのＣＤＭポートグループだけを現在有するとき、電力増幅値は０ｄＢである。受信端が２つのＣＤＭポートグループを使用し、かつ、システムが現在、占有される２つのＣＤＭポートグループを有するとき、電力増幅値は０ｄＢである。受信端が１つのＣＤＭポートグループを使用し、かつ、システムが現在、占有される２つのＣＤＭポートグループを有するとき、電力増幅値は１．７７ｄＢである。受信端が１つのＣＤＭポートグループを使用し、かつ、システムが現在、占有される３つのＣＤＭポートグループを有するとき、電力増幅値は４．７７ｄＢである。ここで、ＭＵの場合、１つの受信端は、１つのＣＤＭグループにおける最大４個のポートだけを呼び出すように制限される。言い換えれば、ＭＵの場合、１つの受信端は、最大１つのＣＤＭグループだけを占有できる。テーブル２９−３は、対応するＤＭＲＳタイプ２の例を提供し、具体的なポートのスケジューリング、および、具体的なシンボルの数は、限定されるものではない。
テーブル２９−３  ＤＭＲＳポート組み合わせタイプ２の例
【表５８】
0006943355.tif 000064
【０４９２】
［実施形態９］
本実施形態は、非コヒーレント共同伝送（Ｎｏｎ−ｃｏｈｅｒｅｎｔ  ｊｏｉｎｔ  ｔｒａｎｓｍｉｓｓｉｏｎ、ＮＣ−ＪＴ  ２  ＰＤＣＣＨ）シナリオにおけるＤＭＲＳレートマッチングの問題を解決するために使用される。
【０４９３】
図３５に示されるように、そのようなマルチＴＲＰ、ＮＣ−ＪＴ、および、２‐ＰＤＣＣＨシナリオにおいて、１２個のポートがサポートされ、ＴＲＰ０は｛１、２、７、１０｝を使用し、ＴＲＰ１は｛３、４、５、６、８、９、１１、１２｝を使用する。
【０４９４】
本実施形態は、プロトコルのデフォルトの解決手段である解決手段を提供する。ＴＲＰでは、１または複数のＱＣＬグループにおけるＤＭＲＳに対応する、ＴＲＰによって使用されないＲＥ位置をミュート（ｍｕｔｅ）にすることをデフォルトとしている。例えば、図３６に示されるＤＭＲＳパターン、具体的には、２つのＤＭＲＳポートグループについては、２つのＴＲＰは各々、ＴＲＰによって使用されないＤＭＲＳポートグループに対応する時間周波数リソース位置をミュートする。したがって、この解決手段は、余分なシグナリング指示なしで、問題を直接解決できる。
【０４９５】
別の解決手段は、図３７に示されるように、独立した指示の解決手段である。ＴＲＰはデフォルトで、ＴＲＰによって使用されない、１または複数のＱＣＬグループにおけるＤＭＲＳに対応するＲＥ位置をミュートする。加えて、複数のポートグループを有するＴＲＰについては、ＴＲＰは、ＲＭシグナリングをＵＥへ送信し、レートマッチングシグナリングは、前に説明された解決手段に基づいて適用可能であり得る。この場合、レートマッチングシグナリングは、現在のＴＲＰについての利用可能なＤＭＲＳポート、サポートされる最大層数、または、ＴＲＰについての利用可能なＤＭＲＳポートに対応するＤＭＲＳパターンに基づいて生成されることに留意されたい。ＵＥは、ＵＥによって前に受信されたレートマッチングシグナリングに基づいてレートマッチングを完了する。解決手段は、上述の実施形態において使用される解決手段であり得る。ここで、１つのＤＭＲＳパターンのみが例として使用される。異なるＤＭＲＳパターンについては、対応するＲＭシグナリングが使用され得る。
【０４９６】
例えば、図３７において、ＴＲＰ０は、ＤＭＲＳポートグループ１だけを使用でき、ＴＲＰ１は、ＤＭＲＳポートグループ２および３を使用し得る。この場合、ＴＲＰ０は、ＤＭＲＳポートグループ２および３に対応する時間周波数リソースをミュートし、ＴＲＰ１は、ＤＭＲＳポートグループ１に対応する時間周波数リソースをミュートする。加えて、端末は、レートマッチングシグナリングをＴＲＰ１から受信し、シグナリングは、ポートグループ２および３の直交伝送層の量子化数の合計、言い換えれば、ＴＲＰ１が利用可能なＤＭＲＳポートの直交伝送層の量子化数を指示する。この場合、ＴＲＰ０は、レートマッチングシグナリングを有しないことがあり得る、または、レートマッチングシグナリングは、ＳＵを表す状態を送信するために使用され得る。端末は、ＴＲＰ１のレートマッチングシグナリングを受信し、レートマッチングを完了し、ＴＲＰ１によって送信されたデータを復調する。
【０４９７】
本実施形態において、指示情報はまた、受信端によって使用されないＤＭＲＳポートグループを指示するために使用され得ることに留意されたい。例えば、ＴＲＰ０がＮＣ−ＪＴモードに入るとき、指示のためにシグナリングが要求されない、または、元のシグナリングが指示のために使用される。ＴＲＰ１については、以下のテーブルが指示のために使用される。値が０であるとき、ＴＲＰ１によって使用されないＤＭＲＳポートグループがミュートされることが指示される。値が１であるとき、ＴＲＰ１によって使用されないＤＭＲＳポートグループは全部ミュートされる。詳細はテーブル３０において示される。
テーブル３０
【表５９】
0006943355.tif 000065
【０４９８】
［実施形態１０］
実施形態１０は、動的ＴＤＤシナリオ、または、フレキシブルデュープレクスのシナリオに適用可能である。
【０４９９】
図３８に示されるように、動的ＴＤＤシナリオにおいて、１２個のポートがサポートされ、ＴＲＰ０は、ＤＭＲＳポート｛１、２、３、４｝を使用し、ＴＲＰ１はＤＭＲＳポート｛５、６、７、８｝を使用する。
【０５００】
本実施形態は、プロトコルのデフォルトの解決手段である解決手段を提供する。ＴＲＰでは、１または複数のＱＣＬグループにおけるＤＭＲＳに対応する、ＴＲＰによって使用されないＲＥ位置をミュートにすることをデフォルトとしている。例えば、ＤＭＲＳパターン、具体的には、図３９に示される２つのＤＭＲＳポートグループについては、ＴＲＰ０およびＴＲＰ１は各々、１つのＤＭＲＳポートグループを使用して、ＴＲＰによって使用されないＤＭＲＳポートグループに対応する時間周波数リソース位置をミュートする。したがって、この解決手段は、余分なシグナリング指示なしで、問題を直接解決できる。
【０５０１】
別の解決手段は、図４０に示されるように、独立した指示の解決手段である。ＴＲＰはデフォルトで、ＴＲＰによって使用されない、１または複数のＱＣＬグループにおけるＤＭＲＳに対応するＲＥ位置をミュートする。加えて、複数のポートグループを有するＴＲＰについては、ＴＲＰは、ＲＭシグナリングをＵＥへ送信し、レートマッチングシグナリングは、前に説明された解決手段に基づいて適用可能であり得る。この場合、レートマッチングシグナリングは、現在のＴＲＰが利用可能なＤＭＲＳポート、または、利用可能なＤＭＲＳポートに対応するＤＭＲＳパターンに基づいて生成され得ることに留意されたい。ＵＥは、ＵＥによって前に受信されたレートマッチングシグナリングに基づいてレートマッチングを完了する。解決手段は、上述の実施形態において使用される解決手段であり得る。ここで、１つのＤＭＲＳパターンのみが例として使用される。異なるＤＭＲＳパターンについては、対応するＲＭシグナリングが使用され得る。
【０５０２】
例えば、図４０において、ＴＲＰ０は、ＤＭＲＳポートグループ１だけを使用でき、ＴＲＰ１は、ＤＭＲＳポートグループ２および３を使用し得る。この場合、ＴＲＰ０は、ＤＭＲＳポートグループ２および３に対応する位置をミュートして、ＴＲＰ１は、ＤＭＲＳポートグループ１に対応する位置をミュートする。加えて、端末は、ＴＲＰ１からレートマッチングシグナリングを受信し、シグナリングは、ＤＭＲＳポートグループ２および３の直交伝送層の量子化数、言い換えれば、ＴＲＰ１の直交伝送層の量子化数を指示する。この場合、ＴＲＰ０は、レートマッチングシグナリングを有しないことがあり得る、または、レートマッチングシグナリングは、ＳＵを表す状態を送信するために使用され得る。端末は、ＴＲＰ１のレートマッチングシグナリングを受信し、レートマッチングを完了し、ＴＲＰ１によって送信されたデータを復調する。
【０５０３】
本実施形態において、指示情報はまた、受信端によって使用されないＤＭＲＳポートグループを指示するために使用され得ることに留意されたい。例えば、ＴＲＰ０がＮＣ−ＪＴモードに入るとき、指示のためにシグナリングが要求されない、または、元のシグナリングが指示のために使用される。ＴＲＰ１については、以下のテーブルが指示のために使用される。値が０であるとき、ＴＲＰ１によって使用されないＤＭＲＳポートグループがミュートされることが指示される。値が１であるとき、ＴＲＰ１によって使用されないＤＭＲＳポートグループは全部ミュートされる。詳細はテーブル３１において示される。
テーブル３１
【表６０】
0006943355.tif 000066
【０５０４】
上述では、主に、ネットワーク要素間の相互作用の観点から、本願の実施形態において提供される解決手段を説明する。上述の機能を実装するべく、基地局または端末などの上述の様々なネットワーク要素は、様々な機能に対応するハードウェア構造および／またはソフトウェアモジュールを含むことを理解されたい。当業者であれば、本明細書において開示される実施形態に関連して説明される例におけるユニットおよびアルゴリズムのステップは、本願におけるハードウェア、または、ハードウェアおよびコンピュータソフトウェアの組み合わせによって実装できることを容易に想到するはずである。機能がハードウェアによって実行されるか、または、コンピュータソフトウェアによって駆動されるハードウェアによって実行されるかは、技術的解決手段の特定の用途および設計の制約に依存する。当業者であれば、それぞれの特定の用途に対して説明された機能を実装すべく異なる方法を使用してよいが、その実装が本願の範囲を超えるものとみなされるべきではない。
【０５０５】
本願の実施形態において、機能モジュールの区分は、方法の例に従って基地局または端末上で実行され得る。例えば、様々な機能モジュールは、対応する機能に基づいて区分され得る、または、２以上の機能が、１つの処理モジュールに統合され得る。統合モジュールは、ハードウェアの形式で実装され得る、または、ソフトウェア機能モジュールの形式で実装され得る。本願の本実施形態において、モジュール区分は例であり、単に論理的な機能区分であることに留意されたい。実際の実装において、別の区分方式が使用され得る。以下の説明は、機能に対応して機能モジュールが区分される例を使用することによって行われる。
【０５０６】
図４１は、送信端３５０の概略構造図である。送信端３５０は、上述の説明における基地局１００または端末２００であり得る。送信端３５０は処理ユニット３５０１および送信ユニット３５０２を備え得る。処理ユニット３５０１は、図６におけるＳ１０１、具体的には、複数のＤＭＲＳ構成情報テーブルのグループからＤＭＲＳ構成情報を選択し、ＤＭＲＳ構成情報に基づいてＤＭＲＳ指示情報を取得することを実行するよう、または、図２１におけるＳ２０１、具体的には、復調参照信号（ＤＭＲＳ）指示情報を生成することであって、ＤＭＲＳ指示情報は、サポートされる最大ポート数、ＤＭＲＳパターン、または、ＤＭＲＳ構成タイプに対応する、生成することを実行するよう構成され得て、および／または、本明細書において説明される技術における別のプロセスをサポートするよう構成され得る。送信ユニット３５０２は、送信端が時間周波数リソース上でＤＭＲＳ関連情報またはＤＭＲＳ指示情報を送信する、図６におけるＳ１０２、または、図２１におけるＳ２０２を実行するよう構成され得て、および／または、本明細書において説明される技術における別のプロセスをサポートするよう構成され得る。上述の方法の実施形態における段階の関連内容の全部については、対応する機能モジュールの機能的説明を参照してよい。ここでは詳細を再度説明しない。
【０５０７】
図４２は受信端３６０の概略構造図である。受信端３６０は、処理ユニット３６０２および受信ユニット３６０３を含み得る。受信端３６０は、上述の説明における端末２００または基地局１００であり得る。受信ユニット３６０３は、受信端がＤＭＲＳ指示情報を受信する、図６におけるＳ１０３を実行するよう、もしくは、受信端がＤＭＲＳ指示情報を受信する、図２１におけるＳ２０３を実行するよう構成される、および／または、本願の実施形態における、受信端が任意の情報を受信する動作を実行するよう構成される。処理ユニット３６０２は、図６におけるＳ１０４を実行するよう、具体的には、受信されたＤＭＲＳ指示情報に基づいて、チャネル推定またはデータ復調の補助を実行すること、または、図２１におけるＳ２０４、具体的には、ＤＭＲＳ指示情報に基づいてレートマッチング情報を取得し、ＤＭＲＳ指示情報に基づいて、ＤＭＲＳが送信されないリソース上でデータを復調し、ＤＭＲＳが送信されないリソース上でデータを復調することを実行するよう構成され得て、および／または、本明細書において説明される技術における別のプロセスをサポートするよう構成され得る。上述の方法の実施形態における段階の関連内容の全部については、対応する機能モジュールの機能的説明を参照してよい。ここでは詳細を再度説明しない。例えば、具体的な実装プロセスにおいて、受信端３６０は最初に、例えば、これに限定されるものではないが、逆高速フーリエ変換（ｉｎｖｅｒｓｅ  ｆｏｕｒｉｅｒ  ｔｒａｎｓｆｏｒｍ、ＩＦＦＴ）を通して、各ＲＥ上で搬送されるシンボルを取得し（例えば、各ＯＦＤＭシンボルおよび各サブキャリア上で搬送されるシンボルを取得し）、次に、ＤＭＲＳが位置する時間周波数リソースに基づいて、取得されたシンボルからＤＭＲＳを取得するということを理解されたい。
【０５０８】
本願の本実施形態において、送信端３５０および受信端３６０は、機能に基づいて区分される機能モジュールの形式で提供される、または、統合を通して区分される機能モジュールの形式で提供される。ここで、「モジュール」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、１または複数のソフトウェアまたはファームウェアプログラムを実行するプロセッサおよびメモリ、集積論理回路、および／または、上述の機能を提供できる別のコンポーネントを指し得て、プロセッサおよびメモリは、共に統合され得る、または、独立に存在し得る。
【０５０９】
単純な実施形態において、当業者であれば、送信端３５０または受信端３６０のいずれかが、図４３において示される構造で実装されることに想到し得る。
【０５１０】
図４３に示されるように、機器３９０は、メモリ３９０２、プロセッサ３９０１および通信インタフェース３９０３を含み得る。メモリ３９０２はコンピュータ実行可能命令を記憶するよう構成される。機器３９０が動作するとき、プロセッサ３９０１は、メモリ３９０２に記憶されるコンピュータ実行可能命令を実行し、その結果、機器３９０は、本願の実施形態において提供されるＤＭＲＳ指示方法およびＤＭＲＳ受信方法を実行する。ＤＭＲＳ指示方法およびＤＭＲＳ受信方法については、上述の説明、および、添付図面における関連する説明を参照されたい。ここでは詳細を再度説明しない。通信インタフェース３９０３は送受信機であり得る。
【０５１１】
任意選択で、機器３９０は、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、システムオンチップ（ｓｙｓｔｅｍ  ｏｎ  ｃｈｉｐ、ＳｏＣ）、中央演算処理装置（ｃｅｎｔｒａｌ  ｐｒｏｃｅｓｓｏｒ  ｕｎｉｔ、ＣＰＵ）、ネットワークプロセッサ（ｎｅｔｗｏｒｋ  ｐｒｏｃｅｓｓｏｒ、ＮＰ）、デジタル信号プロセッサ（ｄｉｇｉｔａｌ  ｓｉｇｎａｌ  ｐｒｏｃｅｓｓｏｒ、ＤＳＰ）、または、マイクロコントローラユニット（ｍｉｃｒｏ  ｃｏｎｔｒｏｌｌｅｒ  ｕｎｉｔ、ＭＣＵ）、または、プログラマブル論理デバイス（ｐｒｏｇｒａｍｍａｂｌｅ  ｌｏｇｉｃ  ｄｅｖｉｃｅ、ＰＬＤ）であり得る、または、別の集積チップが使用され得る。
【０５１２】
本願の実施形態は更に、記憶媒体を提供する。記憶媒体はメモリ３９０２を含み得る。
【０５１３】
本発明の実施形態の第１態様によれば、データ送信方法が提供される。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは、少なくとも２つの送信端デバイスに割り当てられ、各送信端デバイスに割り当てられたＤＭＲＳポートは、同一のポートグループに属する。方法は以下の設計を含む。
【０５１４】
可能な設計において、各送信端デバイスは、送信端デバイスに割り当てられたＤＭＲＳポートに対応するデータストリームにコードワードをマッピングし、各送信端デバイスは、送信端デバイスに割り当てられたＤＭＲＳポートに対応するデータストリームを受信端デバイスへ送信する。
【０５１５】
可能な設計において、少なくとも２つの送信端デバイスは、同一の送信端デバイスの少なくとも２つのアンテナパネルであり、各送信端デバイスが、送信端デバイスに割り当てられたＤＭＲＳポートに対応するデータストリームにコードワードをマッピングすることは、具体的には、同一の送信端デバイスが、各アンテナパネルについて、アンテナパネルに割り当てられたＤＭＲＳポートに対応するデータストリームにコードワードをマッピングすることであり、各送信端デバイスが、送信端デバイスに割り当てられたＤＭＲＳポートに対応するデータストリームを受信端デバイスへ送信することは、具体的には、各アンテナパネルが、アンテナパネルに割り当てられたＤＭＲＳポートに対応するデータストリームを受信端デバイスへ送信することである。
【０５１６】
可能な設計において、各送信端デバイスが、送信端デバイスに割り当てられたＤＭＲＳポートに対応するデータストリームにコードワードをマッピングする前に、方法は更に、少なくとも２つの送信端デバイスのうちの１つが、指示情報を受信端デバイスへ送信する段階であって、指示情報は、受信端デバイスに割り当てられた複数のＤＭＲＳポートを指示するために使用される、段階を備える。
【０５１７】
可能な設計において、各送信端デバイスが、送信端デバイスに割り当てられたＤＭＲＳポートに対応するデータストリームにコードワードをマッピングする前に、方法は更に、同一の送信端デバイスが、指示情報を受信端デバイスへ送信する段階であって、指示情報は、受信端デバイスに割り当てられた複数のＤＭＲＳポートを指示するために使用される、段階を備える。
【０５１８】
本発明の本実施形態の様々な態様および可能な設計において、複数のデータストリームの数（言い換えれば、複数のＤＭＲＳポートの数）は、４以下であるが、これに限定されないことがあり得る。例えば、本発明の本実施形態において提供される技術的解決手段は、データストリームの数が４以下であるシナリオに適用され得るが、データストリームの数が４より多いシナリオには適用されない。更に、データストリームの数が４以下であるシナリオにおいて、本発明の本実施形態において提供される技術的解決手段は、データストリームの数が３および／または４である（言い換えれば、複数のデータストリームの数は３および／または４である）シナリオに適用され得るが、複数のデータストリームの数は４であるシナリオに適用されない。当然、本発明の本実施形態において提供される技術的解決手段は、上述のシナリオに限定されないことがあり得る。
【０５１９】
本発明の実施形態の第２態様によれば、データを受信する方法が提供される。方法は、複数のＤＭＲＳポートを通して複数のデータストリームを受信する段階であって、複数のＤＭＲＳポートは少なくとも２つのポートグループに属し、各ポートグループにおけるＤＭＲＳポートは、疑似コロケーションＱＣＬ関係を満たし、各ポートグループにおける任意のＤＭＲＳポート、および、任意の他のポートグループにおける任意のＤＭＲＳポートは非疑似コロケーション非ＱＣＬ関係を満たす、段階と、受信端デバイスが、少なくとも２つのポートグループの各々について、複数のＤＭＲＳポートにおける、ポートグループ中のＤＭＲＳポートに対応するデータストリームに基づいてコードワードを復元する段階とを備える。
【０５２０】
可能な設計において、複数のデータストリームを受信する前に、方法は更に、指示情報を受信する段階であって、指示情報は複数のＤＭＲＳポートを指示するために使用される、段階を備える。
【０５２１】
可能な設計において、複数のデータストリームの数（言い換えれば、複数のＤＭＲＳポートの数）は、４以下であるが、これに限定されないことがあり得る。例えば、本発明の本実施形態において提供される技術的解決手段は、データストリームの数が４以下であるシナリオに適用され得るが、データストリームの数が４より多いシナリオには適用されない。更に、データストリームの数が４以下であるシナリオにおいて、本発明の本実施形態において提供される技術的解決手段は、データストリームの数が３および／または４である（言い換えれば、複数のデータストリームの数は３および／または４である）シナリオに適用され得るが、複数のデータストリームの数は４であるシナリオに適用されない。当然、本発明の本実施形態において提供される技術的解決手段は、上述のシナリオに限定されないことがあり得る。
【０５２２】
本発明の実施形態の第３態様によれば、データを受信する方法が提供される。方法は、複数のＤＭＲＳポートを通して複数のデータストリームを受信する段階であって、複数のＤＭＲＳポートは同一のポートグループに属し、ポートグループにおけるＤＭＲＳポートは疑似コロケーションＱＣＬ関係を満たす、段階と、複数のデータストリームに基づいてコードワードを復元する段階とを備える。
【０５２３】
可能な設計において、複数のデータストリームを受信する前に、方法は更に、指示情報を受信する段階であって、指示情報は複数のＤＭＲＳポートを指示するために使用される、段階を備える。
【０５２４】
可能な設計において、複数のデータストリームの数は４以下である。
【０５２５】
上述の様々な態様および可能な設計において、指示情報はダウンリンク制御情報ＤＣＩである。
【０５２６】
データストリームはデータ層とも称される。
【０５２７】
本発明の実施形態の第４態様によれば、送信端デバイスが提供される。送信端デバイスは、複数の復調参照信号（ＤＭＲＳ）ポートを通して、少なくとも１つの他の送信端デバイスと共に、複数のデータストリームを受信端デバイスへ送信するよう構成され、複数のＤＭＲＳポートは、少なくとも２つのポートグループに属し、各ポートグループにおけるＤＭＲＳポートは、疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは、送信端デバイス、および、少なくとも１つの他の送信端デバイスの各々に割り当てられ、送信端デバイス、および、少なくとも１つの他の送信端デバイスの各々に割り当てられているＤＭＲＳポートは、同一のポートグループに属する。送信端デバイスは、送信端デバイスに割り当てられたＤＭＲＳポートに対応するデータストリームにコードワードをマッピングするよう構成されるマッピングモジュールと、送信端デバイスに割り当てられるＤＭＲＳポートに対応するデータストリームを受信端デバイスへ送信するよう構成される送信モジュールとを備える。
【０５２８】
可能な設計において、送信端デバイスおよび少なくとも１つの他の送信端デバイスは、同一の送信端デバイスの少なくとも２つのアンテナパネルであり、マッピングモジュールは、同一の送信端デバイスに配置され、マッピングモジュールは具体的には、各アンテナパネルについて、アンテナパネルに割り当てられているＤＭＲＳポートに対応するデータストリームにコードワードをマッピングするよう構成され、送信モジュールは、同一の送信端デバイスに配置され、送信モジュールは具体的には、各アンテナパネルによって、アンテナパネルに割り当てられているＤＭＲＳポートに対応するデータストリームを受信端デバイスへ送信するよう構成される。
【０５２９】
可能な設計において、送信モジュールは更に、指示情報を受信端デバイスへ送信するよう構成され、指示情報は、受信端デバイスに割り当てられている複数のＤＭＲＳポートを指示するために使用される。
【０５３０】
可能な設計において、複数のデータストリームの数は４以下である。
【０５３１】
本発明の実施形態の第５態様によれば、受信端デバイスが提供される。受信端デバイスは、複数のＤＭＲＳポートを通して複数のデータストリームを受信するよう構成される受信モジュールであって、複数のＤＭＲＳポートは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす、受信モジュールと、少なくとも２つのポートグループの各々について、複数のＤＭＲＳポートにおける、ポートグループ中のＤＭＲＳポートに対応するデータストリームに基づいてコードワードを復元するよう構成される復元モジュールとを備える。
【０５３２】
可能な設計において、受信モジュールは更に、指示情報を受信するよう構成され、指示情報は、複数のＤＭＲＳポートを指示するために使用される。
【０５３３】
可能な設計において、複数のデータストリームの数は４以下である。
【０５３４】
本発明の実施形態の第６態様によれば、受信端デバイスが提供される。受信端デバイスは、複数のＤＭＲＳポートを通して複数のデータストリームを受信するよう構成される受信モジュールであって、複数のＤＭＲＳポートは同一のポートグループに属し、ポートグループにおけるＤＭＲＳポートは疑似コロケーションＱＣＬ関係を満たす、受信モジュールと、複数のデータストリームに基づいてコードワードを復元するよう構成される復元モジュールとを備える。
【０５３５】
可能な設計において、受信モジュールは更に、指示情報を受信するよう構成され、指示情報は、複数のＤＭＲＳポートを指示するために使用される。
【０５３６】
可能な設計において、複数のデータストリームの数は４以下である。
【０５３７】
本発明の実施形態の上述の様々な態様および設計において、指示情報はダウンリンク制御情報ＤＣＩであり得る。
【０５３８】
本発明の実施形態の第７態様によれば、データを送信する方法が提供される。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは同一の送信端デバイスに割り当てられる。各ポートグループについて、方法は、送信端デバイスが、複数のＤＭＲＳポートにおける、ポートグループ中のＤＭＲＳポートに対応するデータストリームにコードワードをマッピングする段階と、送信端デバイスが、データストリームを受信端デバイスへ送信する段階とを備える。
【０５３９】
可能な設計において、方法は、送信端デバイスが、指示情報を受信端デバイスへ送信する段階を更に備え、指示情報は、受信端デバイスに割り当てられた複数のＤＭＲＳポートを指示するために使用される。
【０５４０】
可能な設計において、複数のデータストリームの数は４以下である。
【０５４１】
本発明の実施形態の第８態様によれば、送信端デバイスが提供される。送信端デバイスは、複数の復調参照信号（ＤＭＲＳ）ポートを通して複数のデータストリームを受信端デバイスへ送信するよう構成され、複数のＤＭＲＳポートは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。複数のＤＭＲＳポートは送信端デバイスに割り当てられる。送信端デバイスは、各ポートグループについて、複数のＤＭＲＳポートにおける、ポートグループ中のＤＭＲＳポートに対応するデータストリームにコードワードをマッピングするよう構成されるマッピングモジュールと、データストリームを受信端デバイスへ送信するよう構成される送信モジュールとを備える。
【０５４２】
可能な設計において、方法は更に、送信モジュールが指示情報を受信端デバイスへ送信するよう更に構成されることを含み、指示情報は、受信端デバイスに割り当てられた複数のＤＭＲＳポートを指示するために使用される。
【０５４３】
可能な設計において、複数のデータストリームの数は４以下である。
【０５４４】
つまり、本発明の実施形態は、データ送信方法を提供する。方法は、複数の復調参照信号（ＤＭＲＳ）ポートを通して、複数のデータストリームを受信端デバイスへ送信するために使用され、複数のＤＭＲＳポートは、少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは、非疑似コロケーション非ＱＣＬ関係を満たす。各ポートグループについて、方法は、複数のＤＭＲＳポートにおける、ポートグループ中のＤＭＲＳポートに対応するデータストリームにコードワードをマッピングする段階と、データストリームを受信端デバイスへ送信する段階とを備える。
【０５４５】
可能な設計において、方法は更に、指示情報を受信端デバイスへ送信する段階を備え、指示情報は、受信端デバイスに割り当てられた複数のＤＭＲＳポートを指示するために使用される。
【０５４６】
可能な設計において、複数のデータストリームの数は４以下である。
【０５４７】
可能な設計において、複数のＤＭＲＳポートは同一の送信端デバイスに割り当てられ得る、または、同一の送信端デバイス複数のアンテナパネルに割り当てられ得て、各アンテナパネルに割り当てられるＤＭＲＳポートは同一のポートグループに属する、または、（例えば、ＣｏＭＰ（Ｃｏｏｒｄｉｎａｔｅｄ  Ｍｕｌｔｉ−Ｐｏｉｎｔ、協調マルチポイント）関連技術に基づいて）同一の受信端デバイスにサービスを提供する複数の送信端デバイスに割り当てられ得て、各送信端デバイスに割り当てられているＤＭＲＳポートは同一のポートグループに属する。加えて、ＤＭＲＳポートは代替的に、例えば、限定されるものではないが、上述の複数の方式の様々な実行可能な組み合わせなど、別の方式で１または複数の送信端デバイスに割り当てられ得る。
【０５４８】
同様に、本発明の実施形態は更に、データを受信する方法を提供し、当該方法は、複数のＤＭＲＳポートを通して複数のデータストリームを受信する段階であって、複数のＤＭＲＳポートは同一のポートグループまたは少なくとも２つのポートグループに属し、各ポートグループにおけるＤＭＲＳポートは疑似コロケーションＱＣＬ関係を満たし、各ポートグループにおける任意のＤＭＲＳポート、および、任意の他のポートグループにおける任意のＤＭＲＳポートは非疑似コロケーション非ＱＣＬ関係を満たす、段階と、受信端デバイスが、同一のポートグループ、または、少なくとも２つのポートグループの各々について、複数のＤＭＲＳポートにおける、ポートグループ中のＤＭＲＳポートに対応するデータストリームに基づいてコードワードを復元する段階とを備える。
【０５４９】
可能な設計において、複数のデータストリームを受信する前に、方法は更に、指示情報を受信する段階であって、指示情報は複数のＤＭＲＳポートを指示するために使用される、段階を備える。
【０５５０】
複数のデータストリームの数は４以下である。
【０５５１】
受信端デバイスの側において、受信端デバイスは、複数のＤＭＲＳポートが、同一の送信端デバイスに由来するものか、同一の送信端デバイスの複数のアンテナパネルに由来するものか、または、複数の送信端デバイスに由来するものかについて配慮する必要ないことがあり得ることが容易に理解される。
【０５５２】
ＱＣＬ（Ｑｕａｓｉ−Ｃｏ−Ｌｏｃａｔｉｏｎ、疑似コロケーション）は通常、同様の大規模フェージング、同様の空間的方向（例えば、限定されるものではないが、ビーム方向）および同様のものを説明するために使用される。したがって、非疑似コロケーション（Ｎｏｎ−Ｑｕａｓｉ−Ｃｏ−Ｌｏｃａｔｉｏｎ、Ｎｏｎ−ＱＣＬ）は通常、異なる大規模フェージング、異なる空間方向、および同様のものを説明するために使用される。ＱＣＬおよび非ＱＣＬの関連内容は従来技術において明確に説明されている。したがって、ここでは説明しない。
【０５５３】
実際の伝送中、情報ビット（ｂｉｔ）は通常、トランスポートブロック（Ｔｒａｎｓｐｏｒｔ  Ｂｌｏｃｋ、ＴＢ）の形で区分され、トランスポートブロックはコードワード（ｃｏｄｅｗｏｒｄ、ＣＷ）であり得る。ＴＢおよびＣＷに関連する内容については従来技術を参照されたい。
【０５５４】
通常、システムによってサポートされるＤＭＲＳポートは複数のポートグループにグルーピングされ得て、各ポートグループにおけるＤＭＲＳポートはＱＣＬ関係を満たし、各ポートグループにおける任意のＤＭＲＳポート、および、任意の他のポートグループにおける任意のＤＭＲＳポートは、非ＱＣＬ関係を満たす。複数の送信端デバイスが同一の受信端デバイスにサービスを提供するとき、各送信端デバイスに割り当てられるＤＭＲＳポートは同一のポートグループに由来する。例えば、ＤＭＲＳポート０から９は２つのポートグループ、すなわち、ポートグループ１およびポートグループ２にグルーピングされ得て、ＤＭＲＳポート０から４はポートグループ１に属し、ＤＭＲＳポート５から９はポートグループ２に属する。ＤＭＲＳポートが送信端デバイスに割り当てられているとき、ポートグループ１における任意の数のＤＭＲＳポートは送信端デバイスに割り当てられ得る、または、ポートグループ２における任意の数のＤＭＲＳポートが送信端デバイスに割り当てられ得る。加えて、受信端デバイスが、複数の送信端デバイスによってサービスを提供されるか、または、単一の送信端デバイスによってサービスを提供されるかに関係なく、同一の送信端デバイスに割り当てられるＤＭＲＳポートは、同一のポートグループまたは異なるポートグループに由来し得る。例えば、ＤＭＲＳポートが同一のポートグループに由来するとき、ポートグループ１におけるポート１およびポート２は送信端デバイスに割り当てられ得る。ＤＭＲＳポートが異なるポートグループに由来するとき、ポートグループ１におけるポート２および３、ならびに、ポートグループ２におけるポート８および９は送信端デバイスに割り当てられ得る。同一の送信端デバイスに割り当てられるＤＭＲＳポートが異なるポートグループに由来するとき、異なるポートグループにおけるＤＭＲＳポートを通して送信端デバイスによって実行される無線伝送は、非ＱＣＬの特徴を有し、例えば、異なる大規模フェージング、異なる空間方向または同様のものを有することが容易に理解される。同一の送信端デバイスに割り当てられるＤＭＲＳポートが同一のポートグループに由来するとき、同一のポートグループにおけるＤＭＲＳポートを通して送信端デバイスによって実行される無線伝送は、ＱＣＬの特徴を有し、例えば、同様の大規模フェージング、同様の空間的方向または同様のものを有する。
【０５５５】
ＤＭＲＳポートを複数のポートグループにグルーピングすることの関連内容については、従来技術を参照されたい。例えば、ＤＭＲＳポートのグルーピングステータスは、納入前に送信端デバイスおよび受信端デバイスにおいて予め設定され得る、または、送信端デバイスは、ＤＭＲＳポートのグルーピングステータスを受信端デバイスに通知し得る。例えば、送信端デバイスは、例えば、これらに限定されるものではないが、定期的に、または、受信端デバイスが通信ネットワークにアクセスするときに、ＲＲＣ（Ｒａｄｉｏ  Ｒｅｓｏｕｒｃｅ  Ｃｏｎｔｒｏｌ、無線リソース制御）メッセージを使用することによって、グルーピングステータスを受信端デバイスに通知するが、これに限定されるものではない。ＤＭＲＳポートが複数のポートグループにグルーピングされるとき、ＤＭＲＳポートは、グルーピングステータスおよび具体的な要件（例えば、ＣｏＭＰなどの様々な適用シナリオ）に基づいて送信端デバイスに割り当てられ得る。
【０５５６】
複数の送信端デバイスは、複数の送信端デバイスであり得る、または、同一の送信端デバイスの複数のアンテナパネルであり得る。送信端デバイスは、例えば、これに限定されるものではないが、基地局であり得る。受信端デバイスは、例えば、これに限定されるものではないが、端末であり得る。
【０５５７】
コードワードをデータストリームにマッピングするプロセス、および、コードワードをデータストリームから復元するプロセスについては、従来技術を参照されたい。
【０５５８】
複数の送信端デバイスが同一の受信端デバイスにサービスを提供するとき、指示情報は、複数の送信端デバイスの１つによって送信され得る。この場合、指示情報を送信する送信端デバイスは、サービングデバイスと称され得て、他の送信端デバイスは、協調デバイスと称され得る。
【０５５９】
データストリームは、データ層とも称され得て、通常、コードワードに対して層マッピングを実行することによって取得され得る。具体的なプロセスについては、従来技術を参照されたい。
【０５６０】
上述した方法における段階は、１または複数のプロセッサによって実行され得る、または、プログラムを実行する１または複数のプロセッサによって実行され得る。
【０５６１】
送信端デバイスおよび受信端デバイスのモジュールの機能は１または複数のプロセッサによって実行され得る、または、プログラムを実行する１または複数のプロセッサによって実行され得る。
【０５６２】
上述の実施形態の全部または一部は、ソフトウェア、ハードウェア、ファームウェア、またはこれらの任意の組み合わせを使用して実装されてよい。実施形態を実装するためにソフトウェアプログラムが使用されるとき、実施形態は、完全に、または、部分的に、コンピュータプログラムプロダクトの形式で実装され得る。コンピュータプログラムプロダクトは１または複数のコンピュータ命令を含む。コンピュータプログラム命令がコンピュータ上においてロードおよび実行されるとき、本願の実施形態に係る手順または機能が全部、または部分的に生成される。コンピュータは汎用コンピュータ、特定用途向けコンピュータ、コンピュータネットワーク、または、他のプログラマブル機器であり得る。コンピュータ命令はコンピュータ可読記憶媒体に記憶され得る、または、コンピュータ可読記憶媒体から別のコンピュータ可読記憶媒体へ伝送され得る。例えば、コンピュータ命令は、ウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータがアクセス可能な任意の使用可能な媒体、または、１または複数の使用可能な媒体を統合する、サーバまたはデータセンタなどのデータストレージデバイスであり得る。使用可能な媒体は、磁気媒体（例えば、フロッピディスク、ハードディスク、または、磁気テープ）、光学媒体（例えば、ＤＶＤ）、半導体媒体（例えば、ソリッドステートディスク（ＳＳＤ））、または同様のものであり得る。
【０５６３】
本願は、実施形態に関連して説明されるが、保護を主張する本願を実装するプロセスにおいて、当業者であれば、添付図面、開示される内容、および、付属の特許請求の範囲を閲覧することによって、開示される実施形態の別の変形形態を理解および実装し得る。特許請求の範囲において、「含む」（ｃｏｍｐｒｉｓｉｎｇ）は、別のコンポーネントまたは別の段階を排除せず、「ある」または「１つ」は、複数の意味を排除しない。単一のプロセッサまたは別のユニットは、特許請求の範囲において列挙されている複数の機能を実装し得る。複数の従属請求項において、互いに異なるいくつかの手段が記録されているが、このことは、これらの手段を組み合わせてより良い効果を生み出すことができないことを意味するものではない。
【０５６４】
本願は、具体的な機能およびその実施形態に関連して説明されるが、当然、本願の思想および範囲から逸脱することなく、様々な修正および組み合わせが成され得る。同様に、明細書および添付図面は、付属の特許請求の範囲によって定義される本願の説明の例に過ぎず、本願の範囲内の修正、変形、組み合わせ、または、均等物のいずれか、または全部を包含するものとみなされる。当然、当業者であれば、本願の思想および範囲から逸脱することなく、本願に様々な修正および変形を加えることができる。本願は、本願の特許請求の範囲によって定義される保護の範囲内に属する限り、本願のこれらの修正および変形、ならびに、それらの均等な技術を包含することが意図される。
【図１】
0006943355.tif 000085
【図２】
0006943355.tif 000086
【図３】
0006943355.tif 000087
【図４】
0006943355.tif 000088
【図５】
0006943355.tif 000089
【図６】
0006943355.tif 000090
【図７】
0006943355.tif 000091
【図８】
0006943355.tif 000092
【図９】
0006943355.tif 000093
【図１０】
0006943355.tif 000094
【図１１】
0006943355.tif 000095
【図１２】
0006943355.tif 000096
【図１３】
0006943355.tif 000097
【図１４】
0006943355.tif 000098
【図１５】
0006943355.tif 000099
【図１６】
0006943355.tif 000100
【図１７】
0006943355.tif 000101
【図１８】
0006943355.tif 000102
【図１９】
0006943355.tif 000103
【図２０】
0006943355.tif 000104
【図２１】
0006943355.tif 000105
【図２２】
0006943355.tif 000106
【図２３】
0006943355.tif 000107
【図２４】
0006943355.tif 000108
【図２５】
0006943355.tif 000109
【図２６】
0006943355.tif 000110
【図２７】
0006943355.tif 000111
【図２８】
0006943355.tif 000112
【図２９】
0006943355.tif 000113
【図３０】
0006943355.tif 000114
【図３１】
0006943355.tif 000115
【図３２】
0006943355.tif 000116
【図３３】
0006943355.tif 000117
【図３４】
0006943355.tif 000118
【図３５】
0006943355.tif 000119
【図３６】
0006943355.tif 000120
【図３７】
0006943355.tif 000121
【図３８】
0006943355.tif 000122
【図３９】
0006943355.tif 000123
【図４０】
0006943355.tif 000124
【図４１】
0006943355.tif 000125
【図４２】
0006943355.tif 000126
【図４３】
0006943355.tif 000127